(57)【要約】【課題】光源からの光束の有効利用効率が高く、光源と緑色光を発光する発光領域とフィルターとの関係の最適化が図られているカラー液晶表示装置組立体を提供する。【解決手段】フロント・パネル、リア・パネル及び液晶材料から成るカラー液晶表示装置並びに面状光源装置６０を備えたカラー液晶表示装置組立体において、光源は第１原色光（青色光）を射出し、フロント・パネルの液晶材料側には、第２サブピクセルを通過した第１原色光によって励起されて第２原色光（緑色光）を発光する第２原色発光領域５２、第３サブピクセルを通過した第１原色光によって励起されて第３原色光（赤色光）を発光する第３原色発光領域５３、及び、第１サブピクセルを通過した第１原色光（青色光）を通過させる第１原色光通過領域５１が備えられ、第２原色発光領域５２から出射された光の一部を通過させる黄色のフィルター５８を更に備えている。【選択図】  図１
2009145657.tif 000002
【特許請求の範囲】
【請求項１】
（ａ−１）第１面及び第２面を有する第１基板の第１面に形成された透明第１電極を備えたフロント・パネル、
（ａ−２）第１面及び第２面を有する第２基板の第１面に形成された透明第２電極を備えたリア・パネル、及び、
（ａ−３）第１基板の第１面と第２基板の第１面との間に配された液晶材料、
を具備し、少なくとも第１サブピクセル、第２サブピクセル及び第３サブピクセルを１組としたピクセルが、複数、２次元マトリクス状に配列されたカラー液晶表示装置、並びに、
（ｂ）リア・パネル側に配置され、カラー液晶表示装置をリア・パネル側から照明する光源を有する面状光源装置、
を備えたカラー液晶表示装置組立体であって、
光源は、第１原色、第２原色及び第３原色から構成された光の三原色の内の第１原色に相当する第１原色光を出射し、
（Ａ）第２原色に相当する第２原色光を発光する第２原色発光粒子から成り、光源から出射され、第２サブピクセルを通過した第１原色光によって励起されて第２原色光を発光する第２原色発光領域、
（Ｂ）第３原色に相当する第３原色光を発光する第３原色発光粒子から成り、光源から出射され、第３サブピクセルを通過した第１原色光によって励起されて第３原色光を発光する第３原色発光領域、並びに、
（Ｃ）光源から出射され、第１サブピクセルを通過した第１原色光を通過させる第１原色光通過領域、
を備えており、
第１原色は青色であり、第２原色は緑色であり、第３原色は赤色であり、
第２原色発光領域から出射された光の一部を通過させる黄色のフィルターを更に備えていることを特徴とするカラー液晶表示装置組立体。
【請求項２】
フィルターは、第３原色発光領域から出射された光の一部も通過させることを特徴とする請求項１に記載のカラー液晶表示装置組立体。
【請求項３】
第２原色発光領域は、第２サブピクセルに対応した第１基板の第１面の部分と透明第１電極の部分との間に配置されており、
第３原色発光領域は、第３サブピクセルに対応した第１基板の第１面の部分と透明第１電極の部分との間に配置されており、
第１原色光通過領域は、第１サブピクセルに対応した第１基板の第１面の部分と透明第１電極の部分との間に配置されており、
フィルターは、第２原色発光領域と第１基板の第１面との間に配置されていることを特徴とする請求項１に記載のカラー液晶表示装置組立体。
【請求項４】
（ｃ）フロント・パネルに対向し、フロント・パネルに対向した第１面、及び、該第１面に対向した第２面を有する第３基板、
を備えており、
第２原色発光領域は、第２サブピクセルに対応した第１基板の第２面の部分と第３基板の第１面の部分との間に配置されており、
第３原色発光領域は、第３サブピクセルに対応した第１基板の第２面の部分と第３基板の第１面の部分との間に配置されており、
第１原色光通過領域は、第１サブピクセルに対応した第１基板の第２面の部分と第３基板の第１面の部分との間に配置されており、
フィルターは、第２原色発光領域と第３基板の第１面との間に配置されていることを特徴とする請求項１に記載のカラー液晶表示装置組立体。
【請求項５】
（ａ−１）第１面及び第２面を有する第１基板の第１面に形成された透明第１電極を備えたフロント・パネル、
（ａ−２）第１面及び第２面を有する第２基板の第１面に形成された透明第２電極を備えたリア・パネル、及び、
（ａ−３）第１基板の第１面と第２基板の第１面との間に配された液晶材料、
を具備し、少なくとも第１サブピクセル、第２サブピクセル及び第３サブピクセルを１組としたピクセルが、複数、２次元マトリクス状に配列されたカラー液晶表示装置、並びに、
（ｂ）リア・パネル側に配置され、カラー液晶表示装置をリア・パネル側から照明する光源を有する面状光源装置、
を備えたカラー液晶表示装置組立体であって、
光源は、第１原色、第２原色及び第３原色から構成された光の三原色の内の第１原色に相当する第１原色光を出射し、
（Ａ）第２原色に相当する第２原色光を発光する第２原色発光粒子から成り、光源から出射された第１原色光によって励起されて第２原色光を発光し、第２サブピクセルを照明する第２原色発光領域、並びに、
（Ｂ）第３原色に相当する第３原色光を発光する第３原色発光粒子から成り、光源から出射された第１原色光によって励起されて第３原色光を発光し、第３サブピクセルを照明する第３原色発光領域、
を備えており、
第１原色は青色であり、第２原色は緑色であり、第３原色は赤色であり、
第２サブピクセルを通過した光の一部を通過させる黄色のフィルターを更に備えていることを特徴とするカラー液晶表示装置組立体。
【請求項６】
フィルターは、第３サブピクセルを通過した光の一部も通過させることを特徴とする請求項５に記載のカラー液晶表示装置組立体。
【請求項７】
フィルターは、第１基板の第１面と透明第１電極との間に配置されていることを特徴とする請求項５に記載のカラー液晶表示装置組立体。
【請求項８】
第２原色発光領域は、第２サブピクセルに対応した第２基板の第１面の部分と透明第２電極の部分との間に配置されており、
第３原色発光領域は、第３サブピクセルに対応した第２基板の第１面の部分と透明第２電極の部分との間に配置されていることを特徴とする請求項５に記載のカラー液晶表示装置組立体。
【請求項９】
（ｃ）リア・パネルと面状光源装置との間に配置され、リア・パネルに対向した第１面、及び、面状光源装置に対向した第２面を有する第３基板、
を更に備えており、
第２原色発光領域は、第２サブピクセルに対応した第３基板の第１面の部分と第２基板の第２面の部分との間に配置されており、
第３原色発光領域は、第３サブピクセルに対応した第３基板の第１面の部分と第２基板の第２面の部分との間に配置されていることを特徴とする請求項５に記載のカラー液晶表示装置組立体。
【請求項１０】
（ａ−１）第１面及び第２面を有する第１基板の第１面に形成された透明第１電極を備えたフロント・パネル、
（ａ−２）第１面及び第２面を有する第２基板の第１面に形成された透明第２電極を備えたリア・パネル、及び、
（ａ−３）第１基板の第１面と第２基板の第１面との間に配された液晶材料、
を具備し、少なくとも第１サブピクセル、第２サブピクセル及び第３サブピクセルを１組としたピクセルが、複数、２次元マトリクス状に配列されたカラー液晶表示装置、並びに、
（ｂ）リア・パネル側に配置され、カラー液晶表示装置をリア・パネル側から照明する光源を有する面状光源装置、
を備えたカラー液晶表示装置組立体であって、
光源は、第１原色、第２原色及び第３原色から構成された光の三原色の内の第１原色に相当する第１原色光、並びに、第３原色に相当する第３原色光を出射し、
（Ａ）第２原色に相当する第２原色光を発光する第２原色発光粒子から成り、光源から出射され、第２サブピクセルを通過した第１原色光によって励起されて第２原色光を発光する第２原色発光領域、
（Ｂ）光源から出射され、第１サブピクセルを通過した第１原色光及び第３原色光を通過させる第１原色光通過領域、
（Ｃ）光源から出射され、第３サブピクセルを通過した第１原色光及び第３原色光を通過させる第３原色光通過領域、
（Ｄ）フィルター、並びに、
（Ｅ）光源と第２原色発光領域との間に配置され、光源からの第３原色光が第２原色発光領域へ侵入することを阻止する第３原色光侵入阻止膜、
を備えており、
第１原色は青色であり、第２原色は緑色であり、第３原色は赤色であり、
フィルターは、
（ａ）第１原色光通過領域を通過した光の少なくも一部を通過させる第１フィルター領域、
（ｂ）第２原色発光領域を出射した光の一部を通過させる黄色の第２フィルター領域、及び、
（ｃ）第３原色光通過領域を通過した光の一部を通過させる第３フィルター領域、
から構成されていることを特徴とするカラー液晶表示装置組立体。
【請求項１１】
第２原色発光領域は、第２サブピクセルに対応した第１基板の第１面の部分と透明第１電極の部分との間に配置されており、
第１原色光通過領域は、第１サブピクセルに対応した第１基板の第１面の部分と透明第１電極の部分との間に配置されており、
第３原色光通過領域は、第３サブピクセルに対応した第１基板の第１面の部分と透明第１電極の部分との間に配置されており、
フィルターは、第２原色発光領域、第１原色光通過領域及び第３原色光通過領域と第１基板の第１面との間に配置されていることを特徴とする請求項１０に記載のカラー液晶表示装置組立体。
【請求項１２】
（ｃ）フロント・パネルに対向し、フロント・パネルに対向した第１面、及び、該第１面に対向した第２面を有する第３基板、
を備えており、
第２原色発光領域は、第２サブピクセルに対応した第１基板の第２面の部分と第３基板の第１面の部分との間に配置されており、
第１原色光通過領域は、第１サブピクセルに対応した第１基板の第２面の部分と第３基板の第１面の部分との間に配置されており、
第３原色光通過領域は、第３サブピクセルに対応した第１基板の第２面の部分と第３基板の第１面の部分との間に配置されており、
フィルターは、第２原色発光領域、第１原色光通過領域及び第３原色光通過領域と第３基板の第１面との間に配置されていることを特徴とする請求項１０に記載のカラー液晶表示装置組立体。
【請求項１３】
（ａ−１）第１面及び第２面を有する第１基板の第１面に形成された透明第１電極を備えたフロント・パネル、
（ａ−２）第１面及び第２面を有する第２基板の第１面に形成された透明第２電極を備えたリア・パネル、及び、
（ａ−３）第１基板の第１面と第２基板の第１面との間に配された液晶材料、
を具備し、少なくとも第１サブピクセル、第２サブピクセル及び第３サブピクセルを１組としたピクセルが、複数、２次元マトリクス状に配列されたカラー液晶表示装置、並びに、
（ｂ）リア・パネル側に配置され、カラー液晶表示装置をリア・パネル側から照明する光源を有する面状光源装置、
を備えたカラー液晶表示装置組立体であって、
光源は、第１原色、第２原色及び第３原色から構成された光の三原色の内の第１原色に相当する第１原色光、並びに、第３原色に相当する第３原色光を出射し、
（Ａ）第２原色に相当する第２原色光を発光する第２原色発光粒子から成り、光源から出射された第１原色光によって励起されて第２原色光を発光し、第２サブピクセルを照明する第２原色発光領域、
（Ｂ）フィルター、並びに、
（Ｃ）光源と第２原色発光領域との間に配置され、光源からの第３原色光が第２原色発光領域へ侵入することを阻止する第３原色光侵入阻止膜、
を備えており、
第１原色は青色であり、第２原色は緑色であり、第３原色は赤色であり、
フィルターは、
（ａ）第１サブピクセルを通過した光の少なくとも一部を通過させる第１フィルター領域、
（ｂ）第２サブピクセルを通過した光の一部を通過させる黄色の第２フィルター領域、及び、
（ｃ）第３サブピクセルを通過した光の一部を通過させる第３フィルター領域、
から構成されていることを特徴とするカラー液晶表示装置組立体。
【請求項１４】
フィルターは、第１基板の第１面と透明第１電極との間に配置されていることを特徴とする請求項１３に記載のカラー液晶表示装置組立体。
【請求項１５】
第２原色発光領域は、第２サブピクセルに対応した第２基板の第１面の部分と透明第２電極の部分との間に配置されていることを特徴とする請求項１３に記載のカラー液晶表示装置組立体。
【請求項１６】
（ｃ）リア・パネルと面状光源装置との間に配置され、リア・パネルに対向した第１面、及び、面状光源装置に対向した第２面を有する第３基板、
を更に備えており、
第２原色発光領域は、第２サブピクセルに対応した第３基板の第１面の部分と第２基板の第２面の部分との間に配置されていることを特徴とする請求項１３に記載のカラー液晶表示装置組立体。
【請求項１７】
（イ）青色に相当する第１原色光を出射する光源、
（ロ）第１原色光によって励起され、緑色に相当する第２原色光を出射する第２原色発光粒子、及び、
（ハ）第２原色発光粒子からの出射光の一部を通過させる黄色のフィルター、
を備えていることを特徴とする発光装置。
【請求項１８】
フィルターは、４７０ｎｍ以下の波長の光を遮断することを特徴とする請求項１７に記載の発光装置。
【請求項１９】
第２原色発光粒子の単位面積当たりの質量をＰ（単位：ミリグラム／ｃｍ2）としたとき、第２原色光の波長をλ2、第２原色発光粒子から出射され、フィルターを通過する前の光のスペクトルにおける波長λ2での光強度Ｉ2（λ2）は、Ｐを変数とした上に凸の関数で表され、
発光装置において使用される第２原色発光粒子の単位面積当たりの質量Ｐ0は、該凸の関数の最大値が得られる質量の値をＰmaxとしたとき、
０．７Ｐmax≦Ｐ0≦１．３Ｐmax
を満足することを特徴とする請求項１７に記載の発光装置。
【請求項２０】
光源は、発光ダイオードから成ることを特徴とする請求項１７乃至請求項１９のいずれか１項に記載の発光装置。
【発明の詳細な説明】
【技術分野】
【０００１】
本発明は、カラー液晶表示装置組立体及び発光装置に関する。
【背景技術】
【０００２】
半導体発光素子として、ＩｎＧａＮ等の化合物半導体から構成され、ｐｎ接合を利用した発光ダイオードが広く知られている。発光ダイオードの発光波長は、発光ダイオードの活性層を構成する化合物半導体固有のエネルギーバンドギャップによって決まっている。
【０００３】
また、カラー液晶表示装置組立体として、透明電極、配向膜等が積層された透明なガラス基板が対向するように重ね合わされた２枚のパネルの間に液晶材料が挟まれて成るカラー液晶表示装置と、このカラー液晶表示装置の下方に配置され、カラー液晶表示装置を照明する面状光源装置とから構成されたカラー液晶表示装置組立体が周知である。
【０００４】
面状光源装置として、２種類の面状光源装置（バックライト）、即ち、例えば実開昭６３−１８７１２０や特開２００２−２７７８７０に開示された直下型の面状光源装置、並びに、例えば特開２００２−１３１５５２に開示されたエッジライト型（サイドライト型とも呼ばれる）の面状光源装置が周知である。直下型の面状光源装置は、図２３の（Ａ）に概念図を示すように、筐体２００２内に配置された光源２０００と、光源２０００の下方に位置する筐体の部分に配置され、光源２０００からの出射光を上方に反射する反射部材２００３と、光源２０００の上方に位置する筐体開口部に取り付けられ、光源２０００からの出射光及び反射部材２００３からの反射光を拡散させながら通過させる拡散板２００１とから構成されている。一方、エッジライト型の面状光源装置は、図２３の（Ｂ）に概念図を示すように、導光板２１０１と、導光板２１０１の側面に配置されたランプから成る光源２１００から構成されている。尚、導光板の下方には、反射部材２１０２が配置されており、導光板の上方には拡散シート２１０３及びプリズムシート２１０４が配置されている。
【０００５】
光源は、例えば冷陰極線型の蛍光ランプから成り、白色光を出射する。より具体的には、冷陰極線型の蛍光ランプにおいては、内部に、ネオンガスやアルゴン等の混合希ガスが封入され、あるいは又、水銀が拡散封入されている。そして、グロー放電に起因して励起された混合希ガスあるいは水銀原子からの紫外線が、蛍光ランプを構成するガラス管の内面に塗布された赤色発光蛍光体粒子、緑色発光蛍光体粒子及び青色発光蛍光体粒子を励起し、これらの蛍光体粒子からの発光色によって白色を得ている。
【０００６】
また、光源から出射された青色光によって蛍光体層を励起することで赤色光、緑色光を発光させて画像を得る形式のカラー液晶表示装置組立体が、例えば、特開２００７−４０９９から周知である。この特許公開公報に開示されたカラー液晶表示装置組立体は、フロント・パネルとリア・パネルとから構成されたカラー液晶表示装置、及び、リア・パネルに対向して配置され、カラー液晶表示装置をリア・パネル側から照明する光源を有する面状光源装置を備えている。そして、蛍光体層が、例えば、フロント・パネルの外面に設けられ、あるいは又、面状光源装置と対向するリア・パネルの外面に設けられている。
【０００７】
【特許文献１】実開昭６３−１８７１２０
【特許文献２】特開２００２−２７７８７０
【特許文献３】特開２００２−１３１５５２
【特許文献４】特開２００７−４０９９
【発明の開示】
【発明が解決しようとする課題】
【０００８】
ところで、発光ダイオードにあっては、要求される発光波長に対応するエネルギーバンドギャップを有する化合物半導体層を良質なる結晶状態で得ることが難しく、発光効率が低い場合がある。例えば、ＩｎＧａＮ系化合物半導体層から活性層を構成された発光ダイオードにおいて、発光波長が４００ｎｍ〜４８０ｎｍ付近では発光効率が高いが、５００ｎｍより長波長域（例えば、緑色を発光する波長領域）では、図２２に示すように、発光効率の低下が顕著である。
【０００９】
また、直下型の面状光源装置においては、蛍光ランプから白色光を放射するので、例えば、カラー液晶表示装置にて赤色を表示する場合、白色光をカラーフィルターを通過させて白色光から赤色を取り出すといった処理を行い、蛍光ランプから放射された白色光を構成する緑色及び青色を、一種、廃棄している。従って、蛍光ランプから放射される光束の有効利用効率（蛍光ランプから放射される光束のうち、カラー液晶表示装置に導かれ、カラー液晶表示装置から出射される光の割合）が低く、光束の有効利用効率を一層高くすることが望まれている。
【００１０】
特開２００７−４０９９には、光源と緑色光を発光する蛍光体層とフィルターとの関係の最適化に関して、何ら言及がなされていない。また、特開２００７−４０９９に開示された技術にあっては、蛍光体層がフロント・パネルの外面に設けられているので、２枚のパネルの間に液晶材料が挟まれて構成された液晶セルから蛍光体層までの距離が長く、視差（パララックス）が発生し易いといった問題がある。あるいは又、蛍光体層が面状光源装置と対向するリア・パネルの外面に設けられているので、或る蛍光体層から出射した光が対応する液晶セルに隣接した液晶セルに入射するといった光学的クロストークが発生する虞がある。
【００１１】
従って、本発明の目的は、光源からの光束の有効利用効率が高く、光源と緑色光を発光する発光領域とフィルターとの関係の最適化が図られており、しかも、視差や光学的クロストークが発生し難いカラー液晶表示装置組立体を提供することにある。
【課題を解決するための手段】
【００１２】
上記の目的を達成するための本発明の第１の態様、第２の態様、第３の態様あるいは第４の態様に係るカラー液晶表示装置組立体は、
（ａ−１）第１面及び第２面を有する第１基板の第１面に形成された透明第１電極を備えたフロント・パネル、
（ａ−２）第１面及び第２面を有する第２基板の第１面に形成された透明第２電極を備えたリア・パネル、及び、
（ａ−３）第１基板の第１面と第２基板の第１面との間に配された液晶材料、
を具備し、少なくとも第１サブピクセル、第２サブピクセル及び第３サブピクセルを１組としたピクセルが、複数、２次元マトリクス状に配列されたカラー液晶表示装置、並びに、
（ｂ）リア・パネル側に配置され、カラー液晶表示装置をリア・パネル側から照明する光源を有する面状光源装置、
を備えたカラー液晶表示装置組立体である。
【００１３】
そして、本発明の第１の態様に係るカラー液晶表示装置組立体にあっては、
光源は、第１原色、第２原色及び第３原色から構成された光の三原色の内の第１原色に相当する第１原色光を出射し、
（Ａ）第２原色に相当する第２原色光を発光する第２原色発光粒子から成り、光源から出射され、第２サブピクセルを通過した第１原色光によって励起されて第２原色光を発光する第２原色発光領域、
（Ｂ）第３原色に相当する第３原色光を発光する第３原色発光粒子から成り、光源から出射され、第３サブピクセルを通過した第１原色光によって励起されて第３原色光を発光する第３原色発光領域、並びに、
（Ｃ）光源から出射され、第１サブピクセルを通過した第１原色光を通過させる第１原色光通過領域、
を備えており、
第１原色は青色であり、第２原色は緑色であり、第３原色は赤色であり、
第２原色発光領域から出射された光の一部を通過させる黄色のフィルターを更に備えていることを特徴とする。
【００１４】
また、本発明の第２の態様に係るカラー液晶表示装置組立体にあっては、
光源は、第１原色、第２原色及び第３原色から構成された光の三原色の内の第１原色に相当する第１原色光を出射し、
（Ａ）第２原色に相当する第２原色光を発光する第２原色発光粒子から成り、光源から出射された第１原色光によって励起されて第２原色光を発光し、第２サブピクセルを照明する第２原色発光領域、並びに、
（Ｂ）第３原色に相当する第３原色光を発光する第３原色発光粒子から成り、光源から出射された第１原色光によって励起されて第３原色光を発光し、第３サブピクセルを照明する第３原色発光領域、
を備えており、
第１原色は青色であり、第２原色は緑色であり、第３原色は赤色であり、
第２サブピクセルを通過した光の一部を通過させる黄色のフィルターを更に備えていることを特徴とする。
【００１５】
更には、本発明の第３の態様に係るカラー液晶表示装置組立体にあっては、
光源は、第１原色、第２原色及び第３原色から構成された光の三原色の内の第１原色に相当する第１原色光、並びに、第３原色に相当する第３原色光を出射し、
（Ａ）第２原色に相当する第２原色光を発光する第２原色発光粒子から成り、光源から出射され、第２サブピクセルを通過した第１原色光によって励起されて第２原色光を発光する第２原色発光領域、
（Ｂ）光源から出射され、第１サブピクセルを通過した第１原色光及び第３原色光を通過させる第１原色光通過領域、
（Ｃ）光源から出射され、第３サブピクセルを通過した第１原色光及び第３原色光を通過させる第３原色光通過領域、
（Ｄ）フィルター、並びに、
（Ｅ）光源と第２原色発光領域との間に配置され、光源からの第３原色光が第２原色発光領域へ侵入することを阻止する第３原色光侵入阻止膜、
を備えており、
第１原色は青色であり、第２原色は緑色であり、第３原色は赤色であり、
フィルターは、
（ａ）第１原色光通過領域を通過した光の少なくとも一部を通過させる第１フィルター領域、
（ｂ）第２原色発光領域を出射した光の一部を通過させる黄色の第２フィルター領域、及び、
（ｃ）第３原色光通過領域を通過した光の一部を通過させる第３フィルター領域、
から構成されていることを特徴とする。
【００１６】
また、本発明の第４の態様に係るカラー液晶表示装置組立体にあっては、
光源は、第１原色、第２原色及び第３原色から構成された光の三原色の内の第１原色に相当する第１原色光、並びに、第３原色に相当する第３原色光を出射し、
（Ａ）第２原色に相当する第２原色光を発光する第２原色発光粒子から成り、光源から出射された第１原色光によって励起されて第２原色光を発光し、第２サブピクセルを照明する第２原色発光領域、
（Ｂ）フィルター、並びに、
（Ｃ）光源と第２原色発光領域との間に配置され、光源からの第３原色光が第２原色発光領域へ侵入することを阻止する第３原色光侵入阻止膜、
を備えており、
第１原色は青色であり、第２原色は緑色であり、第３原色は赤色であり、
フィルターは、
（ａ）第１サブピクセルを通過した光の少なくとも一部を通過させる第１フィルター領域、
（ｂ）第２サブピクセルを通過した光の一部を通過させる黄色の第２フィルター領域、及び、
（ｃ）第３サブピクセルを通過した光の一部を通過させる第３フィルター領域、
から構成されていることを特徴とする。
【００１７】
尚、本発明の第２の態様あるいは第４の態様に係るカラー液晶表示装置組立体において、第１フィルター領域は、第１原色光あるいは青色の光を通過させるフィルター領域とすることができ、これによって、第１原色光通過領域あるいは第１サブピクセルを通過した光の一部を通過させることができる。あるいは又、場合によっては、第１フィルター領域を、第１原色光に対して透明な空間あるいは樹脂層から構成し、第１原色光通過領域あるいは第１サブピクセルを通過した光の全てを通過させる構成とすることもできるが、この場合、第１フィルター領域に進入する光には第３原色光が含まれないような構成、構造とする必要がある。また、第３フィルター領域は、黄色のフィルター領域とすることができるし、あるいは又、橙色（オレンジ色）フィルター領域とすることができる。また、本発明の第３の態様あるいは第４の態様に係るカラー液晶表示装置組立体において、光源からの第３原色光が第２原色発光領域へ侵入することを阻止する第３原色光侵入阻止膜が備えられているので、第２原色発光領域から外部に第３原色光が出射されることはない。第３原色光侵入阻止膜は、第１原色光を通過し、第３原色光を吸収する一種のフィルターから構成することができるし、第１原色光を通過し、第３原色光を反射する光反射膜から構成することもできるし、第１原色光を通過し、第２原色光及び第３原色光を反射する光反射膜から構成することもできる。
【００１８】
上記の目的を達成するための本発明の発光装置は、
（イ）青色に相当する第１原色光を出射する光源、
（ロ）第１原色光によって励起され、緑色に相当する第２原色光を出射する第２原色発光粒子、及び、
（ハ）第２原色発光粒子からの出射光の一部を通過させる黄色のフィルター、
を備えていることを特徴とする。あるいは又、云い換えれば、本発明の発光装置は、
（イ）波長４００ｎｍ乃至４６０ｎｍの光を出射する光源、
（ロ）光源から出射された光によって励起され、緑色の光を出射する発光粒子、及び、
（ハ）発光粒子からの出射光の一部を通過させる黄色のフィルター、
を備えていることを特徴とする。
【００１９】
本発明の発光装置において、フィルターは、４７０ｎｍ以下の波長の光を遮断することが好ましい。
【００２０】
上記の好ましい構成を含む本発明の発光装置において、第２原色発光粒子の単位面積当たりの質量をＰ（単位：ミリグラム／ｃｍ2）としたとき、第２原色光の波長をλ2、第２原色発光粒子から出射され、フィルターを通過する前の光のスペクトルにおける波長λ2での光強度Ｉ2（λ2）は、Ｐを変数とした上に凸の関数で表され、
発光装置において使用される第２原色発光粒子の単位面積当たりの質量Ｐ0は、該凸の関数の最大値が得られる質量の値をＰmaxとしたとき、
０．７Ｐmax≦Ｐ0≦１．３Ｐmax
を満足することが望ましい。後に詳しく説明する本発明の第１の態様〜第８態様に係るカラー液晶表示装置組立体においても、同様である。
【００２１】
更には、以上に説明した好ましい構成を含む本発明の発光装置において、光源は、発光ダイオードから成ることが望ましい。
【００２２】
本発明の第１の態様に係るカラー液晶表示装置組立体において、フィルターは、第３原色発光領域から出射された光の一部も通過させる形態とすることが好ましい。即ち、第３原色発光領域から出射された光の一部を通過させる黄色のフィルターを更に備えている形態とすることが好ましい。あるいは又、第３原色発光領域から出射された光の一部を通過させる橙色（オレンジ色）のフィルターを更に備えている形態とすることが好ましい。尚、第１原色光通過領域を通過した光の色純度向上のために、第１原色光通過領域を通過した光が通過する青色のフィルターを配置してもよい。
【００２３】
また、上記の好ましい形態を含む本発明の第１の態様に係るカラー液晶表示装置組立体において、
第２原色発光領域は、第２サブピクセルに対応した第１基板の第１面の部分と透明第１電極の部分との間に配置されており、
第３原色発光領域は、第３サブピクセルに対応した第１基板の第１面の部分と透明第１電極の部分との間に配置されており、
第１原色光通過領域は、第１サブピクセルに対応した第１基板の第１面の部分と透明第１電極の部分との間に配置されており、
フィルターは、第２原色発光領域と第１基板の第１面との間に配置されている構成とすることができる。尚、このような構成を、『本発明の第１−Ａの態様に係るカラー液晶表示装置組立体』と呼ぶ。
【００２４】
本発明の第１−Ａの態様に係るカラー液晶表示装置組立体にあっては、第２原色発光領域、第３原色発光領域及び第１原色光通過領域と透明第１電極との間に、第２原色光及び第３原色光を反射する光反射膜が配置されている構成とすることができる。そして、この場合、光反射膜と透明第１電極との間には、第１偏光フィルム（第１偏光板）が配置されていることが好ましい。光反射膜は、第２原色光及び第３原色光を反射し、第１原色光を透過させる。このように、第２原色光及び第３原色光を反射する光反射膜を配置することによって、第２原色発光領域及び第３原色発光領域にて発光した第２原色光及び第３原色光が、第２サブピクセル及び第３サブピクセルに侵入することが無くなり、効率良く第１基板の第２面から出射され、明るく明瞭な画像を得ることができる。以下においても同様である。また、第２原色発光領域、第３原色発光領域及び第１原色光通過領域と光反射膜との間には、平滑化膜が配置されていることが一層好ましい。このように平滑化膜を配置することによって、第２原色発光領域、第３原色発光領域及び第１原色光通過領域の表面の凹凸や厚さの相違を吸収することができ、一層効果的に第２原色光及び第３原色光を第２原色発光領域及び第３原色発光領域側に戻すことができる。
【００２５】
上記の好ましい構成を含む本発明の第１−Ａの態様に係るカラー液晶表示装置組立体においては、第２原色発光領域及び第３原色発光領域とフィルターとの間に、第２原色発光領域において発光した第２原色光をフィルターへと集光する第２集光部材、及び、第３原色発光領域において発光した第３原色光をフィルターへと集光する第３集光部材が更に備えられている構成とすることが望ましく、これによって、視差の発生や光学的クロストークの発生を確実に防止することができる。
【００２６】
以上の好ましい構成を含む本発明の第１−Ａの態様に係るカラー液晶表示装置組立体において、第１原色光通過領域は、第１サブピクセルを通過した第１原色光を拡散させる第１拡散領域から構成されていることが望ましい。尚、上述したとおり、第１原色光通過領域を通過した光の色純度向上のために、第１原色光通過領域を通過した光が通過する青色のフィルターを配置してもよい。また、第１原色光通過領域を通過した光を係る青色のフィルターへと集光する第１集光部材が更に備えられている構成とすることもできる。第１集光部材、第２集光部材及び第３集光部材とフィルターとの間に、平滑化膜を配置してもよい。
【００２７】
ここで、第１集光部材、第２集光部材及び第３集光部材は、屈折率分布型レンズが多数配列されて成るレンズアレイ、レンチキュラーレンズ又はマイクロレンズ・アレイが一体化されて成る構成とすることができる。以下の説明においても同様である。屈折率分布型レンズが多数配列されて成るレンズアレイとして、セルフォックレンズアレイ（日本板硝子株式会社の登録商標）が知られている。
【００２８】
あるいは又、上記の好ましい形態を含む本発明の第１の態様に係るカラー液晶表示装置組立体にあっては、更に、
（ｃ）フロント・パネルに対向し、フロント・パネルに対向した第１面、及び、該第１面に対向した第２面を有する第３基板、
を備えており、
第２原色発光領域は、第２サブピクセルに対応した第１基板の第２面の部分と第３基板の第１面の部分との間に配置されており、
第３原色発光領域は、第３サブピクセルに対応した第１基板の第２面の部分と第３基板の第１面の部分との間に配置されており、
第１原色光通過領域は、第１サブピクセルに対応した第１基板の第２面の部分と第３基板の第１面の部分との間に配置されており、
フィルターは、第２原色発光領域と第３基板の第１面との間に配置されている構成とすることができる。尚、このような構成を、『本発明の第１−Ｂの態様に係るカラー液晶表示装置組立体』と呼ぶ。
【００２９】
本発明の第１−Ｂの態様に係るカラー液晶表示装置組立体にあっては、第２原色発光領域、第３原色発光領域及び第１原色光通過領域と第１基板の第２面との間に、第２原色光及び第３原色光を反射する光反射膜が配置されている構成とすることができる。そして、この場合、光反射膜と第１基板の第２面との間には、第１偏光フィルム（第１偏光板）が配置されていることが好ましい。光反射膜は、第２原色光及び第３原色光を反射し、第１原色光を透過させる。また、第２原色発光領域、第３原色発光領域及び第１原色光通過領域と光反射膜との間に平滑化膜を配置すれば、第２原色発光領域、第３原色発光領域及び第１原色光通過領域の表面の凹凸や厚さの相違を吸収することができ、一層効果的に第２原色光及び第３原色光を第２原色発光領域及び第３原色発光領域側に戻すことができる。
【００３０】
上記の好ましい構成を含む本発明の第１−Ｂの態様に係るカラー液晶表示装置組立体においては、第２原色発光領域及び第３原色発光領域と第１基板の第２面との間に、第１原色光を第２原色発光領域へと集光する第２集光部材、及び、第１原色光を第３原色発光領域へと集光する第３集光部材が更に備えられている構成とすることが望ましく、これによって、視差の発生や光学的クロストークの発生を確実に防止することができる。第２集光部材及び第３集光部材とフィルターとの間に、平滑化膜を配置してもよい。
【００３１】
以上の好ましい構成を含む本発明の第１−Ｂの態様に係るカラー液晶表示装置組立体において、第１原色光通過領域は、第１サブピクセルを通過した第１原色光を拡散させる第１拡散領域から構成されていることが望ましい。尚、上述したとおり、第１原色光通過領域を通過した光の色純度向上のために、第１原色光通過領域と第３基板の第１面との間に青色のフィルターを配置してもよい。また、第１サブピクセルを通過した第１原色光を第１原色光通過領域へと集光する第１集光部材が、第１原色光通過領域と第１基板の第２面との間に更に備えられている構成とすることもできる。
【００３２】
本発明の第２の態様に係るカラー液晶表示装置組立体においても、フィルターは、第３原色発光領域から出射された光の一部も通過させる形態とすることが好ましい。即ち、第３原色発光領域から出射された光の一部を通過させる黄色のフィルターを更に備えている形態とすることが好ましい。あるいは又、第３原色発光領域から出射された光の一部を通過させる橙色（オレンジ色）のフィルターを更に備えている形態とすることが好ましい。尚、第１原色光通過領域を通過した光の色純度向上のために、第１原色光通過領域を通過した光が通過する青色のフィルターを配置してもよい。
【００３３】
以上の好ましい形態を含む本発明の第２の態様に係るカラー液晶表示装置組立体にあっては、フィルターは、第１基板の第１面と透明第１電極との間に配置されている形態とすることができる。
【００３４】
また、上記の好ましい各種の形態を含む本発明の第２の態様に係るカラー液晶表示装置組立体にあっては、
第２原色発光領域は、第２サブピクセルに対応した第２基板の第１面の部分と透明第２電極の部分との間に配置されており、
第３原色発光領域は、第３サブピクセルに対応した第２基板の第１面の部分と透明第２電極の部分との間に配置されている構成とすることができる。尚、このような構成を、便宜上、『本発明の第２−Ａの態様に係るカラー液晶表示装置組立体』と呼ぶ。
【００３５】
そして、本発明の第２−Ａの態様に係るカラー液晶表示装置組立体にあっては、
（Ｃ）第２原色発光領域において発光した第２原色光を第２サブピクセルへと集光する第２集光部材、及び、
（Ｄ）第３原色発光領域において発光した第３原色光を第３サブピクセルへと集光する第３集光部材、
を更に備えており、
第２集光部材は、第２原色発光領域と透明第２電極との間に配置されており、
第３集光部材は、第３原色発光領域と透明第２電極との間に配置されている構成とすることができる。
【００３６】
上記の好ましい構成を含む本発明の第２−Ａの態様に係るカラー液晶表示装置組立体においては、第２基板の第１面と透明第２電極との間に配置され、光源から出射された第１原色光を第１サブピクセルへと集光する第１集光部材を更に備えている構成とすることが好ましい。そして、更には、第１集光部材、第２集光部材及び第３集光部材と透明第２電極との間には、第２偏光フィルム（第２偏光板）が配置されていることが好ましい。また、第１集光部材、第２集光部材及び第３集光部材と第２偏光フィルムとの間に平滑化膜を配置すれば、第１集光部材、第２集光部材及び第３集光部材表面の凹凸や厚さの相違を吸収することができる。
【００３７】
上記の各種の好ましい構成を含む本発明の第２−Ａの態様に係るカラー液晶表示装置組立体において、第２原色発光領域及び第３原色発光領域と第２基板の第１面との間には、第２原色光及び第３原色光を反射する光反射膜が配置されていることが望ましい。光反射膜は、第２原色光及び第３原色光を反射し、第１原色光を透過する。光反射膜を配置することによって、効果的に第２原色光及び第３原色光を第２原色発光領域及び第３原色発光領域側に戻すことができる。尚、第１原色光通過領域と第２基板の第１面との間にも光反射膜を配置することが、構造の簡素化といった観点から好ましい。
【００３８】
また、上記の好ましい各種の形態を含む本発明の第２の態様に係るカラー液晶表示装置組立体にあっては、更に、
（ｃ）リア・パネルと面状光源装置との間に配置され、リア・パネルに対向した第１面、及び、面状光源装置に対向した第２面を有する第３基板、
を備えており、
第２原色発光領域は、第２サブピクセルに対応した第３基板の第１面の部分と第２基板の第２面の部分との間に配置されており、
第３原色発光領域は、第３サブピクセルに対応した第３基板の第１面の部分と第２基板の第２面の部分との間に配置されている構成とすることができる。尚、このような構成を、便宜上、『本発明の第２−Ｂの態様に係るカラー液晶表示装置組立体』と呼ぶ。
【００３９】
そして、本発明の第２−Ｂの態様に係るカラー液晶表示装置組立体にあっては、更に、
（Ｃ）第２原色発光領域において発光した第２原色光を第２サブピクセルへと集光する第２集光部材、及び、
（Ｄ）第３原色発光領域において発光した第３原色光を第３サブピクセルへと集光する第３集光部材、
を備えており、
第２集光部材は、第３基板の第１面と第２基板の第２面との間に配置されており、
第３集光部材は、第３基板の第１面と第２基板の第２面との間に配置されている構成とすることができる。
【００４０】
上記の好ましい構成を含む本発明の第２−Ｂの態様に係るカラー液晶表示装置組立体においては、第３基板の第１面と第２基板の第２面との間に配置され、光源から出射された第１原色光を第１サブピクセルへと集光する第１集光部材を更に備えている構成とすることが好ましい。そして、この場合、第１集光部材、第２集光部材及び第３集光部材は、屈折率分布型レンズが多数配列されて成るレンズアレイ、レンチキュラーレンズ又はマイクロレンズ・アレイが一体化されて成る構成とすることができる。そして、更には、第１集光部材、第２集光部材及び第３集光部材と第２基板の第２面との間には、第２偏光フィルム（第２偏光板）が配置されていることが好ましい。また、第１集光部材、第２集光部材及び第３集光部材と第２偏光フィルムとの間に平滑化膜を配置すれば、第１集光部材、第２集光部材及び第３集光部材表面の凹凸を吸収することができる。
【００４１】
以上に説明した各種の好ましい構成を含む本発明の第２−Ｂの態様に係るカラー液晶表示装置組立体において、第２原色発光領域及び第３原色発光領域と第３基板の第１面との間には、第２原色光及び第３原色光を反射する光反射膜が配置されていることが望ましい。光反射膜は、第２原色光及び第３原色光を反射し、第１原色光を透過する。光反射膜を配置することによって、効果的に第２原色光及び第３原色光を第２原色発光領域及び第３原色発光領域側に戻すことができる。尚、第１原色光通過領域と第３基板の第１面との間にも光反射膜を配置することが、構造の簡素化といった観点から好ましい。
【００４２】
一方、本発明の第３の態様に係るカラー液晶表示装置組立体にあっては、
第２原色発光領域は、第２サブピクセルに対応した第１基板の第１面の部分と透明第１電極の部分との間に配置されており、
第１原色光通過領域は、第１サブピクセルに対応した第１基板の第１面の部分と透明第１電極の部分との間に配置されており、
第３原色光通過領域は、第３サブピクセルに対応した第１基板の第１面の部分と透明第１電極の部分との間に配置されており、
フィルターは、第２原色発光領域、第１原色光通過領域及び第３原色光通過領域と第１基板の第１面との間に配置されている構成とすることができる。尚、このような構成を、『本発明の第３−Ａの態様に係るカラー液晶表示装置組立体』と呼ぶ。
【００４３】
そして、本発明の第３−Ａの態様に係るカラー液晶表示装置組立体にあっては、第２原色発光領域と透明第１電極との間に、第３原色光侵入阻止膜が配置されている構成とすることができる。また、第２原色光及び第３原色光を反射する光反射膜を、第１原色光通過領域と透明第１電極との間に配置してもよい。そして、これらの場合、第３原色光侵入阻止膜及び光反射膜と透明第１電極との間には、第１偏光フィルム（第１偏光板）が配置されていることが好ましい。以下においても、同様である。光反射膜は、第２原色光及び第３原色光を反射し、第１原色光を透過させる。第３原色光侵入阻止膜を係る光反射膜から構成すれば、第２原色発光領域にて発光した第２原色光及び第３原色光が第２サブピクセルに侵入することが無くなり、効率良く第１基板の第２面から出射され、明るく明瞭な画像を得ることができる。また、光反射膜から成る第３原色光侵入阻止膜によって、第２原色発光領域に入射することなく第３原色光は光源に戻される結果、第３原色光に利用効率の向上を図ることができる。以下においても同様である。また、第２原色発光領域と第３原色光侵入阻止膜との間、第１原色光通過領域と光反射膜との間、並びに、第３原色光通過領域の直下に平滑化膜を配置すれば、第２原色発光領域、第１原色光通過領域及び第３原色光通過領域の表面の凹凸や厚さの相違を吸収することができ、一層効果的に第２原色光を第２原色発光領域側に戻すことができる。第１原色光通過領域と透明第１電極との間に係る光反射膜が配置されている構成とすれば、第１フィルター領域に進入する光には第３原色光が含まれなくなるので、第１フィルター領域を、第１原色光に対して透明な空間あるいは樹脂層から構成し、第１原色光通過領域を通過した光の全てを通過させることができる。以下においても同様である。
【００４４】
上記の好ましい構成を含む本発明の第３−Ａの態様に係るカラー液晶表示装置組立体においては、第１原色光通過領域とフィルターとの間に、第１原色光通過領域を通過した光を第１フィルター領域へと集光する第１集光部材、第２原色発光領域とフィルターとの間に、第２原色発光領域において発光した第２原色光を第２フィルター領域へと集光する第２集光部材、第３原色光通過領域とフィルターとの間に、第３原色光通過領域を通過した光を第３フィルター領域へと集光する第３集光部材が更に備えられている構成とすることが望ましく、これによって、視差の発生や光学的クロストークの発生を確実に防止することができる。第１集光部材、第２集光部材及び第３集光部材とフィルターとの間に、平滑化膜を配置してもよい。
【００４５】
以上の好ましい構成を含む本発明の第３−Ａの態様に係るカラー液晶表示装置組立体において、第１原色光通過領域は、第１サブピクセルを通過した第１原色光及び第３原色光を拡散させる第１拡散領域から構成されており、第３原色光通過領域は、第３サブピクセルを通過した第１原色光及び第３原色光を拡散させる第３拡散領域から構成されていることが望ましい。
【００４６】
一方、本発明の第３の態様に係るカラー液晶表示装置組立体にあっては、更に、
（ｃ）フロント・パネルに対向し、フロント・パネルに対向した第１面、及び、該第１面に対向した第２面を有する第３基板、
を備えており、
第２原色発光領域は、第２サブピクセルに対応した第１基板の第２面の部分と第３基板の第１面の部分との間に配置されており、
第１原色光通過領域は、第１サブピクセルに対応した第１基板の第２面の部分と第３基板の第１面の部分との間に配置されており、
第３原色光通過領域は、第３サブピクセルに対応した第１基板の第２面の部分と第３基板の第１面の部分との間に配置されており、
フィルターは、第２原色発光領域、第１原色光通過領域及び第３原色光通過領域と第３基板の第１面との間に配置されている構成とすることができる。尚、このような構成を、『本発明の第３−Ｂの態様に係るカラー液晶表示装置組立体』と呼ぶ。
【００４７】
そして、本発明の第３−Ｂの態様に係るカラー液晶表示装置組立体にあっては、第２原色発光領域と第１基板の第２面との間に、第３原色光侵入阻止膜が配置されている構成とすることができる。また、第２原色光及び第３原色光を反射する光反射膜を、第１原色光通過領域と第１基板の第２面との間に配置してもよい。そして、これらの場合、第３原色光侵入阻止膜及び光反射膜と第１基板の第２面との間には、第１偏光フィルム（第１偏光板）が配置されていることが好ましい。前述したとおり、光反射膜は、第２原色光及び第３原色光を反射し、第１原色光を透過させる。また、第３原色光侵入阻止膜と第２原色発光領域との間及び第１原色光通過領域と光反射膜との間、並びに、第３原色光通過領域の直下に平滑化膜を配置すれば、第２原色発光領域、第１原色光通過領域及び第３原色光通過領域の表面の凹凸や厚さの相違を吸収することができ、一層効果的に第２原色光を第２原色発光領域側に戻すことができる。第１原色光通過領域と第１基板の第２面との間に係る光反射膜が配置されている構成とすれば、第１フィルター領域に進入する光には第３原色光が含まれなくなるので、第１フィルター領域を、第１原色光に対して透明な空間あるいは樹脂層から構成し、第１原色光通過領域を通過した光の全てを通過させることができる。以下においても同様である。
【００４８】
上記の好ましい構成を含む本発明の第３−Ｂの態様に係るカラー液晶表示装置組立体においては、第２原色発光領域、第１原色光通過領域及び第３原色光通過領域と第１基板の第２面との間に、第１原色光及び第３原色光を第１原色光通過領域へと集光する第１集光部材、第１原色光及び第３原色光を第２原色発光領域へと集光する第２集光部材、並びに、第１原色光及び第３原色光を第３原色光通過領域へと集光する第３集光部材が更に備えられている構成とすることが望ましく、これによって、視差の発生や光学的クロストークの発生を確実に防止することができる。第１集光部材、第２集光部材及び第３集光部材と第３原色光侵入阻止膜及び光反射膜との間に、前述した平滑化膜を配置してもよい。
【００４９】
以上の好ましい構成を含む本発明の第３−Ｂの態様に係るカラー液晶表示装置組立体において、第１原色光通過領域は、第１サブピクセルを通過した第１原色光及び第３原色光を拡散させる第１拡散領域から構成されており、第３原色光通過領域は、第３サブピクセルを通過した第１原色光及び第３原色光を拡散させる第３拡散領域から構成されていることが望ましい。
【００５０】
本発明の第４の態様に係るカラー液晶表示装置組立体にあっては、フィルターは、第１基板の第１面と透明第１電極との間に配置されている形態とすることができる。
【００５１】
上記の好ましい形態を含む本発明の第４の態様に係るカラー液晶表示装置組立体にあっては、第２原色発光領域は、第２サブピクセルに対応した第２基板の第１面の部分と透明第２電極の部分との間に配置されている構成とすることができる。尚、このような構成を、便宜上、『本発明の第４−Ａの態様に係るカラー液晶表示装置組立体』と呼ぶ。
【００５２】
そして、本発明の第４−Ａの態様に係るカラー液晶表示装置組立体にあっては、
（Ｃ）第２原色発光領域において発光した第２原色光を第２サブピクセルへと集光する第２集光部材、
を更に備えており、
第２集光部材は、第２原色発光領域と透明第２電極との間に配置されている構成とすることができる。
【００５３】
そして、本発明の第４−Ａの態様に係るカラー液晶表示装置組立体においては、第２基板の第１面と透明第２電極との間に配置され、第１原色光通過領域を通過した第１原色光及び第３原色光を第１サブピクセルへと集光する第１集光部材、並びに、第３原色光通過領域を通過した第１原色光及び第３原色光を第３サブピクセルへと集光する第３集光部材を更に備えている構成とすることが好ましい。そして、更には、第１集光部材、第２集光部材及び第３集光部材と透明第２電極との間には、第２偏光フィルム（第２偏光板）が配置されていることが好ましい。また、第１集光部材、第２集光部材及び第３集光部材と第２偏光フィルムとの間に平滑化膜を配置すれば、第１集光部材、第２集光部材及び第３集光部材表面の凹凸や厚さの相違を吸収することができる。
【００５４】
また、上記の各種の好ましい構成を含む本発明の第４−Ａの態様に係るカラー液晶表示装置組立体において、第２原色発光領域と第２基板の第１面との間に、第３原色光侵入阻止膜が配置されていることが望ましい。光反射膜から成る第３原色光侵入阻止膜を配置することによって、効果的に第２原色光を第２原色発光領域側に戻すことができる。また、第１原色光通過領域と第２基板の第１面との間に光反射膜を配置することが、構造の簡素化といった観点から好ましく、このような構成とすれば、第１フィルター領域に進入する光には第３原色光が含まれなくなるので、第１フィルター領域を、第１原色光に対して透明な空間あるいは樹脂層から構成し、第１原色光通過領域を通過した光の全てを通過させることができる。以下においても同様である。
【００５５】
また、上記の好ましい形態を含む本発明の第４の態様に係るカラー液晶表示装置組立体にあっては、更に、
（ｃ）リア・パネルと面状光源装置との間に配置され、リア・パネルに対向した第１面、及び、面状光源装置に対向した第２面を有する第３基板、
を備えており、
第２原色発光領域は、第２サブピクセルに対応した第３基板の第１面の部分と第２基板の第２面の部分との間に配置されている構成とすることができる。尚、このような構成を、便宜上、『本発明の第４−Ｂの態様に係るカラー液晶表示装置組立体』と呼ぶ。
【００５６】
そして、本発明の第４−Ｂの態様に係るカラー液晶表示装置組立体にあっては、更に、
（Ｃ）第２原色発光領域において発光した第２原色光を第２サブピクセルへと集光する第２集光部材、
を備えており、
第２集光部材は、第３基板の第１面と第２基板の第２面との間に配置されている構成とすることができる。
【００５７】
上記の好ましい構成を含む本発明の第４−Ｂの態様に係るカラー液晶表示装置組立体においては、第３基板の第１面と第２基板の第２面との間に配置され、光源から出射された第１原色光及び第３原色光を第１サブピクセルへと集光する第１集光部材、並びに、光源から出射された第１原色光及び第３原色光を第３サブピクセルへと集光する第３集光部材を更に備えている構成とすることが好ましい。そして、更には、第１集光部材、第２集光部材及び第３集光部材と第２基板の第２面との間には、第２偏光フィルム（第２偏光板）が配置されていることが好ましい。また、第１集光部材、第２集光部材及び第３集光部材と第２偏光フィルムとの間に平滑化膜を配置すれば、第１集光部材、第２集光部材及び第３集光部材表面の凹凸を吸収することができる。
【００５８】
以上に説明した各種の好ましい構成を含む本発明の第４−Ｂの態様に係るカラー液晶表示装置組立体において、第２原色発光領域と第３基板の第１面との間に、第３原色光侵入阻止膜が配置されていることが望ましい。光反射膜から成る第３原色光侵入阻止膜を配置することによって、効果的に第２原色光及び第３原色光を第２原色発光領域及び第３原色発光領域側に戻すことができる。また、第１原色光通過領域と第３基板の第１面との間に光反射膜を配置することが、構造の簡素化といった観点から好ましく、このような構成とすれば、第１フィルター領域に進入する光には第３原色光が含まれなくなるので、第１フィルター領域を、第１原色光に対して透明な空間あるいは樹脂層から構成し、第１原色光通過領域を通過した光の全てを通過させることができる。以下においても同様である。
【００５９】
上記の各種の好ましい構成を含む本発明の第１−Ｂの態様あるいは第３−Ｂの態様に係るカラー液晶表示装置組立体において、第１基板の厚さは０．２ｍｍ以下、好ましくは、例えば、０．０５ｍｍ乃至０．１ｍｍであることが望ましい。このように第１基板の厚さを薄くすることで、サブピクセル（液晶セル）から出射した光が対応する発光領域に隣接した発光領域に入射するといった光学的クロストークの発生を、一層確実に防止することができる。
【００６０】
一方、上記の各種の好ましい構成を含む本発明の第２−Ｂの態様あるいは第４−Ｂの態様に係るカラー液晶表示装置組立体において、第２基板の厚さは０．２ｍｍ以下、好ましくは、例えば、０．０５ｍｍ乃至０．１ｍｍであることが望ましい。このように第２基板の厚さを薄くすることで、第２原色発光領域や第３原色発光領域から出射した光が対応するサブピクセル（液晶セル）に隣接したサブピクセル（液晶セル）に入射するといった光学的クロストークの発生を、一層確実に防止することができる。
【００６１】
また、以上に説明した各種の好ましい形態、構成を含む本発明の第１の態様あるいは第３の態様に係るカラー液晶表示装置組立体において、液晶制御モードは、本質的には任意の液晶制御モードとすることができるが、ＩＰＳモードやＶＡモードといった広視野角特性を有する制御モードは、特に必要とはされず、例えばＴＮ（Twisted Nematic）配列やＳＴＮ（Super Twisted Nematic）配列といった構造に基づく安価なＴＮ制御モードあるいはＳＴＮ制御モードを用いることが可能である。
【００６２】
一方、以上に説明した各種の好ましい形態、構成を含む本発明の第２の態様あるいは第４の態様に係るカラー液晶表示装置組立体において、液晶制御モードは、本質的には任意の液晶制御モードとすることができるが、中でも、ＩＰＳモードやＶＡモードといった広視野角特性を有する制御モードを用いることが好ましい。また、第１原色光通過領域や第３原色光通過領域には、例えば、透明樹脂を充填してもよいし、何もしなくともよい。
【００６３】
以上に説明した種々の好ましい形態、構成を含む本発明の第１の態様〜第４の態様に係るカラー液晶表示装置組立体（以下、これらを総称して、『本発明のカラー液晶表示装置組立体』と呼ぶ場合がある）において、第１サブピクセル（第１液晶セルに相当する）、第２サブピクセル（第２液晶セルに相当する）、第３サブピクセル（第３液晶セルに相当する）のそれぞれは、透明第１電極、透明第２電極、及び、透明第１電極と透明第２電極とによって挟まれた液晶材料から構成されている。
【００６４】
本発明のカラー液晶表示装置組立体において、第１原色光通過領域あるいは第１原色光通過領域の大きさと第１サブピクセルが実際に光を通過させる部分の大きさとは、同じ大きさであってもよいし、前者が大きくてもよいし、後者が大きくてもよい。更には、第１原色光通過領域あるいは第１原色光通過領域の外形形状と第１サブピクセルが実際に光を通過させる部分の外形形状とは、同形であってもよいし、相似形であってもよいし、異なる形状であってもよい。第２原色発光領域の大きさと第２サブピクセルが実際に光を通過させる部分の大きさとは、同じ大きさであってもよいし、前者が大きくてもよいし、後者が大きくてもよい。更には、第２原色発光領域の外形形状と第２サブピクセルが実際に第１原色光を通過させる部分の外形形状とは、同形であってもよいし、相似形であってもよいし、異なる形状であってもよい。第３原色光通過領域あるいは第３原色発光領域の大きさと第３サブピクセルが実際に光を通過させる部分の大きさとは、同じ大きさであってもよいし、前者が大きくてもよいし、後者が大きくてもよい。更には、第３原色光通過領域あるいは第３原色発光領域の外形形状と第３サブピクセルが実際に光を通過させる部分の外形形状とは、同形であってもよいし、相似形であってもよいし、異なる形状であってもよい。
【００６５】
本発明のカラー液晶表示装置組立体において、黄色のフィルターは、４７０ｎｍ以下の波長の光を遮断するフィルターであることが望ましく、青色のフィルターは、５５０ｎｍ以上の波長の光を遮断するフィルターであることが望ましい。ここで、４７０ｎｍ以下の波長の光を遮断するフィルターとは、４７０ｎｍ以上の波長の光のスペクトルにおける最高光強度を１００％としたとき、４７０ｎｍにおける光の光強度が５％以下であるフィルターを意味する。一方、５５０ｎｍ以上の波長の光を遮断するフィルターとは、５５０ｎｍ以下の波長の光のスペクトルにおける最高光強度を１００％としたとき、５５０ｎｍにおける光の光強度が５％以下であるフィルターを意味する。橙色のフィルターは、５００ｎｍ以下の波長の光を遮断するフィルターであることが望ましい。５００ｎｍ以下の波長の光を遮断するフィルターとは、５００ｎｍ以上の波長の光のスペクトルにおける最高光強度を１００％としたとき、５００ｎｍにおける光の光強度が５％以下であるフィルターを意味する。
【００６６】
尚、以上に説明した各種の好ましい形態、構成を含む本発明の第１の態様あるいは第２の態様に係るカラー液晶表示装置組立体における第１サブピクセル、第２サブピクセル、第３サブピクセルとフィルターとの関係、以上に説明した各種の好ましい形態、構成を含む本発明の第３の態様あるいは第４の態様に係るカラー液晶表示装置組立体における第１サブピクセル、第２サブピクセル、第３サブピクセルとフィルターとの関係を、以下の表１に纏めておく。
【００６７】
2009145657.tif 000003
【００６８】
以上に説明した各種の好ましい形態、構成を含む本発明の第１の態様あるいは第２の態様に係るカラー液晶表示装置組立体において、光源は、第１原色光としての青色の光（例えば、波長λ1：４００ｎｍ乃至４６０ｎｍ、好ましくは４４０ｎｍ乃至４６０ｎｍの範囲内のいずれかの値の波長）を出射する発光ダイオード、蛍光ランプ、エレクトロルミネッセンス発光装置、又は、プラズマ表示装置から成る構成とすることができるが、中でも、発光ダイオードから成る構成とすることが好ましい。また、以上に説明した各種の好ましい形態、構成を含む本発明の第３の態様あるいは第４の態様に係るカラー液晶表示装置組立体において、光源は、第１原色光としての青色の光（例えば、波長λ1：４００ｎｍ乃至４６０ｎｍ、好ましくは４４０ｎｍ乃至４６０ｎｍの範囲内のいずれかの値の波長）を出射する発光ダイオード、及び、第３原色光としての赤色の光（例えば、波長λ3：６００ｎｍ乃至６７０ｎｍの範囲内のいずれかの値の波長）を出射する発光ダイオードから構成することができる。本発明の発光装置において、光源を発光ダイオードから構成する場合、発光ダイオードが出射する第１原色光としての青色の光の波長λ1は、例えば、波長λ1：上述したとおり４００ｎｍ乃至４６０ｎｍ、好ましくは４４０ｎｍ乃至４６０ｎｍの範囲内のいずれかの値の波長であることが望ましい。
【００６９】
本発明の第１の態様あるいは第２の態様に係るカラー液晶表示装置組立体にあっては、第１原色光通過領域の面積をＬＳ1、第２原色発光領域の面積をＬＳ2、第３原色発光領域の面積をＬＳ3としたとき、
ＬＳ2≧ＬＳ3＞ＬＳ1    （１）
を満足することが好ましい。そして、この場合、本発明の第１の態様に係るカラー液晶表示装置組立体にあっては、
１．０＜ＬＳ2／ＬＳ1＜４．０    （１−１）
１．０＜ＬＳ3／ＬＳ1＜４．０    （１−２）
１≦ＬＳ2／ＬＳ3≦２            （１−３）
を満足することが望ましく、あるいは又、本発明の第２の態様に係るカラー液晶表示装置組立体にあっては、
１．５＜ＬＳ2／ＬＳ1＜３．０    （１−４）
１．３＜ＬＳ3／ＬＳ1＜２．５    （１−５）
１≦ＬＳ2／ＬＳ3≦１．５        （１−６）
を満足することが望ましい。そして、このような構成を含む本発明の第１の態様あるいは第２の態様に係るカラー液晶表示装置組立体にあっては、第１原色光を通過させる第１サブピクセルの部分の面積をＰＸ1、第１原色光を通過させる第２サブピクセルの部分の面積をＰＸ2、第１原色光を通過させる第３サブピクセルの部分の面積をＰＸ3としたとき、
ＰＸ1：ＰＸ2：ＰＸ3＝ＬＳ1：ＬＳ2：ＬＳ3    （２）
を満足することが望ましい。尚、式（２）において、左辺と右辺とは等号で結ばれているが、係る等号には、±２０％のバラツキが許容される。即ち、例えば、（ＰＸ1／ＬＳ1）を基準としたとき、
０．８０×（ＰＸ1／ＬＳ1）≦（ＰＸ2／ＬＳ2）≦１．２０×（ＰＸ1／ＬＳ1）
０．８０×（ＰＸ1／ＬＳ1）≦（ＰＸ3／ＬＳ3）≦１．２０×（ＰＸ1／ＬＳ1）
を意味し、更には、
０．８０×（ＰＸ2／ＬＳ2）≦（ＰＸ3／ＬＳ3）≦１．２０×（ＰＸ2／ＬＳ2）
を意味する。
【００７０】
本発明のカラー液晶表示装置組立体において、第１基板、第２基板、第３基板として、ガラス基板、表面に絶縁膜が形成されたガラス基板、石英基板、表面に絶縁膜が形成された石英基板、表面に絶縁膜が形成された半導体基板を挙げることができるが、製造コスト低減の観点からは、ガラス基板、あるいは、表面に絶縁膜が形成されたガラス基板を用いることが好ましい。ガラス基板として、高歪点ガラス、ソーダガラス（Ｎａ2Ｏ・ＣａＯ・ＳｉＯ2）、硼珪酸ガラス（Ｎａ2Ｏ・Ｂ2Ｏ3・ＳｉＯ2）、フォルステライト（２ＭｇＯ・ＳｉＯ2）、鉛ガラス（Ｎａ2Ｏ・ＰｂＯ・ＳｉＯ2）、無アルカリガラスを例示することができる。あるいは又、ポリメチルメタクリレート（ポリメタクリル酸メチル，ＰＭＭＡ）やポリビニルアルコール（ＰＶＡ）、ポリビニルフェノール（ＰＶＰ）、ポリエーテルスルホン（ＰＥＳ）、ポリイミド、ポリカーボネート（ＰＣ）、ポリエチレンテレフタレート（ＰＥＴ）に例示される有機ポリマー（高分子材料から構成された可撓性を有するプラスチック・フィルムやプラスチック・シート、プラスチック基板といった高分子材料の形態を有する）を挙げることができる。
【００７１】
本発明のカラー液晶表示装置組立体において、透明第１電極（共通電極とも呼ばれる）、透明第２電極（画素電極とも呼ばれる）は、例えばＩＴＯ等の周知の材料から構成すればよく、透明第１電極、透明第２電極のパターンは、カラー液晶表示装置に要求される仕様に基づき決定すればよい。
【００７２】
本発明のカラー液晶表示装置組立体において、１つのピクセルは、少なくとも第１サブピクセル、第２サブピクセル及び第３サブピクセルを備えていればよく、第４のサブピクセル、第５のサブピクセル・・・を更に備えていてもよい。第４のサブピクセル、第５のサブピクセル・・・が表示すべき色は、カラー液晶表示装置に要求される仕様に基づき決定すればよく、例えば、輝度向上のための白色、色再現範囲を拡大するための補色、色再現範囲を拡大するためにイエロー色やシアン色、マゼンタ色を例示することができる。サブピクセルの配列状態として、デルタ配列、ストライプ配列、ダイアゴナル配列、レクタングル配列を挙げることができる。本発明の第１−Ａの態様あるいは第３−Ａの態様に係るカラー液晶表示装置組立体にあっては、第ｉ番目の発光領域（ｉ＝４，５・・・）は、第ｉ番目のサブピクセルに対応した第１基板の第１面の部分と透明第１電極の部分との間に配置され、第ｉ番目の色に相当する光を発光する発光粒子から成り、光源から出射され、第ｉ番目のサブピクセルを通過した第１原色光によって励起されて第ｉ番目の色に相当する光を発光する。本発明の第１−Ｂの態様あるいは第３−Ｂの態様に係るカラー液晶表示装置組立体にあっては、第ｉ番目の発光領域（ｉ＝４，５・・・）は、第ｉ番目のサブピクセルに対応した第１基板の第２面の部分と第３基板の第１面の部分との間に配置され、第ｉ番目の色に相当する光を発光する発光粒子から成り、光源から出射され、第ｉ番目のサブピクセルを通過した第１原色光によって励起されて第ｉ番目の色に相当する光を発光する。あるいは又、本発明の第２−Ａの態様あるいは第４−Ａの態様に係るカラー液晶表示装置組立体にあっては、第ｉ番目の発光領域（ｉ＝４，５・・・）は、第ｉ番目のサブピクセルに対応した第２基板の第１面の部分と透明第２電極の部分との間に配置され、第ｉ番目の色に相当する光を発光する発光粒子から成り、光源から出射された第１原色光によって励起されて第ｉ番目の色に相当する光を発光し、第ｉ番目のサブピクセルを照明する。あるいは又、本発明の第２−Ｂの態様あるいは第４−Ｂの態様に係るカラー液晶表示装置組立体にあっては、第ｉ番目の発光領域（ｉ＝４，５・・・）は、第ｉ番目のサブピクセルに対応した第３基板の第１面の部分と第２基板の第２面の部分との間に配置され、第ｉ番目の色に相当する光を発光する発光粒子から成り、光源から出射された第１原色光によって励起されて第ｉ番目の色に相当する光を発光し、第ｉ番目のサブピクセルを照明する。
【００７３】
本発明のカラー液晶表示装置組立体において、光源は、上述したとおり、例えば、第１原色光としての青色の光を出射する発光ダイオード（ＬＥＤ）から構成されているが、係る発光ダイオードは周知の発光ダイオードから構成することができる。また、例えば、第１原色光としての青色の光を出射する蛍光ランプとして、冷陰極線型の蛍光ランプ（ＣＣＦＬ）、熱陰極線型の蛍光ランプ（ＨＣＦＬ）あるいは外部電極型の蛍光ランプ（ＥＥＦＬ，External Electrode Fluorescent Lamp）を挙げることができる。更には、例えば、第１原色光としての青色の光を出射するエレクトロルミネッセンス発光装置として、有機エレクトロルミネッセンス発光装置あるいは無機エレクトロルミネッセンス発光装置を挙げることができる。発光ダイオード（ＬＥＤ）、蛍光ランプ、エレクトロルミネッセンス発光装置の数は本質的に任意であり、面状光源装置に要求される仕様に基づき決定すればよい。発光ダイオードの代わりに、半導体レーザを用いてもよい。
【００７４】
発光ダイオードは、所謂フェイスアップ構造を有していてもよいし、フリップチップ構造を有していてもよい。即ち、発光ダイオードは、基板、及び、基板上に形成された発光層から構成されており、発光層から光が外部に出射される構造としてもよいし、発光層からの光が基板を通過して外部に出射される構造としてもよい。より具体的には、発光ダイオードは、例えば、基板上に形成された第１導電型（例えばｎ型）を有する化合物半導体層から成る第１化合物半導体層、第１化合物半導体層上に形成された活性層、活性層上に形成された第２導電型（例えばｐ型）を有する化合物半導体層から成る第２化合物半導体層の積層構造を有し、第１化合物半導体層に電気的に接続された第１電極、及び、第２化合物半導体層に電気的に接続された第２電極を備えている。発光ダイオードを構成する層は、発光波長に依存して、周知の化合物半導体材料から構成すればよい。
【００７５】
本発明のカラー液晶表示装置組立体において、第２原色発光粒子を、例えば、緑色を発光する蛍光体粒子とする場合、係る緑色発光蛍光体として、（ＭＥ：Ｅｕ）Ｇａ2Ｓ4、（Ｍ：ＲＥ）x（Ｓｉ，Ａｌ）12（Ｏ，Ｎ）16、（Ｍ：Ｔｂ）x（Ｓｉ，Ａｌ）12（Ｏ，Ｎ）16、（Ｍ：Ｙｂ）x（Ｓｉ，Ａｌ）12（Ｏ，Ｎ）16、ＬａＰＯ4：Ｃｅ，Ｔｂ、ＢａＭｇＡｌ10Ｏ17：Ｅｕ，Ｍｎ、Ｚｎ2ＳｉＯ4：Ｍｎ、ＭｇＡｌ11Ｏ19：Ｃｅ，Ｔｂ、Ｙ2ＳｉＯ5：Ｃｅ，Ｔｂ、ＭｇＡｌ11Ｏ19：ＣＥ，Ｔｂ，Ｍｎ、（Ｓｒ，Ｂａ）2ＳｉＯ4：Ｅｕを挙げることができる。第３原色発光粒子を、例えば、赤色を発光する蛍光体粒子とする場合、係る赤色発光蛍光体として、（ＭＥ：Ｅｕ）Ｓ、（Ｍ：Ｓｍ）x（Ｓｉ，Ａｌ）12（Ｏ，Ｎ）16、ＭＥ2Ｓｉ5Ｎ8：Ｅｕ、（Ｃａ：Ｅｕ）ＳｉＮ2、（Ｃａ：Ｅｕ）ＡｌＳｉＮ3、Ｙ2Ｏ3：Ｅｕ、ＹＶＯ4：Ｅｕ、Ｙ（Ｐ，Ｖ）Ｏ4：Ｅｕ、３．５ＭｇＯ・０．５ＭｇＦ2・Ｇｅ2：Ｍｎ、ＣａＳｉＯ3：Ｐｂ，Ｍｎ、Ｍｇ6ＡｓＯ11：Ｍｎ、（Ｓｒ，Ｍｇ）3（ＰＯ4）3：Ｓｎ、Ｌａ2Ｏ2Ｓ：Ｅｕ、Ｙ2Ｏ2Ｓ：Ｅｕを挙げることができる。ここで、「ＭＥ」は、Ｃａ、Ｓｒ及びＢａから成る群から選択された少なくとも１種類の原子を意味し、「Ｍ」は、Ｌｉ、Ｍｇ及びＣａから成る群から選択された少なくとも１種類の原子を意味し、「ＲＥ」は、Ｔｂ及びＹｂを意味する。場合によっては、例えば、シアン色を発光する構成としてもよく、この場合には、緑色発光蛍光体粒子（例えば、ＬａＰＯ4：Ｃｅ，Ｔｂ、ＢａＭｇＡｌ10Ｏ17：Ｅｕ，Ｍｎ、Ｚｎ2ＳｉＯ4：Ｍｎ、ＭｇＡｌ11Ｏ19：Ｃｅ，Ｔｂ、Ｙ2ＳｉＯ5：Ｃｅ，Ｔｂ、ＭｇＡｌ11Ｏ19：ＣＥ，Ｔｂ，Ｍｎ）と青色発光蛍光体粒子（例えば、ＢａＭｇＡｌ10Ｏ17：Ｅｕ、ＢａＭｇ2Ａｌ16Ｏ27：Ｅｕ、Ｓｒ2Ｐ2Ｏ7：Ｅｕ、Ｓｒ5（ＰＯ4）3Ｃｌ：Ｅｕ、（Ｓｒ，Ｃａ，Ｂａ，Ｍｇ）5（ＰＯ4）3Ｃｌ：Ｅｕ、ＣａＷＯ4、ＣａＷＯ4：Ｐｂ）を混合したものを用いればよいし、あるいは又、シアン色発光蛍光体粒子（ＢａＳｉ2Ｏ2Ｎ3：Ｅｕ、Ｌｉ2ＣａＳｉＯ4：Ｅｕ、ＬｉＳｒＰＯ4：Ｅｕ）を用いればよい。本発明の発光装置においても、第２原色発光粒子は上記と同様とすればよい。
【００７６】
蛍光体粒子から成る第２原色発光領域や第３原色発光領域は、蛍光体粒子から調製された蛍光体粒子組成物を使用し、例えば、赤色の感光性の蛍光体粒子組成物（赤色発光蛍光体スラリー）を全面に塗布し、露光、現像して、赤色発光蛍光体層から成る第３原色発光領域を形成し、次いで、緑色の感光性の蛍光体粒子組成物（緑色発光蛍光体スラリー）を全面に塗布し、露光、現像して、緑色発光蛍光体層から成る第２原色発光領域を形成すればよい。尚、第３原色発光領域の形成と第２原色発光領域の形成の順序を逆にしてもよい。あるいは又、赤色発光蛍光体スラリー、緑色発光蛍光体スラリーを順次塗布した後、各蛍光体スラリーを順次露光、現像して、第３原色発光領域、第２原色発光領域を形成してもよいし、スクリーン印刷法やインクジェット印刷法、フロート塗布法、沈降塗布法、蛍光体フィルム転写法等により第２原色発光領域、第３原色発光領域を形成してもよい。
【００７７】
但し、第２原色発光領域や第３原色発光領域を構成する材料は、発光蛍光粒子に限定されず、例えば、間接遷移型のシリコン系材料において、直接遷移型のように、キャリアを効率良く光へ変換させるために、キャリアの波動関数を局所化し、量子効果を用いた、２次元量子井戸構造、１次元量子井戸構造（量子細線）、０次元量子井戸構造（量子ドット）等の量子井戸構造を適用した発光粒子を挙げることもできるし、半導体材料に添加された希土類原子は殻内遷移により鋭く発光することが知られており、このような技術を適用した発光粒子を挙げることもできる。
【００７８】
本発明のカラー液晶表示装置組立体において、第１原色光通過領域や第３原色光通過領域を拡散領域から構成する場合、拡散領域は、例えば、透明バインダー樹脂中に微粒子から成る光拡散剤が分散されて成り、例えば、スクリーン印刷法やインクジェット印刷法といった各種の塗布法によって形成することができる。光拡散剤は、光源からの光を拡散させる性質を有する粒子であり、無機材料粒子あるいは有機材料粒子から構成されている。無機材料粒子を構成する無機材料として、具体的には、シリカ、水酸化アルミニウム、酸化アルミニウム、酸化チタン、酸化亜鉛、硫酸バリウム、マグネシウムシリケート、又は、これらの混合物を例示することができる。一方、有機材料粒子を構成する樹脂として、アクリル系樹脂、アクリロニトリル系樹脂、ポリウレタン系樹脂、ポリ塩化ビニル系樹脂、ポリスチレン系樹脂、ポリアクリロニトリル系樹脂、ポリアミド系樹脂、ポリシロキサン系樹脂、メラミン系樹脂を例示することができる。光拡散剤の形状として、例えば、球状、立方状、針状、棒状、紡錘形状、板状、鱗片状、繊維状を挙げることができる。場合によっては、拡散領域を光拡散シート（光拡散フィルム）から構成してもよい。尚、係る光拡散シート（光拡散フィルム）を、第１基板や第３基板の第１面と第２原色発光領域との間、第１基板や第３基板の第１面と第３原色発光領域との間にまで延在させてもよい。透明バインダー樹脂は、周知の熱硬化性樹脂や紫外線硬化型樹脂、熱可塑性樹脂から、適宜、選択すればよい。
【００７９】
第３原色光侵入阻止膜や光反射膜は、例えば、酸化シリコン膜、酸化ニオブ膜、低屈折率材料と高屈折率材料とから成る多層積層膜（例えば、酸化シリコン膜と酸化ニオブ膜とから成る多層積層膜）から構成することができ、例えば、各種の塗布法やスパッタリング法等の物理的気相成長法によって形成することができるし、フィルム状の光反射膜を積層することで配置してもよい。平滑化膜は、例えば、アクリル樹脂やシリコーン樹脂から構成することができ、例えば、各種の塗布法によって形成することができるし、フィルム状の平滑化膜を積層することで配置してもよい。露出したフロント・パネルや第３基板の最外面には、反射防止膜（反射防止フィルム、ＡＲフィルム）を貼り合わせてもよい。尚、第３原色光侵入阻止膜を、上述した５５０ｎｍ以上の波長の光を遮断する青色のフィルターから構成することもできる。
【００８０】
フィルターは、一般に、着色パターン間の隙間を遮光するためのブラックマトリクス（例えば、クロムから成る）と、各サブピクセルに対向した着色層から構成されており、染色法、顔料分散法、印刷法、電着法等によって作製される。着色層は、例えば、樹脂材料から成り、あるいは又、顔料で着色されている。着色層のパターンは、サブピクセルの配列状態（配列パターン）と一致させればよく、デルタ配列、ストライプ配列、ダイアゴナル配列、レクタングル配列を挙げることができる。本発明の第１の態様あるいは第２の態様に係るカラー液晶表示装置組立体において、例えば、黄色のフィルター（黄色の着色層）と青色のフィルター（青色の着色層）、あるいは又、黄色のフィルター（黄色の着色層）と青色のフィルター（青色の着色層）と橙色のフィルター（橙色の着色層）を、一体的に作製すればよい。また、本発明の第３の態様あるいは第４の態様に係るカラー液晶表示装置組立体において、第１フィルター領域、第２フィルター領域及び第３フィルター領域、あるいは又、場合によっては、第２フィルター領域及び第３フィルター領域を、一体的に作製すればよい。
【００８１】
本発明のカラー液晶表示装置組立体において、第２原色発光領域と第３原色発光領域との間の領域、第１原色光通過領域と第２原色発光領域との間の領域、第１原色光通過領域と第３原色発光領域との間の領域、第２原色発光領域と第３原色光通過領域との間の領域、第１原色光通過領域と第３原色光通過領域との間の領域には、光吸収層（所謂ブラックマトリクス）が形成されていてもよい。光吸収層を構成する材料として、第１原色光、第２原色光、第３原色光を９９％以上吸収する材料を選択することが好ましい。このような材料として、カーボン、金属薄膜、耐熱性有機樹脂、ガラスペースト等の材料を挙げることができ、具体的には、感光性ポリイミド樹脂、酸化クロムや、酸化クロム／クロム積層膜を例示することができる。光吸収層は、例えば、真空蒸着法やスパッタリング法とエッチング法との組合せ、真空蒸着法やスパッタリング法、スピンコーティング法とリフトオフ法との組合せ、スクリーン印刷法、リソグラフィ技術等、使用する材料に依存して適宜選択された方法にて形成することができる。
【００８２】
本発明のカラー液晶表示装置組立体におけるカラー液晶表示装置において、透明第１電極上には第１配向膜が形成されており、透明第２電極を含む全面上には第２配向膜が形成されている。また、第２基板の第１面にはスイッチング素子が形成されており、スイッチング素子によって透明第２電極の導通／非導通が制御される。カラー液晶表示装置を構成する各種部材は、周知の部材、材料から構成することができる。尚、スイッチング素子として、単結晶シリコン半導体基板に形成されたＭＯＳ型ＦＥＴや薄膜トランジスタ（ＴＦＴ）といった３端子素子や、ＭＩＭ素子、バリスタ素子、ダイオード等の２端子素子を例示することができる。液晶材料の駆動方式は、使用する液晶材料に適した駆動方式とすればよい。
【００８３】
本発明のカラー液晶表示装置組立体においては、面状光源装置として、直下型の面状光源装置、及び、エッジライト型（サイドライト型）の面状光源装置を挙げることができる。面状光源装置は、拡散シート、プリズムシート、偏光変換シートといった光学機能シート群や、反射シートを更に備えている構成とすることができる。光学機能シート群は、離間配置された各種シートから構成されていてもよいし、積層され一体として構成されていてもよい。光拡散板や光学機能シート群は、面状光源装置とカラー液晶表示装置との間に配置される。光拡散板を構成する材料として、ポリカーボネート樹脂（ＰＣ）、ポリスチレン系樹脂（ＰＳ）、メタクリル樹脂、ノルボルネン系の重合体樹脂である日本ゼオン株式会社製「ゼオノア」（ＺＥＯＮＯＲ）等のシクロオレフィン樹脂を挙げることができる。
【００８４】
直下型の面状光源装置にあっては、面状光源装置を、複数の面状光源ユニットから構成することができる。即ち、複数の面状光源ユニットは、カラー液晶表示装置の表示領域をＰ×Ｑ個の仮想の表示領域ユニットに分割したと想定したときの該Ｐ×Ｑ個の表示領域ユニットに対応したＰ×Ｑ個の面状光源ユニットから成り、面状光源ユニットに備えられた光源は、個別に制御される構成とすることができる。尚、このような構成を、便宜上、『分割駆動方式の面状光源装置』と呼ぶ場合がある。
【００８５】
分割駆動方式の面状光源装置において、光源を発光ダイオードから構成する場合、複数の発光ダイオードが、面状光源装置を構成する筐体内に配置、配列されている。１つの面状光源ユニットには、１又は複数の発光ダイオードが配置されている。光源の発光状態（具体的には、例えば、光源の輝度、あるいは、光源の色度、あるいは、光源の輝度と色度）を測定するための光センサーが配設されていることが望ましい。光センサーの数は、最低１個であればよいが、１個の面状光源ユニットに１つの光センサーが配置されている構成とすることが、各面状光源ユニットの発光状態を確実に測定するといった観点から望ましい。光センサーとして、周知のフォトダイオードやＣＣＤ装置を挙げることができる。
【００８６】
面状光源ユニットと面状光源ユニットとは、隔壁で仕切られている構成とすることもできる。隔壁によって、面状光源ユニットを構成する光源から出射された光の透過が制御され、あるいは又、反射が制御され、あるいは又、透過及び反射が制御される。尚、この場合、１つの面状光源ユニットは、４つの隔壁によって囲まれ、あるいは又、面状光源装置を構成する筐体の１つの側面と３つの隔壁とによって囲まれ、あるいは又、筐体の２つの側面と２つの隔壁とによって囲まれている。隔壁を構成する材料として、例えば、アクリル系樹脂、ポリカーボネート樹脂、ＡＢＳ樹脂を挙げることができる。隔壁表面に光拡散反射機能を付与してもよいし、鏡面反射機能を付与してもよい。隔壁表面に光拡散反射機能を付与するためには、サンドブラスト法に基づき隔壁表面に凹凸を形成したり、凹凸を有するフィルム（光拡散フィルム）を隔壁表面に貼り付ければよい。また、隔壁表面に鏡面反射機能を付与するためには、光反射フィルムを隔壁表面に貼り付けたり、例えばメッキによって隔壁表面に光反射層を形成すればよい。
【００８７】
分割駆動方式にあっては、サブピクセルの光透過率（開口率とも呼ばれる）Ｌｔ、サブピクセルに対応する表示領域の部分の輝度（表示輝度）ｙ、及び、面状光源ユニットの輝度（光源輝度）Ｙを、以下のとおり、定義する。
【００８８】
Ｙ1・・・・光源輝度の、例えば最高輝度であり、以下、光源輝度・第１規定値と呼ぶ場合がある。
Ｌｔ1・・・表示領域ユニットにおけるサブピクセルの光透過率（開口率）の、例えば最大値であり、以下、光透過率・第１規定値と呼ぶ場合がある。
Ｌｔ2・・・光源輝度が光源輝度・第１規定値Ｙ1であるときに、表示領域ユニットを構成する全ての画素を駆動するために駆動回路に入力される駆動信号の値の内の最大値である表示領域ユニット内・駆動信号最大値ｘU-maxに等しい値を有する駆動信号に相当する制御信号がサブピクセルに供給されたと想定したときのサブピクセルの光透過率（開口率）であり、以下、光透過率・第２規定値と呼ぶ場合がある。尚、０≦Ｌｔ2≦Ｌｔ1
ｙ2・・・・光源輝度が光源輝度・第１規定値Ｙ1であり、サブピクセルの光透過率（開口率）が光透過率・第２規定値Ｌｔ2であると仮定したときに得られる表示輝度であり、以下、表示輝度・第２規定値と呼ぶ場合がある。
Ｙ2・・・・表示領域ユニット内・駆動信号最大値ｘU-maxに等しい値を有する駆動信号に相当する制御信号がサブピクセルに供給されたと想定し、しかも、このときのサブピクセルの光透過率（開口率）が光透過率・第１規定値Ｌｔ1に補正されたと仮定したとき、サブピクセルの輝度を表示輝度・第２規定値（ｙ2）とするための面状光源ユニットの光源輝度。但し、光源輝度Ｙ2には、各面状光源ユニットの光源輝度が他の面状光源ユニットの光源輝度に与える影響を考慮した補正が施される場合がある。
【００８９】
面状光源装置の分割駆動時、表示領域ユニット内・駆動信号最大値ｘU-maxに等しい値を有する駆動信号に相当する制御信号が画素に供給されたと想定したときの画素の輝度（光透過率・第１規定値Ｌｔ1における表示輝度・第２規定値ｙ2）が得られるように、表示領域ユニットに対応する面状光源ユニットを構成する光源の輝度を駆動回路によって制御するが、具体的には、例えば、サブピクセルの光透過率（開口率）を、例えば光透過率・第１規定値Ｌｔ1としたときに表示輝度ｙ2が得られるように、光源輝度Ｙ2を制御すればよい（例えば、減少させればよい）。即ち、例えば、以下の式（Ａ）を満足するように、カラー液晶表示装置の画像表示におけるフレーム（便宜上、画像表示フレームと呼ぶ）毎に面状光源ユニットの光源輝度Ｙ2を制御すればよい。尚、Ｙ2≦Ｙ1の関係にある。
【００９０】
Ｙ2・Ｌｔ1＝Ｙ1・Ｌｔ2    （Ａ）
【００９１】
駆動回路は、例えば、パルス幅変調（ＰＷＭ）信号発生回路、デューティ比制御回路、発光ダイオード（ＬＥＤ）駆動回路、演算回路、記憶装置（メモリ）等から構成された面状光源装置制御回路及び面状光源ユニット駆動回路、並びに、タイミングコントローラ等の周知の回路から構成された液晶表示装置駆動回路から構成することができる。
【００９２】
発光ダイオードから出射される光を上方に位置するカラー液晶表示装置に直接入射させる構成とした場合、即ち、発光ダイオードから専らｚ軸方向に沿って光を出射させた場合、面状光源装置に輝度ムラが発生してしまう場合がある。このような現象の発生を回避するための手段として、発光ダイオードに光取出しレンズを取り付けた発光ダイオード組立体を光源として使用し、発光ダイオードから出射された光の一部分が、光取出しレンズの頂面において全反射され、光取出しレンズの水平方向に主に出射される２次元方向出射構成を挙げることができる。
【００９３】
エッジライト型の面状光源装置にあっては、導光板が備えられている。ここで、導光板を構成する材料として、例えば、ガラスや、プラスチック材料（例えば、ＰＭＭＡ、ポリカーボネート樹脂、アクリル系樹脂、非晶性のポリプロピレン系樹脂、ＡＳ樹脂を含むスチレン系樹脂）を挙げることができる。導光板は、第１面（底面）、この第１面と対向した第２面（頂面）、第１側面、第２側面、第１側面と対向した第３側面、及び、第２側面と対向した第４側面を有する。導光板のより具体的な形状として、全体として、楔状の切頭四角錐形状を挙げることができ、この場合、切頭四角錐の２つの対向する側面が第１面及び第２面に相当し、切頭四角錐の底面が第１側面に相当する。そして、第１面（底面）の表面部には凸部及び／又は凹部が設けられていることが望ましい。導光板の第１側面から第１原色光あるいは第１原色光と第２原色光が入射され、第２面（頂面）からカラー液晶表示装置に向けて第１原色光あるいは第１原色光と第２原色光が出射される。ここで、導光板の第２面は、平滑としてもよいし（即ち、鏡面としてもよいし）、拡散効果のあるブラストシボを設けてもよい（即ち、微細な凹凸面とすることもできる）。尚、「第１原色光」及び「第１原色光と第２原色光」を総称して、以下、『第１原色光等』と呼ぶ場合がある。
【００９４】
導光板の第１面（底面）には、凸部及び／又は凹部が設けられていることが望ましい。即ち、導光板の第１面には、凸部が設けられ、あるいは又、凹部が設けられ、あるいは又、凹凸部が設けられていることが望ましい。凹凸部が設けられている場合、凹部と凸部とが連続していてもよいし、不連続であってもよい。導光板の第１面に設けられた凸部及び／又は凹部は、導光板への第１原色光等の入射方向（『第１原色光等入射方向』と呼ぶ）と所定の角度を成す方向に沿って延びる連続した凸部及び／又は凹部である構成とすることができる。このような構成にあっては、導光板への第１原色光等入射方向であって第１面と垂直な仮想平面で導光板を切断したときの連続した凸形状あるいは凹形状の断面形状として、三角形；正方形、長方形、台形を含む任意の四角形；任意の多角形；円形、楕円形、放物線、双曲線、カテナリー等を含む任意の滑らかな曲線を例示することができる。尚、導光板への第１原色光等入射方向と所定の角度を成す方向とは、導光板への第１原色光等入射方向を０度としたとき、６０度〜１２０度の方向を意味する。以下においても同様である。あるいは又、導光板の第１面に設けられた凸部及び／又は凹部は、導光板への第１原色光等入射方向と所定の角度を成す方向に沿って延びる不連続の凸部及び／又は凹部である構成とすることができる。このような構成にあっては、不連続の凸形状あるいは凹形状の形状として、角錐、円錐、円柱、三角柱や四角柱を含む多角柱、球の一部、回転楕円体の一部、回転放物線体の一部、回転双曲線体の一部といった各種の滑らかな曲面を例示することができる。尚、導光板において、場合によっては、第１面の周縁部には凸部や凹部が形成されていなくともよい。更には、光源から出射され、導光板に入射した第１原色光等が導光板の第１面に形成された凸部あるいは凹部に衝突して散乱されるが、導光板の第１面に設けられた凸部あるいは凹部の高さや深さ、ピッチ、形状を、一定としてもよいし、光源から離れるに従い変化させてもよい。後者の場合、例えば凸部あるいは凹部のピッチを光源から離れるに従い、細かくしてもよい。ここで、凸部のピッチ、あるいは、凹部のピッチとは、導光板への第１原色光等入射方向に沿った凸部のピッチ、あるいは、凹部のピッチを意味する。
【００９５】
導光板を備えた面状光源装置にあっては、導光板の第１面に対向して反射部材を配置することが望ましい。導光板の第２面に対向してカラー液晶表示装置が配置されている。光源から出射された第１原色光等は、導光板の第１側面（例えば、切頭四角錐の底面に相当する面）から導光板に入射し、第１面の凸部あるいは凹部に衝突して散乱され、第１面から出射し、反射部材にて反射され、第１面に再び入射し、第２面から出射され、カラー液晶表示装置を照射する。カラー液晶表示装置と導光板の第２面との間に、例えば、拡散シートやプリズムシートを配置してもよい。また、光源から出射された第１原色光等を直接、導光板に導いてもよいし、間接的に導光板に導いてもよい。後者の場合、例えば、光ファイバーを用いればよい。
【００９６】
マトリクス状に配列されたピクセル（画素）の数Ｍ0×Ｎ0を（Ｍ0，Ｎ0）で表記したとき、（Ｍ0，Ｎ0）の値として、具体的には、ＶＧＡ（６４０，４８０）、Ｓ−ＶＧＡ（８００，６００）、ＸＧＡ（１０２４，７６８）、ＡＰＲＣ（１１５２，９００）、Ｓ−ＸＧＡ（１２８０，１０２４）、Ｕ−ＸＧＡ（１６００，１２００）、ＨＤ−ＴＶ（１９２０，１０８０）、Ｑ−ＸＧＡ（２０４８，１５３６）の他、（１９２０，１０３５）、（７２０，４８０）、（１２８０，９６０）等、画像表示用解像度の幾つかを例示することができるが、これらの値に限定するものではない。尚、分割駆動方式を採用する場合、（Ｍ0，Ｎ0）の値と（Ｐ，Ｑ）の値との関係として、限定するものではないが、以下の表２に例示することができる。１つの表示領域ユニットを構成する画素の数として、２０×２０乃至３２０×２４０、好ましくは、５０×５０乃至２００×２００を例示することができる。表示領域ユニットにおける画素の数は、一定であってもよいし、異なっていてもよい。
【００９７】
2009145657.tif 000004
【発明の効果】
【００９８】
第１原色光の波長をλ1、第２原色発光粒子あるいは第２原色発光領域から出射され、フィルターを通過する前の光のスペクトルにおける波長λ1での光強度をＩ2（λ1）としたとき、一般に、第２原色発光領域の厚さを厚くしていくと、あるいは、第２原色発光粒子の単位面積当たりの質量を増加させていくと、第２原色発光領域あるいは第２原色発光粒子による第１原色光の吸収量が増加する結果、Ｉ2（λ1）の値は減少する。一方、Ｉ2（λ2）の値は増加し、輝度は増加するが、次いで、Ｉ2（λ2）の値は減少し、輝度は低下する。従って、Ｉ2（λ1）／Ｉ2（λ2）の値及びＩ2（λ2）の値に基づき、第２原色発光領域の厚さあるいは第２原色発光粒子の単位面積当たりの質量の最適化を図れば、光源からの光束の有効利用効率を向上させることができる。しかも、フィルターを規定することによって、第２原色発光領域あるいは第２原色発光粒子からの発光色の色純度の向上を図ることができるだけでなく、第２原色光の透過率の向上を図ることができるし、電気的エネルギーから光エネルギーへの変換効率が著しく高くなる。
【００９９】
しかも、本発明のカラー液晶表示装置組立体にあっては、黄色のフィルターあるいはフィルター領域を備えているので、外光に含まれる第１原色光（青色光）によって第２発光領域や第３発光領域を構成する第２原色発光粒子や第３原色発光粒子が励起されることがなく、画像の表示品質の一層の向上を図ることができるし、カラー液晶表示装置組立体の表面によって第１原色光（青色光）が反射されることを防止することもできる。また、フィルターによる視野角の調節が可能となる。
【０１００】
また、本発明の第１−Ａの態様に係るカラー液晶表示装置組立体において、第２原色発光領域は、第２サブピクセルに対応した第１基板の第１面の部分と透明第１電極の部分との間に配置されており、第３原色発光領域は、第３サブピクセルに対応した第１基板の第１面の部分と透明第１電極の部分との間に配置されている。一方、本発明の第３−Ａの態様に係るカラー液晶表示装置組立体において、第２原色発光領域は、第２サブピクセルに対応した第１基板の第１面の部分と透明第１電極の部分との間に配置されている。このように、第２サブピクセルから第２原色発光領域までの距離、第３サブピクセルから第３原色発光領域までの距離を短くすることができるので、視差（パララックス）が発生し難い。しかも、第１サブピクセルを通過した第１原色光を拡散させる拡散領域が、第１サブピクセルに対応した第１基板の第１面の部分と透明第１電極の部分との間に配置されているので、第１サブピクセルに基づく画像を明瞭に表示することができるし、第１サブピクセル及び第３サブピクセルを通過した第１原色光及び第３原色光を拡散させる拡散領域が、第１サブピクセル及び第３サブピクセルに対応した第１基板の第１面の部分と透明第１電極の部分との間に配置されているので、第１サブピクセル及び第３サブピクセルに基づく画像を明瞭に表示することができる。
【０１０１】
更には、本発明の第１−Ｂの態様に係るカラー液晶表示装置組立体において、第２原色発光領域は、第２サブピクセルに対応した第１基板の第２面の部分と第３基板の第１面の部分との間に配置されており、第３原色発光領域は、第３サブピクセルに対応した第１基板の第２面の部分と第３基板の第１面の部分との間に配置されている。一方、本発明の第３−Ｂの態様に係るカラー液晶表示装置組立体において、第２原色発光領域は、第２サブピクセルに対応した第１基板の第２面の部分と第３基板の第１面の部分との間に配置されている。そして、第１基板の厚さを適切に選択することで、第２サブピクセルから第２原色発光領域までの距離、第３サブピクセルから第３原色発光領域までの距離を短くすることができるので、視差（パララックス）が発生し難い。しかも、第１サブピクセルを通過した第１原色光を拡散させる拡散領域が、第１サブピクセルに対応した第１基板の第２面の部分と第３基板の第１面の部分との間に配置されているので、第１サブピクセルに基づく画像を明瞭に表示することができるし、第１サブピクセル及び第３サブピクセルを通過した第１原色光及び第３原色光を拡散させる拡散領域が、第１サブピクセル及び第３サブピクセルに対応した第１基板の第２面の部分と第３基板の第１面の部分との間に配置されているので、第１サブピクセル及び第３サブピクセルに基づく画像を明瞭に表示することができる。
【０１０２】
また、本発明の第２−Ａの態様に係るカラー液晶表示装置組立体において、第２原色発光領域は、第２サブピクセルに対応した第２基板の第１面の部分と透明第２電極の部分との間に配置されており、第３原色発光領域は、第３サブピクセルに対応した第２基板の第１面の部分と透明第２電極の部分との間に配置されている。一方、本発明の第４−Ａの態様に係るカラー液晶表示装置組立体において、第２原色発光領域は、第２サブピクセルに対応した第２基板の第１面の部分と透明第２電極の部分との間に配置されている。それ故、第２原色発光領域や第３原色発光領域から出射した光が対応するサブピクセル（液晶セル）に隣接したサブピクセル（液晶セル）に入射するといった光学的クロストークが発生することを確実に防止することができる。
【０１０３】
更には、本発明の第２−Ｂの態様に係るカラー液晶表示装置組立体において、第２原色発光領域は、第２サブピクセルに対応した第３基板の第１面の部分と第２基板の第２面の部分との間に配置されており、第３原色発光領域は、第３サブピクセルに対応した第３基板の第１面の部分と第２基板の第２面の部分との間に配置されている。一方、本発明の第４−Ｂの態様に係るカラー液晶表示装置組立体において、第２原色発光領域は、第２サブピクセルに対応した第３基板の第１面の部分と第２基板の第２面の部分との間に配置されている。それ故、第２原色発光領域や第３原色発光領域から出射した光が対応するサブピクセル（液晶セル）に隣接したサブピクセル（液晶セル）に入射するといった光学的クロストークが発生することを確実に防止することができる。
【０１０４】
加えて、本発明の第１の態様あるいは第２の態様に係るカラー液晶表示装置組立体において、光源からは、白色光が出射されるのではなく、第１原色光が出射される。そして、第２原色光及び第３原色光を発光（出射）する第２原色発光領域及び第３原色発光領域は、従来の技術とは異なり、光源とは別に設けられている。また、本発明の第３の態様あるいは第４の態様に係るカラー液晶表示装置組立体において、光源からは、白色光が出射されるのではなく、第１原色光及び第３原色光が出射される。そして、第２原色光を発光（出射）する第２原色発光領域は、従来の技術とは異なり、光源とは別に設けられている。従って、従来の技術のように、光源から出射された白色光をカラー液晶表示装置に配置されたカラーフィルターを通過させることで所望の色の光を得るといった処理が不要であり、光源において生成される第１原色光等の有効利用効率の向上を図ることができ、その結果、カラー液晶表示装置組立体の消費電力の低下を達成することが可能となる。また、第２原色発光領域や第３原色発光領域を構成する発光粒子の選択の自由度、第２原色発光領域や第３原色発光領域の発光強度の設計自由度を高くすることができる結果、一層発光効率の高いカラー液晶表示装置組立体を得ることが可能となる。
【０１０５】
本発明の第１の態様あるいは第２の態様に係るカラー液晶表示装置組立体において、拡散領域の面積、あるいは又、光源から出射された第１原色光を第１サブピクセルへと通過させる第１原色光通過領域の面積をＬＳ1、第２原色発光領域の面積をＬＳ2、第３原色発光領域の面積をＬＳ3としたとき、ＬＳ2≧ＬＳ3＞ＬＳ1を満足させれば、全白表示部（拡散領域あるいは第１原色光通過領域からの第１原色光と第２原色発光領域からの第２原色光と第３原色発光領域からの第３原色光が混色することで得られる白色光を表示するピクセル）における色度座標（ｘW，ｙW）の値を、所望の値とすることができ、あるいは又、所望の値に近づけることができる。
【０１０６】
本発明の第３の態様あるいは第４の態様に係るカラー液晶表示装置組立体においては、発光領域として第２原色発光領域のみを形成すればよいので、発光領域を形成する工程の簡素化を図ることができるし、例えば、第２原色発光領域を構成する材料と第３原色発光領域を構成する材料とが混ざり合ってしまうといった問題が生じることがない。
【０１０７】
尚、面状光源装置において分割駆動方式（部分駆動方式）を採用し、表示領域ユニット内・駆動信号最大値ｘU-maxに等しい値を有する駆動信号に相当する制御信号が画素に供給されたと想定したときの画素の輝度（光透過率・第１規定値Ｌｔ1における表示輝度・第２規定値ｙ2）が得られるように、表示領域ユニットに対応する面状光源ユニットを構成する光源の輝度を駆動回路によって制御すれば、面状光源装置の消費電力の低減を図ることができるばかりか、白レベルの増加や黒レベルの低下を図り、高いコントラスト比（カラー液晶表示装置の画面表面における、外光反射等を含まない、全黒表示部と全白表示部の輝度比）を得ることができ、所望の表示領域の明るさを強調することが可能となるので、画像表示の品質の向上を図ることができる。
【発明を実施するための最良の形態】
【０１０８】
以下、図面を参照して、実施例に基づき本発明を説明する。
【実施例１】
【０１０９】
実施例１は、本発明の第１の態様、より具体的には、第１−Ａの態様に係るカラー液晶表示装置組立体に関する。実施例１、あるいは、後述する実施例２〜実施例８のカラー液晶表示装置組立体は、カラー液晶表示装置、及び、リア・パネル側に、リア・パネルと対向して配置され（実施例１、実施例２、実施例５、実施例６）、カラー液晶表示装置をリア・パネル側から照明する光源を有する面状光源装置６０を備えている。
【０１１０】
ここで、実施例１、あるいは、後述する実施例２〜実施例８において、カラー液晶表示装置（具体的には、透過型のカラー液晶表示装置）は、
（ａ−１）第１面１０Ａ及び第２面１０Ｂを有する第１基板１０の第１面１０Ａに形成された透明第１電極１１を備えたフロント・パネル、
（ａ−２）第１面２０Ａ及び第２面２０Ｂを有する第２基板２０の第１面２０Ａに形成された透明第２電極２１を備えたリア・パネル、及び、
（ａ−３）第１基板１０の第１面１０Ａと第２基板２０の第１面２０Ａとの間に配された液晶材料４０，４１、
を具備している。そして、少なくとも第１サブピクセル、第２サブピクセル及び第３サブピクセルを１組としたピクセル（実施例１〜実施例８にあっては、第１サブピクセル、第２サブピクセル及び第３サブピクセルを１組としたピクセル）が、複数、２次元マトリクス状に配列されている。尚、面状光源装置６０については、後に詳しく説明する。
【０１１１】
実施例１、あるいは、後述する実施例２〜実施例４のカラー液晶表示装置組立体において、光源は、第１原色、第２原色及び第３原色から構成された光の三原色の内の第１原色に相当する第１原色光を出射する。具体的には、第１原色は青色であり、第２原色は緑色であり、第３原色は赤色である。また、光源は、第１原色光としての青色の光（例えば、波長λ1＝４５０ｎｍ）を出射する発光ダイオードから成る。尚、第２原色発光粒子（緑色発光蛍光体粒子）として、ＳｒＧａ2Ｓ4：Ｅｕ（発光波長λ2＝５３８ｎｍ）を用い、第３原色発光粒子（赤色発光蛍光体粒子）として、ＣａＳ：Ｅｕ（発光波長λ3＝６５５ｎｍ）を用いた。後述する実施例２〜実施例８にあっても、同様とすることができる。
【０１１２】
そして、模式的な一部断面図を図１に示すように、実施例１のカラー液晶表示装置組立体にあっては、第１原色光通過領域５１、第２原色発光領域５２、及び、第３原色発光領域５３を備えている。ここで、第２原色発光領域５２は、第２原色（緑色）に相当する第２原色光（緑色光）を発光する第２原色発光粒子から成り、光源から出射され、第２サブピクセルを通過した第１原色光（青色光）によって励起されて第２原色光（緑色光）を発光する。第３原色発光領域５３は、第３原色（赤色）に相当する第３原色光（赤色光）を発光する第３原色発光粒子から成り、光源から出射され、第３サブピクセルを通過した第１原色光（青色光）によって励起されて第３原色光（赤色光）を発光する。更には、第１原色光通過領域５１は、光源から出射され、第１サブピクセルを通過した第１原色光（青色光）を通過、拡散させる。ここで、第２原色発光領域５２は、第２サブピクセル（緑色を表示する）に対応した第１基板１０の第１面１０Ａの部分と透明第１電極１１の部分との間に配置されている。第３原色発光領域５３は、第３サブピクセル（赤色を表示する）に対応した第１基板１０の第１面の部分１０Ａと透明第１電極１１の部分との間に配置されている。更には、第１原色光通過領域５１は、第１サブピクセルに対応した第１基板１０の第１面の部分１０Ａと透明第１電極１１の部分との間に配置されており、第１拡散領域から成る。
【０１１３】
具体的には、第２原色発光粒子は、硫化物系蛍光体粒子や酸化物系蛍光体粒子、酸窒化物系蛍光体粒子、窒化物系蛍光体粒子とバインダー（エチルセルロースやシリコーン樹脂）等から成り、第３原色発光粒子も、硫化物系蛍光体粒子や酸化物系蛍光体粒子、酸窒化物系蛍光体粒子、窒化物系蛍光体粒子とバインダー（エチルセルロースやシリコーン樹脂）等から成り、第１原色光通過領域５１は、シリカ粒子とバインダー（エチルセルロースやシリコーン樹脂）から成る。そして、第２原色発光領域５２と第３原色発光領域５３との間の領域、第１原色光通過領域５１と第２原色発光領域５２との間の領域、及び、第１原色光通過領域５１と第３原色発光領域５３との間の領域には、カーボンブラック等の黒色顔料や黒色染料から成る光吸収層（ブラックマトリクス）５４が形成されている。マトリクス状に配列されたピクセル（画素）の数Ｍ0×Ｎ0を（Ｍ0，Ｎ0）で表記したとき、（Ｍ0，Ｎ0）＝（１９２０，１０８０）である。従って、第１サブピクセル、第２サブピクセル、第３サブピクセルのそれぞれの数も、Ｍ0×Ｎ0個である。サブピクセルの配列状態をストライプ配列とした。第２原色発光粒子、第３原色発光粒子、光吸収層（ブラックマトリクス）を構成する材料、ピクセル（画素）の数、サブピクセルの配列状態は、後述する実施例２〜実施例８においても同様とすることができる。
【０１１４】
実施例１のカラー液晶表示装置組立体にあっては、第２原色発光領域５２、第３原色発光領域５３及び第１原色光通過領域５１と透明第１電極１１との間には、第２原色光及び第３原色光を反射する光反射膜１４が配置されている。また、光反射膜１４と透明第１電極１１との間には、第１偏光フィルム１３が配置されている。更には、第２原色発光領域５２、第３原色発光領域５３及び第１原色光通過領域５１と光反射膜１４との間には、平滑化膜１５が配置されている。光反射膜１４は、厚さ約１μｍのＳｉＯ2膜とＮｂ2Ｏ5との多層積層膜から成り、平滑化膜１５は、厚さ数μｍ〜数十μｍのアクリル樹脂あるいはシリコーン樹脂から成る。光反射膜、平滑化膜を構成する材料は、後述する実施例２〜実施例８においても同様とすることができる。
【０１１５】
実施例１、あるいは、後述する実施例２、実施例５、実施例６において、厚さ約２μｍ〜３μｍの液晶層を構成する液晶材料４０は、その制御モードがＴＮ制御モードあるいはＳＴＮ制御モードである液晶材料から成る。実施例１にあっては、厚さ約０．７ｍｍの第１基板１０及び厚さ約０．７ｍｍの第２基板２０は、無アルカリガラスから成り、透明第１電極（共通電極とも呼ばれる）１１、及び、透明第２電極（画素電極とも呼ばれる）２１は、ＩＴＯから構成されており、透明第１電極１１、透明第２電極２１のパターンは、カラー液晶表示装置に要求される仕様に基づき決定されている。第２基板２０の第２面２０Ｂには、第２偏光フィルム２３が配置されている。尚、第２基板２０の第１面２０Ａと透明第２電極２１との間に第２偏光フィルム２３を配置してもよい。更には、透明第１電極１１上（液晶材料側）には第１配向膜１２が形成されており、透明第２電極２１を含む全面上には第２配向膜２２が形成されている。第２基板２０の第１面２０Ａには、ＴＦＴから成るスイッチング素子（図示せず）が形成されており、スイッチング素子によって透明第２電極２１の導通／非導通が制御される。これらのカラー液晶表示装置の構成、各種部材は、特段の断りが無い限り、後述する実施例２〜実施例８においても同様とすることができる。
【０１１６】
そして、第２原色発光領域５２から出射された光の一部を通過させる黄色のフィルター５８を更に備えている。黄色は、第１原色に対して補色の関係にある。このフィルター５８は、第３原色発光領域５３から出射された光の一部も通過させる。そして、このフィルター５８は、第２原色発光領域５２及び第３原色発光領域５３と第１基板１０の第１面１０Ａとの間に配置されており、より具体的には、第２原色発光領域５２を出射した光の一部を通過させる黄色の第２フィルター領域５２Ｇ、及び、第３原色光通過領域５３を通過した光の一部を通過させる黄色の第３フィルター領域５２Ｒから構成されている。更には、第１原色光通過領域５１を通過した光を通過させる青色のフィルター（第１フィルター領域５８Ｂ）が、第１原色光通過領域５１と第１基板１０の第１面１０Ａとの間に配置されている。
【０１１７】
フィルター５８は、着色パターン間の隙間を遮光するためのブラックマトリクス（例えば、クロムから成る）と、第１サブピクセルに対向した青色の着色層（第１フィルター領域５８Ｂ）、第２サブピクセルに対向した黄色の着色層（第２フィルター領域５８Ｇ）、第３サブピクセルに対向した黄色の着色層（第３フィルター領域５８Ｒ）から構成されており、染色法、顔料分散法、印刷法、電着法等によって作製されている。着色層は、例えば、樹脂材料から成り、あるいは又、顔料で着色されている。着色層のパターンは、サブピクセルの配列状態（配列パターン）と一致させればよく、ストライプ配列とされている。後述する実施例２〜実施例８においても同様とすることができる。また、第１フィルター領域５８Ｂ、第２フィルター領域５８Ｇ、第３フィルター領域５８Ｒ及びブラックマトリクスは、一体的な構成、構造を有する。後述する実施例２〜実施例８においても同様とすることができる。
【０１１８】
第２原色発光領域５２、第３原色発光領域５３及び第１原色光通過領域５１とフィルター５８との間に、第１原色光通過領域５１を通過した第１原色光を第１フィルター領域５８Ｂへと集光する第１集光部材５５、第２原色発光領域５２において発光した第２原色光をフィルター５８（より具体的には、第２フィルター領域５８Ｇ）へと集光する第２集光部材５６、及び、第３原色発光領域５３において発光した第３原色光をフィルター５８（より具体的には、第３フィルター領域５８Ｒ）へと集光する第３集光部材５７が更に備えられている。第１集光部材５５、第２集光部材５６及び第３集光部材５７とフィルター５８との間には平滑化膜１５’が配置されているが、平滑化膜１５’を省略し、第１集光部材５５、第２集光部材５６及び第３集光部材５７とフィルター５８との間に空間を残してもよい。場合によっては、平滑化膜１５’、第１集光部材５５、第２集光部材５６及び第３集光部材５７を省略し、光反射膜１４が、第１偏光フィルム１３と、直接、接する構成、構造とすることもできる。第２原色発光領域５２、第３原色発光領域５３及び第１原色光通過領域５１と光反射膜１４との間に平滑化膜１５を配置したが、係る平滑化膜１５を省略してもよい。ここで、第１集光部材５５、第２集光部材５６及び第３集光部材５７は、屈折率分布型レンズが多数配列されて成るレンズアレイが一体化されて成る、日本板硝子株式会社製のセルフォックレンズアレイから構成されている。
【０１１９】
実施例１のカラー液晶表示装置組立体にあっては、カラー液晶表示装置の作動時、光源から出射された第１原色光（青色光）は、第２偏光フィルム２３、第２基板２０、第１サブピクセル（透明第２電極２１、第２配向膜２２、液晶材料４０、第１配向膜１２、透明第１電極１１から構成された第１液晶セル）、第１偏光フィルム１３、光反射膜１４、平滑化膜１５、第１原色光通過領域５１、第１集光部材５５、平滑化膜１５’、第１フィルター領域５８Ｂ、第１基板１０を通過し、第１原色光（青色光）のまま出射される。また、光源から出射された第１原色光（青色光）は、第２偏光フィルム２３、第２基板２０、第２サブピクセル（透明第２電極２１、第２配向膜２２、液晶材料４０、第１配向膜１２、透明第１電極１１から構成された第２液晶セル）、第１偏光フィルム１３、光反射膜１４、平滑化膜１５、第２原色発光領域５２、第２集光部材５６、平滑化膜１５’、第２フィルター領域５８Ｇ、第１基板１０を通過し、第２原色光（緑色光）として出射される。更には、光源から出射された第１原色光（青色光）は、第２偏光フィルム２３、第２基板２０、第３サブピクセル（透明第２電極２１、第２配向膜２２、液晶材料４０、第１配向膜１２、透明第１電極１１から構成された第３液晶セル）、第１偏光フィルム１３、光反射膜１４、平滑化膜１５、第３原色発光領域５３、第３集光部材５７、平滑化膜１５’、第３フィルター領域５８Ｒ、第１基板１０を通過し、第３原色光（赤色光）として出射される。そして、以上の結果として、観察者は、カラー液晶表示装置における画像として認識することができる。
【０１２０】
実施例１のカラー液晶表示装置組立体にあっては、第１原色光の波長をλ1、第２原色光の波長をλ2、第３原色光の波長をλ3とし、第２原色発光領域から出射され、フィルターに入射する前の光のスペクトルにおける波長λ1での光強度をＩ2（λ1）、波長λ2での光強度をＩ2（λ2）とし、第３原色発光領域から出射され、フィルターに入射する前の光のスペクトルにおける波長λ1での光強度をＩ3（λ1）、波長λ3での光強度をＩ3（λ3）としたとき、Ｉ2（λ1）／Ｉ2（λ2）の値は１／３であり、Ｉ3（λ1）／Ｉ3（λ3）の値は１／２である。後述する実施例２〜実施例８のカラー液晶表示装置組立体においても同様である。
【０１２１】
また、実施例１、あるいは、後述する実施例２のカラー液晶表示装置組立体において、第１原色光通過領域５１の面積をＬＳ1、第２原色発光領域５２の面積をＬＳ2、第３原色発光領域５３の面積をＬＳ3としたとき、
ＬＳ2≧ＬＳ3＞ＬＳ1
を満足している。具体的には、
Ｓ1：ＬＳ2：ＬＳ3＝１：３：２
とした。実施例１、あるいは、後述する実施例２〜実施例４のカラー液晶表示装置組立体にあっては、前述した式（１−１）、式（１−２）及び式（１−３）を満足し、あるいは又、前述した式（１−４）、式（１−５）及び式（１−６）を満足している。
【０１２２】
実施例１のカラー液晶表示装置組立体において、第２原色発光領域５２は、第２サブピクセルに対応した第１基板１０の第１面１０Ａの部分と透明第１電極１１の部分との間に配置されており、第３原色発光領域５３は、第３サブピクセルに対応した第１基板１０の第１面１０Ａの部分と透明第１電極１１の部分との間に配置されている。このように、第２サブピクセルから第２原色発光領域５２までの距離、第３サブピクセルから第３原色発光領域５３までの距離を短くすることができるので、視差（パララックス）が発生し難い。しかも、第１サブピクセルを通過した第１原色光を拡散させる第１原色光通過領域（第１拡散領域）５１が、第１サブピクセルに対応した第１基板１０の第１面１０Ａの部分と透明第１電極１１の部分との間に配置されているので、第１サブピクセルに基づく画像を明瞭に表示することができる。
【０１２３】
また、実施例１、あるいは、後述する実施例２〜実施例４のカラー液晶表示装置組立体にあっては、光源からは、白色光が出射されるのではなく、第１原色光（青色光）が出射される。そして、第２原色光（緑色光）及び第３原色光（赤色光）を出射する第２原色発光領域、第３原色発光領域は、光源とは別に設けられている。従って、従来の技術のように、光源から出射された白色光をカラー液晶表示装置の配置されたカラーフィルターを通過させることで所望の色の光を得るといった処理が不要であり、光源において生成される第１原色光（青色光）の有効利用効率の向上を図ることができ、その結果、カラー液晶表示装置組立体の消費電力の低下を達成することが可能となる。
【０１２４】
実施例１のカラー液晶表示装置組立体におけるカラー液晶表示装置は、例えば、以下の方法で作製することができる。
【０１２５】
［工程−１００］
第１基板１０の第１面１０Ａの所望の領域の上に、先ず、フィルター５８（第１フィルター領域５８Ｂ、第２フィルター領域５８Ｇ、第３フィルター領域５８Ｒ及びブラックマトリクス）を周知の方法で形成した後、平滑化膜１５’を介して、第１集光部材５５、第２集光部材５６及び第３集光部材５７とフィルター５８とを貼り合わせる。次いで、第１集光部材５５、第２集光部材５６及び第３集光部材５７上に、光吸収層５４を、フォトリソグラフィ技術やスクリーン印刷法に基づき形成する。
【０１２６】
［工程−１１０］
次いで、光吸収層５４に覆われていない第２集光部材５６及び第３集光部材５７の上に、第２原色発光領域５２及び第３原色発光領域５３を形成する。具体的には、赤色の感光性の蛍光体粒子組成物（赤色発光蛍光体スラリー：例えばポリビニルアルコール（ＰＶＡ）樹脂と水に赤色発光蛍光体粒子を分散させ、更に、重クロム酸アンモニウムを添加した赤色発光蛍光体スラリー）を全面に塗布し、露光、現像して、赤色発光蛍光体層から成り、所望のストライプ幅を有する第３原色発光領域５３を形成する。そして、この第３原色発光領域５３を形成する工程を、必要に応じて、第３原色発光領域５３が所望の厚さとなるまで繰り返し行う。次いで、緑色の感光性の蛍光体粒子組成物（緑色発光蛍光体スラリー：例えばポリビニルアルコール（ＰＶＡ）樹脂と水に緑色発光蛍光体粒子を分散させ、更に、重クロム酸アンモニウムを添加した緑色発光蛍光体スラリー）を全面に塗布し、露光、現像して、緑色発光蛍光体層から成り、所望のストライプ幅を有する第２原色発光領域５２を形成する。そして、この第２原色発光領域５２を形成する工程を、必要に応じて、第２原色発光領域５２が所望の厚さとなるまで繰り返し行う。尚、第２原色発光領域５２の形成と第３原色発光領域５３の形成の順序を逆にしてもよい。また、第２原色発光領域５２及び第３原色発光領域５３の形成方法は、以上に説明した方法に限定されず、例えば、スクリーン印刷法等により各蛍光体層を形成してもよい。後述する実施例２〜実施例８においても、実質的に同様の方法で蛍光体層を形成することができる。その後、例えば、印刷法に基づき、光拡散剤が分散された透明バインダー樹脂層を第１集光部材５５上に形成した後、透明バインダー樹脂を硬化させることで、第１原色光通過領域（第１拡散領域）５１を形成することができる。第１原色光通過領域５１を形成した後、第２原色発光領域５２及び第３原色発光領域５３を形成してもよい。
【０１２７】
［工程−１２０］
その後、第１原色光通過領域５１、第２原色発光領域５２及び第３原色発光領域５３上に平滑化膜１５を貼り合わせ、更に、平滑化膜１５上に光反射膜１４を貼り合わせる。
【０１２８】
［工程−１３０］
次いで、光反射膜１４上に第１偏光フィルム１３を貼り合わせ、第１偏光フィルム１３上に所望の形状にパターニングされた透明第１電極１１を形成し、透明第１電極１１上に第１配向膜１２を形成した後、第１配向膜１２に配向処理を施す。こうして、フロント・パネルを得ることができるが、係るフロント・パネルの製造プロセスは、基本的に、周知の製造プロセスの応用とすることができる。
【０１２９】
［工程−１４０］
一方、第２基板２０の第１面２０Ａに周知の方法でＴＦＴから成るスイッチング素子（図示せず）を形成し、全面を覆う絶縁膜（図示せず）を形成した後、絶縁膜上に透明第２電極２１を形成し、次いで、透明第２電極２１を含む全面上に第２配向膜２２を形成した後、第２配向膜２２に配向処理を施す。また、第２基板２０の第２面２０Ｂに第２偏光フィルム２３を貼り合わせる。こうして、リア・パネルを得ることができるが、係るリア・パネルの製造プロセスは周知の製造プロセスとすることができる。
【０１３０】
［工程−１５０］
その後、周知の方法に基づき、フロント・パネル、リア・パネル、液晶材料、シール材料（封止材）等を用いてカラー液晶表示装置を組み立てる。次いで、カラー液晶表示装置と面状光源装置とを周知の方法に基づき組み立てる。
【０１３１】
尚、後述する実施例５におけるカラー液晶表示装置も、実質的に、同様の方法で作製することができる。
【０１３２】
実施例１のカラー液晶表示装置組立体にあっては、フィルター５８を配置することによって、第２原色発光領域あるいは第２原色発光粒子からの発光色の色純度の向上を図ることができるだけでなく、即ち、カラー液晶表示装置組立体にて表示される画像の色純度をより一層向上させることができるだけでなく、第２原色光の透過率の向上を図ることができるし、後述するように電気的エネルギーから光エネルギーへの変換効率が著しく高くなる。また、後述するように、第２原色発光領域の厚さあるいは第２原色発光粒子の単位面積当たりの質量の最適化を図れば、光源からの光束の有効利用効率を向上させることができる。更には、第１集光部材５５、第２集光部材５６及び第３集光部材５７を備えているので、視差の発生や光学的クロストークの発生を確実に防止することができる。後述する実施例２〜実施例４においても、本質的に、同様である。
【０１３３】
尚、場合によっては、第１フィルター領域５８Ｂを、青色の着色層から構成するのではなく、透明な樹脂層から構成してもよいし、例えば、第１フィルター領域５８Ｂを平滑化膜１５’で埋め込んでもよい。また、第３フィルター領域５８Ｒを、黄色の着色層から構成する代わりに、橙色（オレンジ色）の着色層から構成してもよい。即ち、第３原色発光領域５３から出射された光の一部を通過させる橙色（オレンジ色）のフィルターを更に備えている形態としてもよい。以下に説明する実施例２〜実施例４においても同様である。
【実施例２】
【０１３４】
実施例２は、実施例１の変形であり、本発明の第１−Ｂの態様に係るカラー液晶表示装置組立体に関する。実施例２のカラー液晶表示装置組立体にあっては、フロント・パネルに対向し、フロント・パネルに対向した第１面３０Ａ、及び、この第１面３０Ａに対向した第２面３０Ｂを有する第３基板３０を更に備えている。
【０１３５】
模式的な一部断面図を図２に示すように、実施例２のカラー液晶表示装置組立体にあっても、第１原色光通過領域１５１、第２原色発光領域１５２、及び、第３原色発光領域１５３を備えている。ここで、第２原色発光領域１５２は、第２サブピクセルに対応した第１基板１０の第２面１０Ｂの部分と第３基板３０の第１面３０Ａの部分との間に配置され、第２原色（緑色）に相当する第２原色光（緑色光）を発光する第２原色発光粒子から成り、光源から出射され、第２サブピクセルを通過した第１原色光（青色光）によって励起されて第２原色光（緑色光）を発光する。また、第３原色発光領域１５３は、第３サブピクセルに対応した第１基板１０の第２面１０Ｂの部分と第３基板３０の第１面３０Ａの部分との間に配置され、第３原色（赤色）に相当する第３原色光（赤色光）を発光する第３原色発光粒子から成り、光源から出射され、第３サブピクセルを通過した第１原色光（青色光）によって励起されて第３原色光（赤色光）を発光する。第１原色光通過領域１５１は、第１サブピクセルに対応した第１基板１０の第２面１０Ｂの部分と第３基板３０の第１面３０Ａの部分との間に配置され、光源から出射され、第１サブピクセルを通過した第１原色光（青色光）を拡散させる領域から構成されている。第２原色発光領域１５２と第３原色発光領域１５３との間の領域、第１原色光通過領域１５１と第２原色発光領域１５２との間の領域、第１原色光通過領域１５１と第３原色発光領域１５３との間の領域には、光吸収層（ブラックマトリクス）１５４が形成されている。
【０１３６】
そして、実施例２にあっては、第２原色発光領域１５２、第３原色発光領域１５３及び第１原色光通過領域１５１と第１基板１０の第２面１０Ｂ（より具体的には、第１偏光フィルム１３）との間には、第１サブピクセルを通過した第１原色光（青色光）を第１原色光通過領域１５１へと集光する第１集光部材１５５、第１原色光を第２原色発光領域１５２へと集光する第２集光部材１５６、及び、第１原色光を第３原色発光領域１５３へと集光する第３集光部材１５７が更に備えられている。尚、第１集光部材１５５、第２集光部材１５６及び第３集光部材１５７は、実施例１と同様に、屈折率分布型レンズが多数配列されて成るレンズアレイが一体化されて成る。第１集光部材１５５、第２集光部材１５６及び第３集光部材１５７は、第１基板１０の第２面１０Ｂに設けられた第１偏光フィルム１３上に配置されている。
【０１３７】
ここで、フィルター１５８は、第２原色発光領域１５２及び第３原色発光領域１５３と第３基板３０の第１面３０Ａとの間に（具体的には、第１集光部材１５５、第２集光部材１５６及び第３集光部材１５７と、第３基板３０の第１面３０Ａとの間に）配置されており、より具体的には、第２原色発光領域１５２を出射した光の一部を通過させる黄色のフィルター（第２フィルター領域１５８Ｇ）、及び、第３原色光通過領域１５３を通過した光の一部を通過させる黄色のフィルター（第３フィルター領域１５８Ｒ）から構成されている。更には、第１原色光通過領域１５１を通過した光を通過させる青色のフィルター（第１フィルター領域１５８Ｂ）が、第１原色光通過領域１５１と第３基板３０の第１面３０Ａとの間に配置されている。
【０１３８】
実施例２のカラー液晶表示装置組立体において、第１集光部材１５５、第２集光部材１５６及び第３集光部材１５７と第１原色光通過領域１５１、第２原色発光領域１５２及び第３原色発光領域１５３との間には、平滑化膜１１５、及び、第２原色光及び第３原色光を反射する光反射膜１１４が配置されている。尚、平滑化膜１１５を省略し、第１集光部材１５５、第２集光部材１５６及び第３集光部材１５７と光反射膜１１４との間に空間を残してもよい。場合によっては、平滑化膜１１５、第１集光部材１５５、第２集光部材１５６及び第３集光部材１５７を省略し、光反射膜１１４が、第１偏光フィルム１３と、直接、接する構成、構造とすることもできる。
【０１３９】
実施例２あるいは後述する実施例６にあっては、第１基板１０の厚さを０．１ｍｍとした。
【０１４０】
以上の点を除き、実施例２のカラー液晶表示装置組立体の構成、構造は、実施例１のカラー液晶表示装置組立体の構成、構造と同様とすることができるので、詳細な説明は省略する。
【０１４１】
実施例２のカラー液晶表示装置組立体にあっては、カラー液晶表示装置の作動時、光源から出射された第１原色光（青色光）は、第２偏光フィルム２３、第２基板２０、第１サブピクセル（透明第２電極２１、第２配向膜２２、液晶材料４０、第１配向膜１２、透明第１電極１１から構成された第１液晶セル）、第１基板１０、第１偏光フィルム１３、第１集光部材１５５、平滑化膜１１５、光反射膜１１４、第１原色光通過領域１５１、第１フィルター領域１５８Ｂ、第３基板３０を通過し、第１原色光（青色光）のまま出射される。また、光源から出射された第１原色光（青色光）は、第２偏光フィルム２３、第２基板２０、第２サブピクセル（透明第２電極２１、第２配向膜２２、液晶材料４０、第１配向膜１２、透明第１電極１１から構成された第２液晶セル）、第１基板１０、第１偏光フィルム１３、第２集光部材１５６、平滑化膜１１５、光反射膜１１４、第２原色発光領域１５２、第２フィルター領域１５８Ｇ、第３基板３０を通過し、第２原色光（緑色光）として出射される。更には、光源から出射された第１原色光（青色光）は、第２偏光フィルム２３、第２基板２０、第３サブピクセル（透明第２電極２１、第２配向膜２２、液晶材料４０、第１配向膜１２、透明第１電極１１から構成された第３液晶セル）、第１基板１０、第１偏光フィルム１３、第３集光部材１５７、平滑化膜１１５、光反射膜１１４、第３原色発光領域１５３、第３フィルター領域１５８Ｒ、第３基板３０を通過し、第３原色光（赤色光）として出射される。そして、以上の結果として、観察者は、カラー液晶表示装置における画像として認識することができる。
【０１４２】
実施例２のカラー液晶表示装置組立体において、第２原色発光領域１５２は、第２サブピクセルに対応した第１基板１０の第２面１０Ｂの部分と第３基板３０の第１面３０Ａの部分との間に配置されており、第３原色発光領域１５３は、第３サブピクセルに対応した第１基板１０の第２面１０Ｂの部分と第３基板３０の第１面３０Ａの部分との間に配置されており、しかも、第１基板１０の厚さが適切に選択されているので、第２サブピクセルから第２原色発光領域１５２までの距離、第３サブピクセルから第３原色発光領域１５３までの距離を短くすることができる結果、視差（パララックス）が発生し難い。しかも、第１サブピクセルを通過した第１原色光（青色光）を拡散させる第１原色光通過領域（第１拡散領域）１５１が、第１サブピクセルに対応した第１基板１０の第１面１０Ｂの部分と第３基板３０の第１面３０Ａの部分との間に配置されているので、第１サブピクセルに基づく画像を明瞭に表示することができる。
【０１４３】
実施例２のカラー液晶表示装置組立体におけるカラー液晶表示装置は、例えば、以下の方法で作製することができる。
【０１４４】
［工程−２００］
第１基板１０の第１面１０Ａに透明第１電極１１を形成した後、透明第１電極１１上に第１配向膜１２を形成し、次いで、第１配向膜１２に配向処理を施す。また、第１基板１０の第２面１０Ｂに第１偏光フィルム１３を貼り合わせる。尚、ここまでの製造プロセスは、周知の製造プロセスとすることができる。次いで、第１偏光フィルム１３上に、第１集光部材１５５、第２集光部材１５６及び第３集光部材１５７を貼り合わせ、更に、これらの上に、平滑化膜１１５を貼り合わせる。こうして、フロント・パネルを得ることができる。一方、実施例１の［工程−１４０］と同様にして、リア・パネルを周知のプロセスで製造する。
【０１４５】
［工程−２１０］
一方、第３基板３０の第１面３０Ａ上の所望の領域の上にフィルター１５８を形成し、更には、フィルター１５８の上に光吸収層１５４を形成し、次いで、光吸収層１５４に覆われていない第３基板３０の第１面３０Ａの領域の上に第２原色発光領域１５２及び第３原色発光領域１５３を形成する。その後、例えば、印刷法に基づき、光拡散剤が分散された透明バインダー樹脂層を所望の領域に形成した後、透明バインダー樹脂を硬化させることで、第１原色光通過領域（第１拡散領域）１５１を形成することができる。第１原色光通過領域１５１を形成した後、第２原色発光領域１５２及び第３原色発光領域１５３を形成してもよい。次いで、第１原色光通過領域１５１、第２原色発光領域１５２、第３原色発光領域１５３及び光吸収層１５４上に光反射膜１１４を形成する。
【０１４６】
［工程−２２０］
その後、平滑化膜１１５と光反射膜１１４とを貼り合わせることで、フロイント・パネルと第３基板３０とを組み立てる。そして、周知の方法に基づき、フロント・パネル、リア・パネル、液晶材料、シール材料（封止材）等を用いてカラー液晶表示装置を組み立てる。次いで、カラー液晶表示装置と面状光源装置とを周知の方法に基づき組み立てる。
【０１４７】
尚、後述する実施例６におけるカラー液晶表示装置も、実質的に、同様の方法で作製することができる。
【実施例３】
【０１４８】
実施例３は、本発明の第２の態様に係るカラー液晶表示装置組立体、より具体的には、本発明の第２−Ａの態様に係るカラー液晶表示装置組立体に関する。
【０１４９】
模式的な一部断面図を図３に示すように、実施例３のカラー液晶表示装置組立体にあっては、第１原色光通過領域２５１、第２原色発光領域２５２、及び、第３原色発光領域２５３を備えている。ここで、第２原色発光領域２５２は、第２原色（緑色）に相当する第２原色光（緑色光）を発光する第２原色発光粒子から成り、光源から出射された第１原色光（青色光）によって励起されて第２原色光（緑色光）を発光し、第２サブピクセルを照明する。第３原色発光領域２５３は、第３原色（赤色）に相当する第３原色光（赤色光）を発光する第３原色発光粒子から成り、光源から出射された第１原色光によって励起されて第３原色光（赤色光）を発光し、第３サブピクセルを照明する。第２原色発光領域２５２は、第２サブピクセル（緑色を表示する）に対応した第２基板２０の第１面２０Ａの部分と透明第２電極２１の部分との間に配置されている。また、第３原色発光領域２５３は、第３サブピクセル（赤色を表示する）に対応した第２基板２０の第１面２０Ａの部分と透明第２電極２１の部分との間に配置されている。第１原色光通過領域２５１は、光源から出射された第１原色光（青色光）を第１サブピクセルへと通過させる領域である。第２原色発光領域２５２と第３原色発光領域２５３との間の領域、第１原色光通過領域２５１と第２原色発光領域２５２との間の領域、第１原色光通過領域２５１と第３原色発光領域２５３との間の領域には、光吸収層（ブラックマトリクス）２５４が形成されている。
【０１５０】
そして、実施例３にあっては、第２サブピクセルを通過した光の一部を通過させる黄色のフィルター２５８を更に備えている。フィルター２５８は、第１基板１０の第１面１０Ａと透明第１電極１１との間に配置されている。尚、フィルター２５８は、第３サブピクセルを通過した光の一部も通過させる。加えて、第１サブピクセルを通過した光の色純度向上のために、第１サブピクセルと第１基板１０の第１面１０Ａとの間に青色のフィルターを配置している。ここで、第２サブピクセルを通過した光の一部を通過させる黄色のフィルター２５８の領域は、第２フィルター領域２５８Ｇであり、第３サブピクセルを通過した光の一部を通過させる黄色のフィルター２５８の領域は、第３フィルター領域２５８Ｒである。また、第１サブピクセルを通過した光の一部を通過させる青色のフィルターの領域は、第１フィルター領域２５８Ｂである。
【０１５１】
実施例３にあっては、第２原色発光領域２５２と透明第２電極２１との間に配置され、第２原色発光領域２５２において発光した第２原色光（緑色光）を第２サブピクセルへと集光する第２集光部材２５６、及び、第３原色発光領域２５３と透明第２電極２１との間に配置され、第３原色発光領域２５３において発光した第３原色光（赤色光）を第３サブピクセルへと集光する第３集光部材２５７を備えている。
【０１５２】
実施例３にあっては、更には、第２基板２０の第１面２０Ａと透明第２電極２１との間に配置され、光源から出射された第１原色光を第１サブピクセルへと集光する（即ち、第１原色光通過領域２５１を通過した第１原色光を第１サブピクセルへと集光する）第１集光部材２５５を備えている。尚、第１集光部材２５５、第２集光部材２５６及び第３集光部材２５７は、実施例１と同様に、屈折率分布型レンズが多数配列されて成るレンズアレイが一体化されて成る。
【０１５３】
また、実施例３のカラー液晶表示装置組立体において、第２原色発光領域２５２、第３原色発光領域２５３及び第１原色光通過領域２５１と第２基板２０の第１面２１Ａとの間には、第２原色光及び第３原色光を反射する光反射膜２１４が配置されている。加えて、第１集光部材２５５、第２集光部材２５６及び第３集光部材２５７と透明第２電極２１との間には、第２偏光フィルム２３が配置されており、更には、第１集光部材２５５、第２集光部材２５６及び第３集光部材２５７と第２偏光フィルム２３との間には、平滑化膜２１５が配置されているが、平滑化膜２１５を省略し、第１集光部材２５５、第２集光部材２５６及び第３集光部材２５７と第２偏光フィルム２３との間に空間を残してもよい。あるいは又、平滑化膜２１５、第１集光部材２５５、第２集光部材２５６及び第３集光部材２５７を省略し、第１原色光通過領域２５１、第２原色発光領域２５２及び第３原色発光領域２５３等が、第２偏光フィルム２３と、直接、接する構成、構造とすることもできる。
【０１５４】
実施例３、あるいは、実施例４、後述する実施例７、実施例８にあっては、液晶材料４１は、その制御モードがＩＰＳモードやＶＡモードといった広視野角特性を有する制御モードである材料から成る。
【０１５５】
以上の点を除き、実施例３のカラー液晶表示装置組立体の構成、構造は、実施例１のカラー液晶表示装置組立体の構成、構造と同様とすることができるので、詳細な説明は省略する。尚、第１基板１０の第１面１０Ａに第１偏光フィルム１３を配置してもよい。
【０１５６】
実施例３、あるいは、後述する実施例４のカラー液晶表示装置組立体にあっても、光源から出射された第１原色光を第１サブピクセルへと通過させる第１原色光通過領域の面積をＬＳ1、第２原色発光領域の面積をＬＳ2、第３原色発光領域の面積をＬＳ3としたとき、
ＬＳ2≧ＬＳ3＞ＬＳ1
を満足している。具体的には、実施例１において説明したとおりである。
【０１５７】
実施例３のカラー液晶表示装置組立体にあっては、カラー液晶表示装置の作動時、光源から出射された第１原色光（青色光）は、第２基板２０、光反射膜２１４、第１原色光通過領域２５１、第１集光部材２５５、平滑化膜２１５、第２偏光フィルム２３、第１サブピクセル（透明第２電極２１、第２配向膜２２、液晶材料４１、第１配向膜１２、透明第１電極１１から構成された第１液晶セル）、第１フィルター領域２５８Ｂ、第１基板１０、第１偏光フィルム１３を通過し、第１原色光（青色光）のまま出射される。また、光源から出射された第１原色光（青色光）は、第２基板２０、光反射膜２１４、第２原色発光領域２５２、第２集光部材２５６、平滑化膜２１５、第２偏光フィルム２３、第２サブピクセル（透明第２電極２１、第２配向膜２２、液晶材料４１、第１配向膜１２、透明第１電極１１から構成された第２液晶セル）、第２フィルター領域２５８Ｇ、第１基板１０、第１偏光フィルム１３を通過し、第２原色光（緑色光）として出射される。更には、光源から出射された第１原色光（青色光）は、第２基板２０、光反射膜２１４、第３原色発光領域２５３、第３集光部材２５７、平滑化膜２１５、第２偏光フィルム２３、第３サブピクセル（透明第２電極２１、第２配向膜２２、液晶材料４１、第１配向膜１２、透明第１電極１１から構成された第３液晶セル）、第３フィルター領域２５８Ｒ、第１基板１０、第１偏光フィルム１３を通過し、第３原色光（赤色光）として出射される。そして、以上の結果として、観察者は、カラー液晶表示装置における画像として認識することができる。
【０１５８】
実施例３のカラー液晶表示装置組立体において、第２原色発光領域２５２は、第２サブピクセルに対応した第２基板２０の第１面２０Ａの部分と透明第２電極２１の部分との間に配置されており、第３原色発光領域２５３は、第３サブピクセルに対応した第２基板２０の第１面２０Ａの部分と透明第２電極２１の部分との間に配置されており、しかも、第２集光部材２５６が第２原色発光領域２５２と透明第２電極２１との間に配置されており、第３集光部材２５７が第３原色発光領域２５３と透明第２電極２１との間に配置されている。それ故、第２原色発光領域２５２や第３原色発光領域２５３から出射した光が対応するサブピクセル（液晶セル）に隣接したサブピクセル（液晶セル）に入射するといった光学的クロストークが発生することを確実に防止することができる。
【０１５９】
実施例３のカラー液晶表示装置組立体におけるカラー液晶表示装置は、例えば、以下の方法で作製することができる。
【０１６０】
［工程−３００］
実施例１の［工程−１１０］と同様にして、但し、第２基板２０の第１面２０Ａ上に配置された光反射膜２１４の所望の領域の上に光吸収層２５４を形成し、次いで、光吸収層２５４に覆われていない光反射膜２１４の領域の上に第２原色発光領域２５２及び第３原色発光領域２５３を形成する。尚、光吸収層２５４に囲まれている第１原色光通過領域２５１の部分を、そのままとしてもよいし、透明な樹脂で充填してもよい。
【０１６１】
［工程−３１０］
その後、第１原色光通過領域２５１、第２原色発光領域２５２及び第３原色発光領域２５３上に第１集光部材２５５、第２集光部材２５６及び第３集光部材２５７を貼り合わせ、更に、その上に平滑化膜２１５を貼り合わせる。
【０１６２】
［工程−３２０］
次いで、平滑化膜２１５上に第２偏光フィルム２３を貼り合わせ、第２偏光フィルム２３上に周知の方法でＴＦＴから成るスイッチング素子（図示せず）を形成し、全面を覆う絶縁膜（図示せず）を形成した後、絶縁膜上に透明第２電極２１を形成し、透明第２電極２１上に第２配向膜２２を形成した後、第２配向膜２２に配向処理を施す。こうして、リア・パネルを得ることができるが、係るリア・パネルの製造プロセスは、基本的に、周知の製造プロセスの応用とすることができる。
【０１６３】
［工程−３３０］
一方、第１基板１０の第２面１０Ｂに第１偏光フィルム１３を貼り合わせ、第１基板１０の第１面１０Ａ上にフィルター２５８、透明第１電極１１を形成した後、透明第１電極１１上に第１配向膜１２を形成し、次いで、第１配向膜１２に配向処理を施す。こうして、フロント・パネルを得ることができるが、係るフロント・パネルの製造プロセスは周知の製造プロセスとすることができる。
【０１６４】
［工程−３４０］
その後、周知の方法に基づき、フロント・パネル、リア・パネル、液晶材料、シール材料（封止材）等を用いてカラー液晶表示装置を組み立てる。次いで、カラー液晶表示装置と面状光源装置とを周知の方法に基づき組み立てる。
【０１６５】
尚、後述する実施例７におけるカラー液晶表示装置も、実質的に、同様の方法で作製することができる。
【実施例４】
【０１６６】
実施例４も、実施例３の変形であるが、本発明の第２−Ｂの態様に係るカラー液晶表示装置組立体に関する。実施例４のカラー液晶表示装置組立体にあっては、リア・パネルと面状光源装置６０との間に配置され、リア・パネルに対向した第１面３１Ａ、及び、面状光源装置６０に対向した第２面３１Ｂを有する第３基板３１を更に備えている。
【０１６７】
模式的な一部断面図を図４に示すように、実施例４のカラー液晶表示装置組立体にあっても、第１原色光通過領域３５１、第２原色発光領域３５２、及び、第３原色発光領域３５３を備えている。ここで、第２原色発光領域３５２は、第２サブピクセルに対応した第３基板３１の第１面３１Ａの部分と第２基板２０の第２面２０Ｂの部分との間に配置され、第２原色（緑色）に相当する第２原色光（緑色光）を発光する第２原色発光粒子から成り、光源から出射された第１原色光（青色光）によって励起されて第２原色光（緑色光）を発光し、第２サブピクセルを照明する。また、第３原色発光領域３５３は、第３サブピクセルに対応した第３基板３１の第１面３１Ａの部分と第２基板２０の第２面２０Ｂの部分との間に配置され、第３原色（赤色）に相当する第３原色光（赤色光）を発光する第３原色発光粒子から成り、光源から出射された第１原色光（青色光）によって励起されて第３原色光（赤色光）を発光し、第３サブピクセルを照明する。第１原色光通過領域３５１は、光源から出射された第１原色光（青色光）を第１サブピクセルへと通過させる領域である。第２原色発光領域３５２と第３原色発光領域３５３との間の領域、第１原色光通過領域３５１と第２原色発光領域３５２との間の領域、第１原色光通過領域３５１と第３原色発光領域３５３との間の領域には、光吸収層（ブラックマトリクス）３５４が形成されている。
【０１６８】
そして、実施例４にあっても、第２サブピクセルを通過した光の一部を通過させる黄色のフィルター３５８を更に備えている。フィルター３５８は、第１基板１０の第１面１０Ａと透明第１電極１１との間に配置されている。尚、フィルター３５８は、第３サブピクセルを通過した光の一部も通過させる。加えて、第１サブピクセルを通過した光の色純度向上のために、第１サブピクセルと第１基板１０の第１面１０Ａとの間に青色のフィルターを配置している。ここで、第２サブピクセルを通過した光の一部を通過させる黄色のフィルター３５８の領域は、第２フィルター領域３５８Ｇであり、第３サブピクセルを通過した光の一部を通過させる黄色のフィルター３５８の領域は、第３フィルター領域３５８Ｒである。また、第１サブピクセルを通過した光の一部を通過させる青色のフィルターの領域は、第１フィルター領域３５８Ｂである。
【０１６９】
実施例４にあっては、第３基板３１の第１面３１Ａと第２基板２０の第２面２０Ｂとの間に配置され、第２原色発光領域３５２において発光した第２原色光（緑色光）を第２サブピクセルへと集光する第２集光部材３５６、及び、第３基板３１の第１面３１Ａと第２基板２０の第２面２０Ｂとの間に配置され、第３原色発光領域３５３において発光した第３原色光（赤色光）を第３サブピクセルへと集光する第３集光部材３５７を備えている。
【０１７０】
実施例４にあっては、更には、第３基板３１の第１面３１Ａと第２基板２０の第２面２０Ｂとの間に配置され、光源から出射された第１原色光を第１サブピクセルへと集光する（即ち、第１原色光通過領域３５１を通過した第１原色光を第１サブピクセルへと集光する）第１集光部材３５５を更に備えている。尚、第１集光部材３５５、第２集光部材３５６及び第３集光部材３５７は、実施例１と同様に、屈折率分布型レンズが多数配列されて成るレンズアレイが一体化されて成る。
【０１７１】
また、実施例４のカラー液晶表示装置組立体において、第１原色光通過領域３５１、第２原色発光領域３５２及び第３原色発光領域３５３と第３基板３１の第１面３１Ａとの間には、第２原色光及び第３原色光を反射する光反射膜３１４が配置されている。加えて、第１集光部材３５５、第２集光部材３５６及び第３集光部材３５７と第２基板２０の第２面２０Ｂとの間には、第２偏光フィルム２３が配置されており、更には、第１集光部材３５５、第２集光部材３５６及び第３集光部材３５７と第２偏光フィルム２３との間には、平滑化膜３１５が配置されているが、平滑化膜３１５を省略し、第１集光部材３５５、第２集光部材３５６及び第３集光部材３５７と第２偏光フィルム２３との間に空間を残してもよい。場合によっては、平滑化膜３１５、第１集光部材３５５、第２集光部材３５６及び第３集光部材３５７を省略し、第１原色光通過領域３５１、第２原色発光領域３５２及び第３原色発光領域３５３等が、第２偏光フィルム２３と、直接、接する構成、構造とすることもできる。
【０１７２】
実施例４あるいは後述する実施例８にあっては、第２基板２０の厚さを０．１ｍｍとした。
【０１７３】
以上の点を除き、実施例４のカラー液晶表示装置組立体の構成、構造は、実施例１、実施例２、実施例３のカラー液晶表示装置組立体の構成、構造と同様とすることができるので、詳細な説明は省略する。尚、第１基板１０の第１面１０Ａに第１偏光フィルム１３を配置してもよい。
【０１７４】
実施例４のカラー液晶表示装置組立体にあっては、カラー液晶表示装置の作動時、光源から出射された第１原色光（青色光）は、第３基板３１、光反射膜３１４、第１原色光通過領域３５１、第１集光部材３５５、平滑化膜３１５、第２偏光フィルム２３、第２基板２０、第１サブピクセル（透明第２電極２１、第２配向膜２２、液晶材料４１、第１配向膜１２、透明第１電極１１から構成された第１液晶セル）、第１フィルター領域３５８Ｂ、第１基板１０、第１偏光フィルム１３を通過し、第１原色光（青色光）のまま出射される。また、光源から出射された第１原色光（青色光）は、第３基板３１、光反射膜３１４、第２原色発光領域３５２、第２集光部材３５６、平滑化膜３１５、第２偏光フィルム２３、第２基板２０、第２サブピクセル（透明第２電極２１、第２配向膜２２、液晶材料４１、第１配向膜１２、透明第１電極１１から構成された第２液晶セル）、第２フィルター領域３５８Ｇ、第１基板１０、第１偏光フィルム１３を通過し、第２原色光（緑色光）として出射される。更には、光源から出射された第１原色光（青色光）は、第３基板３１、光反射膜３１４、第３原色発光領域３５３、第３集光部材３５７、平滑化膜３１５、第２偏光フィルム２３、第２基板２０、第３サブピクセル（透明第２電極２１、第２配向膜２２、液晶材料４１、第１配向膜１２、透明第１電極１１から構成された第３液晶セル）、第３フィルター領域３５８Ｒ、第１基板１０、第１偏光フィルム１３を通過し、第３原色光（赤色光）として出射される。そして、以上の結果として、観察者は、カラー液晶表示装置における画像として認識することができる。
【０１７５】
実施例４のカラー液晶表示装置組立体において、第２原色発光領域３５２は、第２サブピクセルに対応した第３基板３１の第１面３１Ａの部分と第２基板２０の第２面２０Ｂの部分との間に配置されており、第３原色発光領域３５３は、第３サブピクセルに対応した第３基板３１の第１面３１Ａの部分と第２基板２０の第２面２０Ｂの部分との間に配置されており、しかも、第２集光部材３５６が第３基板３１の第１面３１Ａと第２基板２０の第２面２０Ｂとの間に配置されており、第３集光部材３５７が第３基板３１の第１面３１Ａと第２基板２０の第２面２０Ｂとの間に配置されている。それ故、第２原色発光領域３５２や第３原色発光領域３５３から出射した光が対応するサブピクセル（液晶セル）に隣接したサブピクセル（液晶セル）に入射するといった光学的クロストークが発生することを確実に防止することができる。
【０１７６】
実施例４のカラー液晶表示装置組立体におけるカラー液晶表示装置は、例えば、以下の方法で作製することができる。
【０１７７】
［工程−４００］
実施例３の［工程−３３０］と同様にして、フロント・パネルを周知のプロセスで製造する。一方、実施例１の［工程−１４０］と同様にして、リア・パネルを周知のプロセスで製造する。
【０１７８】
［工程−４１０］
一方、第３基板３１の第１面３１Ａ上に配置された光反射膜３１４の所望の領域の上に光吸収層３５４を形成し、次いで、光吸収層３５４に覆われていない光反射膜３１４の領域の上に第２原色発光領域３５２及び第３原色発光領域３５３を形成する。その後、第１原色光通過領域３５１、第２原色発光領域３５２及び第３原色発光領域３５３上に第１集光部材３５５、第２集光部材３５６及び第３集光部材３５７を貼り合わせ、更に、その上に平滑化膜３１５を貼り合わせる。尚、光吸収層３５４に囲まれている第１原色光通過領域３５１の部分を、そのままとしてもよいし、透明な樹脂で充填してもよい。
【０１７９】
［工程−４２０］
その後、第２基板２０の第２面２０Ｂに貼り合わされている第２偏光フィルム２３と平滑化膜３１５とを貼り合わせることで、リア・パネルと第３基板３１とを組み立てる。そして、周知の方法に基づき、フロント・パネル、リア・パネル、液晶材料、シール材料（封止材）等を用いてカラー液晶表示装置を組み立てる。次いで、カラー液晶表示装置と面状光源装置とを周知の方法に基づき組み立てる。
【０１８０】
尚、後述する実施例８におけるカラー液晶表示装置も、実質的に、同様の方法で作製することができる。
【実施例５】
【０１８１】
実施例５は、本発明の第３の態様、より具体的には、第３−Ａの態様に係るカラー液晶表示装置組立体に関する。
【０１８２】
実施例５、あるいは、後述する実施例６〜実施例８のカラー液晶表示装置組立体において、光源は、第１原色、第２原色及び第３原色から構成された光の三原色の内の第１原色（具体的には、青色）に相当する第１原色光、並びに、第３原色（具体的には、赤色）に相当する第３原色光を出射する。
【０１８３】
模式的な一部断面図を図５に示すように、実施例５のカラー液晶表示装置組立体にあっては、第１原色光通過領域４５１、第２原色発光領域４５２、及び、第３原色光通過領域４５３を備えている。ここで、第２原色発光領域４５２は、第２原色（緑色）に相当する第２原色光（緑色光）を発光する第２原色発光粒子から成り、光源から出射され、第２サブピクセルを通過した第１原色光（青色光）によって励起されて第２原色光（緑色光）を発光する。第１原色光通過領域４５１は、光源から出射され、第１サブピクセルを通過した第１原色光（青色光）及び第３原色光（赤色光）を通過、拡散させる。更には、第３原色光通過領域４５３は、光源から出射され、第３サブピクセルを通過した第１原色光（青色光）及び第３原色光（赤色光）を通過、拡散させる。ここで、第２原色発光領域４５２は、第２サブピクセル（緑色を表示する）に対応した第１基板１０の第１面１０Ａの部分と透明第１電極１１の部分との間に配置されている。第１原色光通過領域４５１は、第１サブピクセルに対応した第１基板１０の第１面の部分１０Ａと透明第１電極１１の部分との間に配置されており、第１拡散領域から成る。更には、第３原色光通過領域４５３は、第３サブピクセル（赤色を表示する）に対応した第１基板１０の第１面の部分１０Ａと透明第１電極１１の部分との間に配置されており、第３拡散領域から成る。
【０１８４】
実施例５のカラー液晶表示装置組立体にあっては、光源と第２原色発光領域４５２との間に配置され、光源からの第３原色光が第２原色発光領域４５２へ侵入することを阻止する第３原色光侵入阻止膜４１４Ｇが備えられている。ここで、第３原色光侵入阻止膜４１４Ｇは、第２原色発光領域４５２と透明第１電極１１との間に配置されている。更には、第１原色光通過領域４５１と透明第１電極１１との間には、第２原色光及び第３原色光を反射する光反射膜４１４が配置されている。尚、第３原色光通過領域４５３と透明第１電極１１との間には、第１原色光及び第３原色光を透過する光透過膜１４Ａが配置されている。また、第３原色光侵入阻止膜４１４Ｇ、光反射膜４１４及び光透過膜１４Ａと透明第１電極１１との間には、第１偏光フィルム１３が配置されている。更には、第２原色発光領域４５２、第１原色光通過領域４５１及び第３原色光通過領域４５３と、第３原色光侵入阻止膜４１４Ｇ、光反射膜４１４及び光透過膜１４Ａとの間には、平滑化膜４１５が配置されている。場合によっては、光透過膜１４Ａの配置は不要である。以下の実施例６〜実施例８においても同様である。第３原色光侵入阻止膜は光反射膜と同じ材料から成り、同じ構成を有する。以下の実施例においても同様である。
【０１８５】
そして、フィルター４５８を備えているが、係るフィルター４５８は、
（ａ）第１原色光通過領域４５１を通過した光の少なくも一部を通過させる第１フィルター領域４５８Ｂ、
（ｂ）第２原色発光領域４５２を出射した光の一部を通過させる黄色の第２フィルター領域４５８Ｇ、
（ｃ）第３原色光通過領域４５３を通過した光の一部を通過させる第３フィルター領域４５８Ｒ、
から構成されている。尚、第１フィルター領域４５８Ｂは青色の着色層から構成されており、第３フィルター領域４５８Ｒは黄色の着色層から構成されている。即ち、第１フィルター領域４５８Ｂは、第１原色光あるいは青色の光を通過させるフィルター領域であり、第３フィルター領域４５８Ｒは、黄色のフィルター領域である。後述する実施例６〜実施例８においても同様である。ここで、このフィルター４５８は、第１原色光通過領域４５１、第２原色発光領域４５２及び第３原色光通過領域４５３と第１基板１０の第１面１０Ａとの間に配置されている。フィルター４５８にあっては、着色パターン間の隙間を遮光するためのブラックマトリクス（例えば、クロムから成る）が設けられている。第１フィルター領域４５８Ｂ、第２フィルター領域４５８Ｇ、第３フィルター領域４５８Ｒ及びブラックマトリクスは、一体的な構成、構造を有する。後述する実施例６〜実施例８においても同様とすることができる。
【０１８６】
第１原色光通過領域４５１、第２原色発光領域４５２及び第３原色光通過領域４５３とフィルター４５８との間に、第１原色光通過領域４５１を通過した光を第１フィルター領域４５８Ｂへと集光する第１集光部材４５５、第２原色発光領域４５２において発光した第２原色光を第２フィルター領域４５８Ｇへと集光する第２集光部材４５６、及び、第３原色光通過領域４５３を通過した光を第３フィルター領域４５８Ｒへと集光する第３集光部材４５７が更に備えられている。第１集光部材４５５、第２集光部材４５６及び第３集光部材４５７は、実施例１と同様に、屈折率分布型レンズが多数配列されて成るレンズアレイが一体化されて成る。更には、第１集光部材４５５、第２集光部材４５６及び第３集光部材４５７とフィルター４５８との間には平滑化膜４１５’が配置されているが、平滑化膜４１５’を省略し、第１集光部材４５５、第２集光部材４５６及び第３集光部材４５７とフィルター４５８との間に空間を残してもよい。場合によっては、平滑化膜４１５’、第１集光部材４５５、第２集光部材４５６及び第３集光部材４５７を省略し、第３原色光侵入阻止膜４１４Ｇ及び光反射膜４１４が、第１偏光フィルム１３と、直接、接する構成、構造とすることもできる。実施例５にあっては、第２原色発光領域４５２、第１原色光通過領域４５１及び第３原色光通過領域４５３と第３原色光侵入阻止膜４１４Ｇ及び光反射膜４１４との間に平滑化膜４１５を配置したが、係る平滑化膜４１５を省略してもよい。
【０１８７】
上述したとおり、第１原色光通過領域４５１は、第１サブピクセルを通過した第１原色光及び第３原色光を拡散させる第１拡散領域から構成されており、第３原色光通過領域４５３は、第３サブピクセルを通過した第１原色光及び第３原色光を拡散させる第３拡散領域から構成されている。
【０１８８】
以上の点を除き、実施例５のカラー液晶表示装置組立体の構成、構造は、実施例１のカラー液晶表示装置組立体の構成、構造と同様とすることができるので、詳細な説明は省略する。
【０１８９】
実施例５のカラー液晶表示装置組立体にあっては、カラー液晶表示装置の作動時、光源から出射された第１原色光（青色光）及び第３原色光（赤色光）は、第２偏光フィルム２３、第２基板２０、第１サブピクセル（透明第２電極２１、第２配向膜２２、液晶材料４０、第１配向膜１２、透明第１電極１１から構成された第１液晶セル）、第１偏光フィルム１３を通過し、光反射膜４１４に到達し、第１原色光（青色光）のみが光反射膜４１４を通過し、平滑化膜４１５、第１原色光通過領域４５１、第１集光部材４５５、平滑化膜４１５’、第１フィルター領域４５８Ｂ、第１基板１０を通過し、第１原色光（青色光）として出射される。また、光源から出射された第１原色光（青色光）及び第３原色光（赤色光）は、第２偏光フィルム２３、第２基板２０、第２サブピクセル（透明第２電極２１、第２配向膜２２、液晶材料４０、第１配向膜１２、透明第１電極１１から構成された第２液晶セル）、第１偏光フィルム１３を通過し、第３原色光侵入阻止膜４１４Ｇに到達し、第１原色光（青色光）のみが第３原色光侵入阻止膜４１４Ｇを通過し、平滑化膜４１５を通過し、第２原色発光領域４５２に到達し、第２原色発光領域４５２を構成する蛍光体を励起して第２原色光（緑色）が出射される。尚、第１原色光の一部は、第２原色発光領域４５２を通過する。これらの第２原色光（緑色）及び第１原色光（青色）は、第２集光部材４５６、平滑化膜４１５’を通過し、第２フィルター領域４５８Ｇに到達し、第２原色光（緑色光）のみが第２フィルター領域４５８Ｇを通過し、更には、第１基板１０を通過し、第２原色光（緑色光）として出射される。また、光源から出射された第１原色光（青色光）及び第３原色光（赤色光）は、第２偏光フィルム２３、第２基板２０、第３サブピクセル（透明第２電極２１、第２配向膜２２、液晶材料４０、第１配向膜１２、透明第１電極１１から構成された第３液晶セル）、第１偏光フィルム１３、光透過膜１４Ａ、平滑化膜４１５、第３原色光通過領域４５３、第３集光部材４５７、平滑化膜４１５’を通過し、第３フィルター領域４５８Ｒに到達し、第３原色光（赤色光）のみが第３フィルター領域４５８Ｒを通過し、更に、第１基板１０を通過し、第３原色光（赤色光）として出射される。そして、以上の結果として、観察者は、カラー液晶表示装置における画像として認識することができる。
【０１９０】
実施例５のカラー液晶表示装置組立体において、第２原色発光領域４５２は、第２サブピクセルに対応した第１基板１０の第１面１０Ａの部分と透明第１電極１１の部分との間に配置されている。このように、第２サブピクセルから第２原色発光領域４５２までの距離を短くすることができるので、視差（パララックス）が発生し難い。しかも、第１サブピクセルを通過した第１原色光及び第１原色光を拡散させる第１原色光通過領域４５１、第３原色光通過領域４５３が、第１サブピクセル、第３サブピクセルに対応した第１基板１０の第１面１０Ａの部分と透明第１電極１１の部分との間に配置されているので、第１サブピクセル、第３サブピクセルに基づく画像を明瞭に表示することができる。
【０１９１】
また、実施例５、あるいは、後述する実施例６〜実施例８のカラー液晶表示装置組立体にあっては、光源からは、白色光が出射されるのではなく、第１原色光（青色光）及び第３原色光（赤色光）が出射される。そして、第２原色光（緑色光）を出射する第２原色発光領域は、光源とは別に設けられている。従って、光源において生成される第１原色光（青色光）及び第３原色光（赤色光）の有効利用効率の向上を図ることができ、その結果、カラー液晶表示装置組立体の消費電力の低下を達成することが可能となる。
【０１９２】
実施例５のカラー液晶表示装置組立体にあっては、フィルター４５８を配置することによって、第２原色発光領域あるいは第２原色発光粒子からの発光色の色純度の向上を図ることができるだけでなく、即ち、カラー液晶表示装置組立体にて表示される画像の色純度をより一層向上させることができるだけでなく、第２原色光の透過率の向上を図ることができるし、後述するように電気的エネルギーから光エネルギーへの変換効率が著しく高くなる。また、後述するように、第２原色発光領域の厚さあるいは第２原色発光粒子の単位面積当たりの質量の最適化を図れば、光源からの光束の有効利用効率を向上させることができる。更には、第１集光部材４５５、第２集光部材４５６及び第３集光部材４５７を備えているので、視差の発生や光学的クロストークの発生を確実に防止することができる。また、発光領域として第２原色発光領域のみを形成すればよいので、発光領域を形成する工程の簡素化を図ることができるし、例えば、第２原色発光領域を構成する材料と第３原色発光領域を構成する材料とが混ざり合ってしまうといった問題が生じることがない。後述する実施例６〜実施例８においても、本質的に、同様である。
【０１９３】
尚、場合によっては、第１フィルター領域４５８Ｂを、青色の着色層から構成するのではなく、透明な樹脂層から構成してもよい。また、第３フィルター領域４５８Ｒを、黄色の着色層から構成する代わりに、橙色（オレンジ色）の着色層から構成してもよい。即ち、フィルター４５８において、第３フィルター領域を、第３原色光通過領域を通過した光の一部を通過させる橙色のフィルター領域（オレンジ色）から構成する形態としてもよい。以下に説明する実施例６〜実施例８においても同様である。
【実施例６】
【０１９４】
実施例６は、実施例５の変形であり、本発明の第３−Ｂの態様に係るカラー液晶表示装置組立体に関する。実施例６のカラー液晶表示装置組立体にあっては、フロント・パネルに対向し、フロント・パネルに対向した第１面３０Ａ、及び、この第１面３０Ａに対向した第２面３０Ｂを有する第３基板３０を更に備えている。
【０１９５】
模式的な一部断面図を図６に示すように、実施例６のカラー液晶表示装置組立体にあっても、第１原色光通過領域５５１、第２原色発光領域５５２、及び、第３原色光通過領域５５３を備えている。ここで、第２原色発光領域５５２は、第２サブピクセルに対応した第１基板１０の第２面１０Ｂの部分と第３基板３０の第１面３０Ａの部分との間に配置され、第２原色（緑色）に相当する第２原色光（緑色光）を発光する第２原色発光粒子から成り、光源から出射され、第２サブピクセルを通過した第１原色光（青色光）によって励起されて第２原色光（緑色光）を発光する。また、第１原色光通過領域５５１は、第１サブピクセルに対応した第１基板１０の第２面１０Ｂの部分と第３基板３０の第１面３０Ａの部分との間に配置され、光源から出射され、第１サブピクセルを通過した第１原色光（青色光）及び第３原色光（赤色光）を拡散させる拡散領域（第１拡散領域）から構成されている。更には、第３原色光通過領域５５３は、第３サブピクセルに対応した第１基板１０の第２面１０Ｂの部分と第３基板３０の第１面３０Ａの部分との間に配置され、光源から出射され、第１サブピクセルを通過した第１原色光（青色光）及び第３原色光（赤色光）を拡散させる拡散領域（第３拡散領域）から構成されている。第２原色発光領域５５２と第３原色光通過領域５５３との間の領域、第１原色光通過領域５５１と第２原色発光領域５５２との間の領域、第１原色光通過領域５５１と第３原色光通過領域５５３との間の領域には、光吸収層（ブラックマトリクス）５５４が形成されている。
【０１９６】
そして、実施例６にあっては、第２原色発光領域５５２、第１原色光通過領域５５１及び第３原色光通過領域５５３と第１基板１０の第２面１０Ｂ（より具体的には、第１偏光フィルム１３）との間には、第１サブピクセルを通過した第１原色光（青色光）及び第３原色光（赤色光）を第１原色光通過領域５５１へと集光する第１集光部材５５５、第１原色光及び第３原色光を第２原色発光領域５５２へと集光する第２集光部材５５６、並びに、第１原色光及び第３原色光を第３原色光通過領域５５３へと集光する第３集光部材５５７が更に備えられている。尚、第１集光部材５５５、第２集光部材５５６及び第３集光部材５５７は、実施例１と同様に、屈折率分布型レンズが多数配列されて成るレンズアレイが一体化されて成る。第１集光部材５５５、第２集光部材５５６及び第３集光部材５５７は、第１基板１０の第２面１０Ｂに設けられた第１偏光フィルム１３上に配置されている。
【０１９７】
ここで、フィルター５５８は、第２原色発光領域５５２、第１原色光通過領域５５１及び第３原色光通過領域５５３と第３基板３０の第１面３０Ａとの間に（具体的には、第１集光部材５５５、第２集光部材５５６及び第３集光部材５５７と、第３基板３０の第１面３０Ａとの間に）配置されている。
【０１９８】
実施例６のカラー液晶表示装置組立体において、第１集光部材５５５、第２集光部材５５６及び第３集光部材５５７と第１原色光通過領域５５１、第２原色発光領域５５２及び第３原色光通過領域５５３との間には、平滑化膜５１５が配置されている。第１原色光通過領域５５１及び第２原色発光領域５５２と第１基板１０の第２面１０Ｂとの間（より具体的には、第１集光部材５５５及び第２集光部材５５６と平滑化膜５１５との間）には、第２原色光及び第３原色光を反射する光反射膜５１４、及び、第３原色光侵入阻止膜５１４Ｇが配置されている。更には、第３原色光通過領域５５３と第１基板１０の第２面１０Ｂとの間（より具体的には、第３集光部材５５７と平滑化膜５１５との間）には、第１原色光及び第３原色光を透過する光透過膜１４Ａが配置されている。尚、平滑化膜５１５を省略し、第１集光部材５５５、第２集光部材５５６及び第３集光部材５５７と第３原色光侵入阻止膜５１４Ｇ及び光反射膜５１４との間に空間を残してもよい。場合によっては、平滑化膜５１５、第１集光部材５５５、第２集光部材５５６及び第３集光部材５５７を省略し、第３原色光侵入阻止膜５１４Ｇ及び光反射膜５１４が、第１偏光フィルム１３と、直接、接する構成、構造とすることもできる。
【０１９９】
以上の点を除き、実施例６のカラー液晶表示装置組立体の構成、構造は、実施例２のカラー液晶表示装置組立体の構成、構造と同様とすることができるので、詳細な説明は省略する。
【０２００】
実施例６のカラー液晶表示装置組立体にあっては、カラー液晶表示装置の作動時、光源から出射された第１原色光（青色光）及び第３原色光（赤色光）は、第２偏光フィルム２３、第２基板２０、第１サブピクセル（透明第２電極２１、第２配向膜２２、液晶材料４０、第１配向膜１２、透明第１電極１１から構成された第１液晶セル）、第１基板１０、第１偏光フィルム１３、第１集光部材５５５、平滑化膜５１５を通過し、光反射膜５１４に到達し、第１原色光（青色光）のみが光反射膜５１４を通過し、第１原色光通過領域５５１、第１フィルター領域５５８Ｂ、第３基板３０を通過し、第１原色光（青色光）として出射される。また、光源から出射された第１原色光（青色光）及び第３原色光（赤色光）は、第２偏光フィルム２３、第２基板２０、第２サブピクセル（透明第２電極２１、第２配向膜２２、液晶材料４０、第１配向膜１２、透明第１電極１１から構成された第２液晶セル）、第１基板１０、第１偏光フィルム１３、第２集光部材５５６、平滑化膜５１５を通過し、第３原色光侵入阻止膜５１４Ｇに到達し、第１原色光（青色光）のみが第３原色光侵入阻止膜５１４Ｇを通過し、第２原色発光領域５５２に到達し、第２原色発光領域５５２を構成する蛍光体を励起して第２原色光（緑色）が出射される。尚、第１原色光の一部は、第２原色発光領域５５２を通過する。これらの第２原色光（緑色）及び第１原色光（青色）は、第２フィルター領域５５８Ｇに到達し、第２原色光（緑色光）のみが第２フィルター領域５５８Ｇを通過し、更には、第３基板３０を通過し、第２原色光（緑色光）として出射される。また、光源から出射された第１原色光（青色光）及び第３原色光（赤色光）は、第２偏光フィルム２３、第２基板２０、第３サブピクセル（透明第２電極２１、第２配向膜２２、液晶材料４０、第１配向膜１２、透明第１電極１１から構成された第３液晶セル）、第１基板１０、第１偏光フィルム１３、第３集光部材５５７、平滑化膜５１５、光透過膜１４Ａ、第３原色光通過領域５５３を通過し、第３フィルター領域５５８Ｒに到達し、第３原色光（赤色光）のみが第３フィルター領域５５８Ｒを通過し、更に、第３基板３０を通過し、第３原色光（赤色光）として出射される。そして、以上の結果として、観察者は、カラー液晶表示装置における画像として認識することができる。
【０２０１】
実施例６のカラー液晶表示装置組立体において、第２原色発光領域５５２は、第２サブピクセルに対応した第１基板１０の第２面１０Ｂの部分と第３基板３０の第１面３０Ａの部分との間に配置されており、しかも、第１基板１０の厚さが適切に選択されているので、第２サブピクセルから第２原色発光領域５５２までの距離を短くすることができる結果、視差（パララックス）が発生し難い。しかも、第１サブピクセル及び第３サブピクセルを通過した第１原色光（青色光）及び第３原色光（赤色光）を拡散させる第１原色光通過領域５５１及び第３原色光通過領域５５３が、第１サブピクセル及び第３サブピクセルに対応した第１基板１０の第１面１０Ｂの部分と第３基板３０の第１面３０Ａの部分との間に配置されているので、第１サブピクセル及び第３サブピクセルに基づく画像を明瞭に表示することができる。
【実施例７】
【０２０２】
実施例７は、本発明の第４の態様に係るカラー液晶表示装置組立体に関し、より具体的には、本発明の第４−Ａの態様に係るカラー液晶表示装置組立体に関する。
【０２０３】
模式的な一部断面図を図７に示すように、実施例７のカラー液晶表示装置組立体にあっては、第１原色光通過領域６５１、第２原色発光領域６５２、及び、第３原色光通過領域６５３を備えている。ここで、第２原色発光領域６５２は、第２原色（緑色）に相当する第２原色光（緑色光）を発光する第２原色発光粒子から成り、光源から出射された第１原色光（青色光）によって励起されて第２原色光（緑色光）を発光し、第２サブピクセルを照明する。第２原色発光領域６５２は、第２サブピクセル（緑色を表示する）に対応した第２基板２０の第１面２０Ａの部分と透明第２電極２１の部分との間に配置されている。また、第１原色光通過領域６５１は、光源から出射された第１原色光（青色光）及び第３原色光（赤色）を第１サブピクセルへと通過させる領域であり、第３原色光通過領域６５３は、光源から出射された第１原色光（青色光）及び第３原色光（赤色）を第３サブピクセルへと通過させる領域である。第２原色発光領域６５２と第３原色光通過領域６５３との間の領域、第１原色光通過領域６５１と第２原色発光領域６５２との間の領域、第１原色光通過領域６５１と第３原色光通過領域６５３との間の領域には、光吸収層（ブラックマトリクス）６５４が形成されている。
【０２０４】
そして、実施例７にあっても、フィルター６５８を更に備えている。このフィルター６５８は、第１基板１０の第１面１０Ａと透明第１電極１１との間に配置されており、
（ａ）第１サブピクセルを通過した光の少なくも一部を通過させる第１フィルター領域６５８Ｂ、
（ｂ）第２サブピクセルを通過した光の一部を通過させる黄色の第２フィルター領域６５８Ｇ、
（ｃ）第３サブピクセルを通過した光の一部を通過させる第３フィルター領域６５８Ｒ、
から構成されている。
【０２０５】
実施例７にあっては、第２原色発光領域６５２と透明第２電極２１との間に配置され、第２原色発光領域６５２において発光した第２原色光（緑色光）を第２サブピクセルへと集光する第２集光部材６５６を備えており、更には、第２基板２０の第１面２０Ａと透明第２電極２１との間に配置され、光源から出射された第１原色光及び第３原色光を第１サブピクセルへと集光する（即ち、第１原色光通過領域６５１を通過した第１原色光及び第３原色光を第１サブピクセルへと集光する）第１集光部材６５５、光源から出射された第１原色光及び第３原色光を第３サブピクセルへと集光する（即ち、第３原色光通過領域６５３を通過した第１原色光及び第３原色光を第３サブピクセルへと集光する）第３集光部材６５７を備えている。尚、第１集光部材６５５、第２集光部材６５６及び第３集光部材６５７は、実施例１と同様に、屈折率分布型レンズが多数配列されて成るレンズアレイが一体化されて成る。
【０２０６】
また、実施例７のカラー液晶表示装置組立体においては、光源と第２原色発光領域６５２との間に配置され、光源からの第３原色光が第２原色発光領域６５２へ侵入することを阻止する第３原色光侵入阻止膜６１４Ｇが備えられている。ここで、第３原色光侵入阻止膜６１４Ｇは、第２原色発光領域６５２と第２基板２０の第１面２１Ａとの間に配置されている。更には、第１原色光通過領域６５１と第２基板２０の第１面２１Ａとの間には、第２原色光及び第３原色光を反射する光反射膜６１４が配置されている。尚、第３原色光通過領域６５３と第２基板２０の第１面２１Ａとの間には、第１原色光及び第３原色光を透過する光透過膜１４Ａが配置されている。加えて、第１集光部材６５５、第２集光部材６５６及び第３集光部材６５７と透明第２電極２１との間には、第２偏光フィルム２３が配置されており、更には、第１集光部材６５５、第２集光部材６５６及び第３集光部材６５７と第２偏光フィルム２３との間には、平滑化膜６１５が配置されているが、平滑化膜６１５を省略し、第１集光部材６５５、第２集光部材６５６及び第３集光部材６５７と第２偏光フィルム２３との間に空間を残してもよい。あるいは又、平滑化膜６１５、第１集光部材６５５、第２集光部材６５６及び第３集光部材６５７を省略し、第１原色光通過領域６５１、第２原色発光領域６５２及び第３原色光通過領域６５３等が、第２偏光フィルム２３と、直接、接する構成、構造とすることもできる。
【０２０７】
以上の点を除き、実施例７のカラー液晶表示装置組立体の構成、構造は、実施例３のカラー液晶表示装置組立体の構成、構造と同様とすることができるので、詳細な説明は省略する。尚、第１基板１０の第１面１０Ａに第１偏光フィルム１３を配置してもよい。
【０２０８】
実施例７のカラー液晶表示装置組立体にあっては、カラー液晶表示装置の作動時、光源から出射された第１原色光（青色光）及び第３原色光（赤色光）は、第２基板２０を通過し、光反射膜６１４に到達し、第１原色光（青色光）のみが光反射膜６１４を通過し、更に、第１原色光通過領域６５１、第１集光部材６５５、平滑化膜６１５、第２偏光フィルム２３、第１サブピクセル（透明第２電極２１、第２配向膜２２、液晶材料４１、第１配向膜１２、透明第１電極１１から構成された第１液晶セル）、第１フィルター領域６５８Ｂ、第１基板１０、第１偏光フィルム１３を通過し、第１原色光（青色光）のまま出射される。また、光源から出射された第１原色光（青色光）及び第３原色光（赤色光）は、第２基板２０を通過し、第３原色光侵入阻止膜６１４Ｇに到達し、第１原色光（青色光）のみが第３原色光侵入阻止膜６１４Ｇを通過し、更に、第２原色発光領域６５２に到達し、第２原色発光領域６５２を構成する蛍光体を励起して第２原色光（緑色）が出射される。尚、第１原色光の一部は、第２原色発光領域６５２を通過する。これらの第２原色光（緑色）及び第１原色光（青色）は、第２集光部材６５６、平滑化膜６１５、第２偏光フィルム２３、第２サブピクセル（透明第２電極２１、第２配向膜２２、液晶材料４１、第１配向膜１２、透明第１電極１１から構成された第２液晶セル）を通過し、第２フィルター領域６５８Ｇに到達し、第２原色光（緑色光）のみが第２フィルター領域６５８Ｇを通過し、更には、第１基板１０、第１偏光フィルム１３を通過し、第２原色光（緑色光）として出射される。また、光源から出射された第１原色光（青色光）及び第３原色光（赤色光）は、第２基板２０、光透過膜１４Ａ、第３原色光通過領域６５３、第３集光部材６５７、平滑化膜６１５、第２偏光フィルム２３、第３サブピクセル（透明第２電極２１、第２配向膜２２、液晶材料４１、第１配向膜１２、透明第１電極１１から構成された第３液晶セル）を通過し、第３フィルター領域６５８Ｒに到達し、第３原色光（赤色光）のみが第３フィルター領域６５８Ｒを通過し、更に、第１基板１０、第１偏光フィルム１３を通過し、第３原色光（赤色光）のまま出射される。そして、以上の結果として、観察者は、カラー液晶表示装置における画像として認識することができる。
【０２０９】
実施例７のカラー液晶表示装置組立体において、第２原色発光領域６５２は、第２サブピクセルに対応した第２基板２０の第１面２０Ａの部分と透明第２電極２１の部分との間に配置されており、しかも、第２集光部材６５６が第２原色発光領域６５２と透明第２電極２１との間に配置されている。それ故、第２原色発光領域６５２や第３原色光通過領域６５３から出射した光が対応するサブピクセル（液晶セル）に隣接したサブピクセル（液晶セル）に入射するといった光学的クロストークが発生することを確実に防止することができる。
【実施例８】
【０２１０】
実施例８も、実施例７の変形であるが、本発明の第４−Ｂの態様に係るカラー液晶表示装置組立体に関する。実施例８のカラー液晶表示装置組立体にあっては、リア・パネルと面状光源装置６０との間に配置され、リア・パネルに対向した第１面３１Ａ、及び、面状光源装置６０に対向した第２面３１Ｂを有する第３基板３１を更に備えている。
【０２１１】
模式的な一部断面図を図８に示すように、実施例８のカラー液晶表示装置組立体にあっても、第１原色光通過領域７５１、第２原色発光領域７５２、及び、第３原色光通過領域７５３を備えている。ここで、第２原色発光領域７５２は、第２サブピクセルに対応した第３基板３１の第１面３１Ａの部分と第２基板２０の第２面２０Ｂの部分との間に配置され、第２原色（緑色）に相当する第２原色光（緑色光）を発光する第２原色発光粒子から成り、光源から出射された第１原色光（青色光）によって励起されて第２原色光（緑色光）を発光し、第２サブピクセルを照明する。また、第１原色光通過領域７５１は、光源から出射された第１原色光（青色光）及び第３原色光（赤色光）を第１サブピクセルへと通過させる領域であり、第３原色光通過領域７５３は、光源から出射された第１原色光（青色光）及び第３原色光（赤色光）を第３サブピクセルへと通過させる領域である。第２原色発光領域７５２と第３原色光通過領域７５３との間の領域、第１原色光通過領域７５１と第２原色発光領域７５２との間の領域、第１原色光通過領域７５１と第３原色光通過領域７５３との間の領域には、光吸収層（ブラックマトリクス）７５４が形成されている。
【０２１２】
実施例８にあっては、第３基板３１の第１面３１Ａと第２基板２０の第２面２０Ｂとの間に配置され、第２原色発光領域７５２において発光した第２原色光（緑色光）を第２サブピクセルへと集光する第２集光部材７５６を備えており、更には、第３基板３１の第１面３１Ａと第２基板２０の第２面２０Ｂとの間に配置され、光源から出射された第１原色光及び第３原色光を第１サブピクセルへと集光する（即ち、第１原色光通過領域７５１を通過した第１原色光及び第３原色光を第１サブピクセルへと集光する）第１集光部材７５５、第３基板３１の第１面３１Ａと第２基板２０の第２面２０Ｂとの間に配置され、光源から出射された第１原色光及び第３原色光を第３サブピクセルへと集光する（即ち、第３原色光通過領域７５３を通過した第１原色光及び第３原色光を第３サブピクセルへと集光する）第３集光部材７５７を更に備えている。尚、第１集光部材７５５、第２集光部材７５６及び第３集光部材７５７は、実施例１と同様に、屈折率分布型レンズが多数配列されて成るレンズアレイが一体化されて成る。
【０２１３】
また、実施例８のカラー液晶表示装置組立体において、第１原色光通過領域７５１及び第２原色発光領域７５２と第３基板３１の第１面３１Ａとの間には、第２原色光及び第３原色光を反射する光反射膜７１４、及び、第３原色光侵入阻止膜７１４Ｇが配置されている。尚、第３原色光通過領域７５３と第３基板３１の第１面３１Ａとの間には、第１原色光及び第３原色光を透過する光透過膜１４Ａが配置されている。加えて、第１集光部材７５５、第２集光部材７５６及び第３集光部材７５７と透明第２電極２１との間には、第２偏光フィルム２３が配置されており、更には、第１集光部材７５５、第２集光部材７５６及び第３集光部材７５７と第２偏光フィルム２３との間には、平滑化膜７１５が配置されているが、平滑化膜７１５を省略し、第１集光部材７５５、第２集光部材７５６及び第３集光部材７５７と第２偏光フィルム２３との間に空間を残してもよい。あるいは又、平滑化膜７１５、第１集光部材７５５、第２集光部材７５６及び第３集光部材７５７を省略し、第１原色光通過領域７５１、第２原色発光領域７５２及び第３原色光通過領域７５３等が、第２偏光フィルム２３と、直接、接する構成、構造とすることもできる。
【０２１４】
以上の点を除き、実施例８のカラー液晶表示装置組立体の構成、構造は、実施例４のカラー液晶表示装置組立体の構成、構造と同様とすることができるので、詳細な説明は省略する。尚、第１基板１０の第１面１０Ａに第１偏光フィルム１３を配置してもよい。
【０２１５】
実施例８のカラー液晶表示装置組立体にあっては、カラー液晶表示装置の作動時、光源から出射された第１原色光（青色光）及び第３原色光（赤色光）は、第３基板３１を通過し、光反射膜７１４に到達し、第１原色光（青色光）のみが光反射膜７１４を通過し、更に、第１原色光通過領域７５１、第１集光部材７５５、平滑化膜７１５、第２偏光フィルム２３、第２基板２０、第１サブピクセル（透明第２電極２１、第２配向膜２２、液晶材料４１、第１配向膜１２、透明第１電極１１から構成された第１液晶セル）を通過し、第１フィルター領域７５８Ｂに到達し、第１原色光（青色光）のみが第１フィルター領域７５８Ｂを通過し、更に、第１基板１０、第１偏光フィルム１３を通過し、第１原色光（青色光）のまま出射される。また、光源から出射された第１原色光（青色光）及び第３原色光（赤色光）は、第３基板３１を通過し、第３原色光侵入阻止膜７１４Ｇに到達し、第１原色光（青色光）のみが第３原色光侵入阻止膜７１４Ｇを通過し、更に、第２原色発光領域７５２に到達し、第２原色発光領域７５２を構成する蛍光体を励起して第２原色光（緑色）が出射される。尚、第１原色光の一部は、第２原色発光領域７５２を通過する。これらの第２原色光（緑色）及び第１原色光（青色）は、第２集光部材７５６、平滑化膜７１５、第２偏光フィルム２３、第２基板２０、第２サブピクセル（透明第２電極２１、第２配向膜２２、液晶材料４１、第１配向膜１２、透明第１電極１１から構成された第２液晶セル）を通過し、第２フィルター領域７５８Ｇに到達し、第２原色光（緑色光）のみが第２フィルター領域７５８Ｇを通過し、更には、第１基板１０、第１偏光フィルム１３を通過し、第２原色光（緑色光）として出射される。また、光源から出射された第１原色光（青色光）及び第３原色光（赤色光）は、第３基板３１、光透過膜１４Ａ、第３原色光通過領域７５３、第３集光部材７５７、平滑化膜７１５、第２偏光フィルム２３、第２基板２０、第３サブピクセル（透明第２電極２１、第２配向膜２２、液晶材料４１、第１配向膜１２、透明第１電極１１から構成された第３液晶セル）を通過し、第３フィルター領域７５８Ｒに到達し、第３原色光（赤色光）のみが第３フィルター領域７５８Ｒを通過し、更に、第１基板１０、第１偏光フィルム１３を通過し、第３原色光（赤色光）のまま出射される。そして、以上の結果として、観察者は、カラー液晶表示装置における画像として認識することができる。
【０２１６】
実施例８のカラー液晶表示装置組立体において、第２原色発光領域７５２は、第２サブピクセルに対応した第３基板３１の第１面３１Ａの部分と第２基板２０の第２面２０Ｂの部分との間に配置されてしかも、第２集光部材７５６が第３基板３１の第１面３１Ａと第２基板２０の第２面２０Ｂとの間に配置されており、第３集光部材７５７が第３基板３１の第１面３１Ａと第２基板２０の第２面２０Ｂとの間に配置されている。それ故、第２原色発光領域７５２から出射した光が対応するサブピクセル（液晶セル）に隣接したサブピクセル（液晶セル）に入射するといった光学的クロストークが発生することを確実に防止することができる。
【実施例９】
【０２１７】
実施例９は、本発明の発光装置に関する。実施例９の発光装置は、図１６の（Ａ）に模式的な断面図を示すように、
（イ）青色に相当する第１原色光を出射する光源１０００、
（ロ）第１原色光によって励起され、緑色に相当する第２原色光を出射する第２原色発光粒子１００１、及び、
（ハ）第２原色発光粒子１００１からの出射光の一部を通過させる黄色のフィルター１００２、
を備えている。尚、光源１０００、第２原色発光粒子１００１、黄色のフィルター１００２は、例えば、実施例１において用いたものと同じである。光源１０００は収納容器（ケース）１００３の底部に、図示しない適切な手段を用いて取り付けられ、収納容器１００３の頂部には、フィルター１００２が図示しない適切な手段を用いて取り付けられている。そして、収納容器１００３の内部に、適切な量の第２原色発光粒子１００１が、例えば、シリコーン樹脂やエポキシ樹脂に分散させた状態で、充填されている。収納容器１００３の内面には、光反射膜を設けてもよい。
【０２１８】
ここで、フィルター１００２は、４７０ｎｍ以下の波長の光を遮断する。また、光源１０００は、ＩｎＧａＮといった化合物半導体から構成され、ｐｎ接合を利用した発光ダイオードから成る。この発光ダイオードを駆動電流４０ミリアンペア（消費電力０．１２４ワット・時）としたときの発光スペクトルを図１６の（Ｂ）に示す。第２原色発光粒子１００１は、ＳｒＧａ2Ｓ4：Ｅｕ（発光波長λ2＝５３８ｎｍ）から成る。また、係る第２原色発光粒子を波長４５０ｎｍの青色光で励起したときの発光スペクトルを図１７の（Ａ）に示し、係る第２原色発光粒子の励起スペクトルを図１７の（Ｂ）に示す。更には、フィルター１００２の透過スペクトルを図１８の（Ａ）に示し、次に述べる比較例９−Ｂにて用いた緑色のフィルターの透過スペクトルを図１８の（Ｂ）に示す。更には、橙色（オレンジ色）の透過スペクトルを図１９に示す。
【０２１９】
以下に示す比較例の発光装置を試作した。
【０２２０】
［比較例９−Ａ］
フィルター：無し
光源      ：実施例９と同じ
発光粒子  ：実施例９と同じ第２原色発光粒子
［比較例９−Ｂ］
フィルター：緑色のフィルター
光源      ：実施例９と同じ
発光粒子  ：実施例９と同じ第２原色発光粒子
［比較例９−Ｃ］
フィルター：無し
光源      ：ＩｎＧａＮ系化合物半導体層から構成された緑色発光の発光ダイオード
発光粒子  ：無し
【０２２１】
実施例９、及び、比較例９−Ａ、比較例９−Ｂ、比較例９−Ｃにおいて消費電力を０．１２４ワット・時としたときの光束の測定結果を以下の表３に示すが、表３からも、実施例９の光源装置は発光の効率が高いことが判る。特に、実施例９と比較例９−Ｂでは、黄色のフィルターを用いるか、緑色のフィルターを用いるかで、発光量が大きく異なっているが、これは、緑色のフィルターを通過する第２原色光の一部分が緑色のフィルターによって吸収されるのに対して、黄色のフィルターを通過する第２原色光は黄色のフィルターによって吸収されることがないためである。尚、上述した発光ダイオードを駆動電流３０ミリアンペア、輝度１０ルーメン／ワットで発光させたとき、発光装置として、８０ルーメン／ワットの輝度を得ることができた。
【０２２２】
［表３］
実施例９    ：９．６ルーメン
比較例９−Ａ：７．２ルーメン
比較例９−Ｂ：７．１ルーメン
比較例９−Ｃ：５．７ルーメン
【０２２３】
また、第２原色発光粒子の単位面積当たりの質量をＰ（単位：ミリグラム／ｃｍ2）としたとき、第２原色光の波長をλ2、第２原色発光粒子から出射され、フィルターを通過する前の光のスペクトルにおける波長λ2での光強度Ｉ2（λ2）は、Ｐを変数とした上に凸の関数で表されるが、光強度Ｉ2（λ2）とＰとの関係を求めた結果を、図２０に示す。
【０２２４】
実施例９、あるいは、実施例１〜実施例８にあっては、光強度Ｉ2（λ2）が最大の値を得られる状態、即ち、
Ｉ2（λ1）／Ｉ2（λ2）＝１／３
が得られるように、Ｐの値を決定している。ここで、係るＰの値における、黄色のフィルター１００２を通過させる前の発光色の色度座標（ｘ’2，ｙ’2）の値は（０．２５４，０．５５０）であり、黄色のフィルター１００２を通過させた後の発光色の色度座標（ｘ2，ｙ2）の値は（０．２８１，０．６７５）であった。また、係るＰの値における黄色のフィルター１００２を通過させる前の発光色のスペクトルを図２１の（Ａ）に示し、黄色のフィルター１００２を通過させた後の発光色のスペクトルを図２１の（Ｂ）に「Ａ」で示す。また、参考のために、緑色のフィルターを通過させた後の発光色のスペクトルを図２１の（Ｂ）に併せて「Ｂ」で示す。尚、
１／８≦Ｉ2（λ1）／Ｉ2（λ2）≦１／１．８
の範囲において、凸の関数の最大値が得られる質量の値をＰmaxとしたとき、
０．７Ｐmax≦Ｐ0≦１．３Ｐmax
を満足している。尚、Ｐ0は、発光装置あるいは実施例１〜実施例８において使用される第２原色発光粒子の単位面積当たりの質量である。ここで、
Ｉ2（λ1）／Ｉ2（λ2）＝１／８
を満足するときのＰ0の値は
Ｐ0＝６．９ミリグラム／ｃｍ2
であり、
Ｉ2（λ1）／Ｉ2（λ2）＝１／１．８
を満足するときのＰ0の値は
Ｐ0＝３．６５ミリグラム／ｃｍ2
である。
【０２２５】
このように、第１原色光の波長をλ1、第２原色発光粒子あるいは第２原色発光領域から出射され、フィルターを通過する前の光のスペクトルにおける波長λ1での光強度をＩ2（λ1）としたとき、一般に、第２原色発光粒子の単位面積当たりの質量（あるいは又、第２原色発光領域の厚さ）を厚くしていくと、Ｉ2（λ1）の値は減少する。一方、Ｉ2（λ1）／Ｉ2（λ2）の値は、一旦、増加し、次いで、減少し、輝度が低下するので、Ｉ2（λ1）／Ｉ2（λ2）の値及びＩ2（λ2）の値に基づき、第２原色発光粒子の単位面積当たりの質量あるいは第２原色発光領域の厚さの最適化を図ればよい。
【０２２６】
以上に説明した実施例１〜実施例８のカラー液晶表示装置組立体にあっては、面状光源装置６０として、図２３の（Ａ）に示した従来の直下型の面状光源装置を採用してもよいし、以下に説明する分割駆動方式（部分駆動方式）の面状光源装置８２０を採用してもよい。
【０２２７】
分割駆動方式の面状光源装置は、カラー液晶表示装置の表示領域をＰ×Ｑ個の仮想の表示領域ユニットに分割したと想定したときのこれらのＰ×Ｑ個の表示領域ユニットに対応したＰ×Ｑ個の面状光源ユニットから成り、Ｐ×Ｑ個の面状光源ユニットの発光状態は、個別に制御される。
【０２２８】
図９に概念図を示すように、カラー液晶表示装置８１０は、第１の方向に沿ってＭ0個、第２の方向に沿ってＮ0個の、合計Ｍ0×Ｎ0個のピクセルが２次元マトリクス状に配列された表示領域８１１を備えている。ここで、表示領域８１１を、Ｐ×Ｑ個の仮想の表示領域ユニット８１２に分割したと想定する。各表示領域ユニット８１２は複数のピクセルから構成されている。具体的には、例えば、画像表示用解像度としてＨＤ−ＴＶ規格を満たすものであり、２次元マトリクス状に配列されたピクセル（画素）の数Ｍ0×Ｎ0を（Ｍ0，Ｎ0）で表記したとき、例えば、（１９２０，１０８０）である。また、２次元マトリクス状に配列されたピクセルから構成された表示領域８１１（図９において、一点鎖線で示す）がＰ×Ｑ個の仮想の表示領域ユニット８１２（境界を点線で示す）に分割されている。（Ｐ，Ｑ）の値は、例えば、（１９，１２）である。但し、図面の簡素化のため、図９における表示領域ユニット８１２（及び、後述する面状光源ユニット８２２）の数は、この値と異なる。各表示領域ユニット８１２は複数（Ｍ×Ｎ）のピクセルから構成されており、１つの表示領域ユニット８１２を構成するピクセルの数は、例えば、約１万である。各ピクセルは、それぞれが異なる色を発光する複数のサブピクセルを１組として構成されている。より具体的には、各ピクセル（画素）は、第１サブピクセル（青色発光サブピクセル，サブピクセル［Ｂ］）、第２サブピクセル（緑色発光サブピクセル，サブピクセル［Ｇ］）、及び、第３サブピクセル（赤色発光サブピクセル，サブピクセル［Ｒ］）の３種のサブピクセル（副画素）から構成されている。このカラー液晶表示装置８１０は、線順次駆動される。より具体的には、カラー液晶表示装置８１０は、マトリクス状に交差する走査電極（第１の方向に沿って延びている）とデータ電極（第２の方向に沿って延びている）とを有し、走査電極に走査信号を入力して走査電極を選択、走査し、データ電極に入力されたデータ信号（制御信号に基づく信号である）に基づき画像を表示させ、１画面を構成する。
【０２２９】
カラー液晶表示装置８１０は、具体的には、実施例１〜実施例８あるいはその変形例にて説明した構造を有する。
【０２３０】
直下型の面状光源装置（バックライト）８２０は、Ｐ×Ｑ個の仮想の表示領域ユニット８１２に対応したＰ×Ｑ個の面状光源ユニット８２２から成り、各面状光源ユニット８２２は、面状光源ユニット８２２に対応する表示領域ユニット８１２を背面から照明する。面状光源ユニット８２２に備えられた光源は、個別に制御される。但し、面状光源ユニット８２２の光源輝度は、他の面状光源ユニット８２２に備えられた光源の発光状態等による影響を受けない。尚、カラー液晶表示装置８１０の下方に面状光源装置８２０が位置しているが、図９においては、カラー液晶表示装置８１０と面状光源装置８２０とを別々に表示した。面状光源装置８２０における面状光源ユニット８２２等の配置、配列状態を図１１の（Ａ）に模式的に示し、カラー液晶表示装置８１０及び面状光源装置８２０から成るカラー液晶表示装置組立体の模式的な一部断面図を図１１の（Ｂ）に示す。光源は、パルス幅変調（ＰＷＭ）制御方式に基づき駆動される発光ダイオード８２３から成る。面状光源ユニット８２２の輝度の増減は、面状光源ユニット８２２を構成する発光ダイオード８２３のパルス幅変調制御におけるデューティ比の増減制御によって行う。
【０２３１】
図１１の（Ｂ）にカラー液晶表示装置組立体の模式的な一部断面図を示すように、面状光源装置８２０は、外側フレーム８３３と内側フレーム８３４とを備えた筐体８３１から構成されている。そして、カラー液晶表示装置８１０の端部は、外側フレーム８３３と内側フレーム８３４とによって、スペーサ８３５Ａ，８３５Ｂを介して挟み込まれるように保持されている。外側フレーム８３３と内側フレーム８３４との間には、ガイド部材８３６が配置されており、外側フレーム８３３と内側フレーム８３４とによって挟み込まれたカラー液晶表示装置８１０がずれない構造となっている。筐体８３１の内部であって上部には、光拡散板８４１が、スペーサ８３５Ｃ、ブラケット部材８３７を介して、内側フレーム８３４に取り付けられている。光拡散板８４１の上には、拡散シート８４２、プリズムシート８４３、偏光変換シート８４４といった光学機能シート群が積層されている。
【０２３２】
筐体８３１の内部であって下部には、反射シート８４５が備えられている。ここで、この反射シート８４５は、その反射面が光拡散板８４１と対向するように配置され、筐体８３１の底面８３２Ａに図示しない取付け用部材を介して取り付けられている。反射シート８４５は、例えば、シート基材上に、白色ポリエチレンテレフタレートフィルム（ＭＣＰＥＴ）や銀反射膜、低屈折率膜、高屈折率膜を順に積層された構造を有する銀増反射膜から構成することができる。反射シート８４５は、発光ダイオード８２３から出射された光や、筐体８３１の側面８３２Ｂ、あるいは、図１１の（Ａ）に示す隔壁８２１によって反射された光を反射する。こうして、第１原色光通過領域あるいは第１原色光通過領域、第２原色発光領域、第３原色光通過領域あるいは第３原色発光領域を照明する発光ダイオード８２３から出射された第１原色光（青色光）あるいは第２原色光（赤色光）を照明光として用いる。この照明光は、面状光源ユニット８２２から光拡散板８４１を介して出射され、拡散シート８４２、プリズムシート８４３、偏光変換シート８４４といった光学機能シート群を通過し、カラー液晶表示装置８１０を背面から照明する。
【０２３３】
筐体８３１の底面８３２Ａ近傍には、光センサーであるフォトダイオード８２４が配置されている。ここで、１個の面状光源ユニット８２２に１つの光センサー（フォトダイオード８２４）が配置されている。光センサーであるフォトダイオード８２４によって、発光ダイオード８２３の輝度及び色度が測定される。
【０２３４】
図９及び図１０に示すように、外部（ディスプレイ回路）からの駆動信号に基づき面状光源装置８２０及びカラー液晶表示装置８１０を駆動するための駆動回路は、パルス幅変調制御方式に基づき、面状光源装置８２０を構成する発光ダイオード８２３のオン／オフ制御を行う面状光源装置制御回路８５０及び面状光源ユニット駆動回路８６０、並びに、液晶表示装置駆動回路８７０から構成されている。
【０２３５】
面状光源装置制御回路８５０は、演算回路８５１及び記憶装置（メモリ）８５２から構成されている。一方、面状光源ユニット駆動回路８６０は、演算回路８６１、記憶装置（メモリ）８６２、ＬＥＤ駆動回路８６３、フォトダイオード制御回路８６４、ＦＥＴから成るスイッチング素子８６５、発光ダイオード駆動電源（定電流源）８６６から構成されている。面状光源装置制御回路８５０及び面状光源ユニット駆動回路８６０を構成するこれらの回路等は、周知の回路等とすることができる。一方、カラー液晶表示装置８１０を駆動するための液晶表示装置駆動回路８７０は、タイミングコントローラ８７１といった周知の回路から構成されている。カラー液晶表示装置８１０には、液晶セルを構成するＴＦＴから成るスイッチング素子を駆動するためのゲート・ドライバ、ソース・ドライバ等（これらは図示せず）が備えられている。
【０２３６】
そして、或る画像表示フレームにおける発光ダイオード８２３の発光状態は、フォトダイオード８２４によって測定され、フォトダイオード８２４からの出力はフォトダイオード制御回路８６４に入力され、フォトダイオード制御回路８６４、演算回路８６１において、発光ダイオード８２３の例えば輝度及び色度としてのデータ（信号）とされ、係るデータがＬＥＤ駆動回路８６３に送られ、次の画像表示フレームにおける発光ダイオード８２３の発光状態が制御されるといったフィードバック機構が形成される。
【０２３７】
発光ダイオード８２３の下流には電流検出用の抵抗体ｒが、発光ダイオード８２３と直列に挿入されており、抵抗体ｒを流れる電流が電圧に変換され、抵抗体ｒにおける電圧降下が所定の値となるように、ＬＥＤ駆動回路８６３の制御下、発光ダイオード駆動電源８６６の動作が制御される。ここで、図１０には、発光ダイオード駆動電源（定電流源）８６６を１つで描写しているが、実際には、発光ダイオード８２３のそれぞれを駆動するための発光ダイオード駆動電源８６６が配されている。尚、図１０には、３組の面状光源ユニット８２２を図示している。図１０においては、１つの面状光源ユニット８２２には１つの発光ダイオード８２３が備えられている構成を示したが、１つの面状光源ユニット８２２を構成する発光ダイオード８２３の個数は１つに限定されない。発光ダイオード４２３からは、第１原色に相当する第１原色光（青色光）が出射され、あるいは又、第１原色に相当する第１原色光（青色光）及び第３原色に相当する第３原色光（赤色）が出射される。
【０２３８】
２次元マトリクス状に配列されたピクセルから構成された表示領域８１１がＰ×Ｑ個の表示領域ユニットに分割されているが、この状態を、「行」及び「列」で表現すると、Ｑ行×Ｐ列の表示領域ユニットに分割されていると云える。また、表示領域ユニット８１２は複数（Ｍ×Ｎ）のピクセルから構成されているが、この状態を、「行」及び「列」で表現すると、Ｎ行×Ｍ列のピクセルから構成されていると云える。更には、第３サブピクセル（サブピクセル［Ｒ］）、第２発光サブピクセル（サブピクセル［Ｇ］）、及び、第１発光サブピクセル（サブピクセル［Ｂ］）を一括して纏めて『サブピクセル［Ｒ，Ｇ，Ｂ］』と呼ぶ場合があるし、サブピクセル［Ｒ，Ｇ，Ｂ］の動作の制御（具体的には、例えば、光透過率（開口率）の制御）のためにサブピクセル［Ｒ，Ｇ，Ｂ］に入力される第３サブピクセル・制御信号、第２サブピクセル・制御信号、及び、第１サブピクセル・制御信号を一括して纏めて『制御信号［Ｒ，Ｇ，Ｂ］』と呼ぶ場合があるし、表示領域ユニットを構成するサブピクセル［Ｒ，Ｇ，Ｂ］を駆動するために駆動回路に外部から入力される第３サブピクセル・駆動信号、第２サブピクセル・駆動信号、及び、第１サブピクセル・駆動信号を一括して纏めて『駆動信号［Ｒ，Ｇ，Ｂ］』と呼ぶ場合がある。
【０２３９】
各ピクセルは、前述したように、第３サブピクセル（サブピクセル［Ｒ］）、第２サブピクセル（サブピクセル［Ｇ］）、及び、第１サブピクセル（サブピクセル［Ｂ］）の３種のサブピクセルを１組として構成されている。以下の実施例の説明においては、サブピクセル［Ｒ，Ｇ，Ｂ］のそれぞれの輝度の制御（階調制御）を８ビット制御とし、０〜２５５の２8段階にて行うとする。従って、各表示領域ユニット８１２を構成する各ピクセルにおけるサブピクセル［Ｒ，Ｇ，Ｂ］のそれぞれを駆動するために液晶表示装置駆動回路８７０に入力される駆動信号［Ｒ，Ｇ，Ｂ］の値ｘR，ｘG，ｘBのそれぞれは、２8段階の値をとる。また、各面状光源ユニットを構成する発光ダイオード８２３のそれぞれの発光時間を制御するためのパルス幅変調出力信号の値ＰＳも、０〜２５５の２8段階の値をとる。但し、これに限定するものではなく、例えば、１０ビット制御とし、０〜１０２３の２10段階にて行うこともでき、この場合には、８ビットの数値での表現を、例えば４倍すればよい。
【０２４０】
ピクセルのそれぞれに、ピクセルのそれぞれの光透過率Ｌｔを制御する制御信号が駆動回路から供給される。具体的には、サブピクセル［Ｒ，Ｇ，Ｂ］のそれぞれに、サブピクセル［Ｒ，Ｇ，Ｂ］のそれぞれの光透過率Ｌｔを制御する制御信号［Ｒ，Ｇ，Ｂ］が液晶表示装置駆動回路８７０から供給される。即ち、液晶表示装置駆動回路８７０においては、入力された駆動信号［Ｒ，Ｇ，Ｂ］から制御信号［Ｒ，Ｇ，Ｂ］が生成され、この制御信号［Ｒ，Ｇ，Ｂ］がサブピクセル［Ｒ，Ｇ，Ｂ］に供給（出力）される。尚、面状光源ユニット８２２の輝度である光源輝度Ｙ2を１画像表示フレーム毎に変化させるので、制御信号［Ｒ，Ｇ，Ｂ］は、例えば、駆動信号［Ｒ，Ｇ，Ｂ］の値ｘR，ｘG，ｘBを２．２乗した値に対して、光源輝度Ｙ2の変化に基づく補正（補償）を行った値ＸR-corr，ＸG-corr，ＸB-corrを有する。そして、液晶表示装置駆動回路８７０を構成するタイミングコントローラ８７１から、カラー液晶表示装置８１０のゲート・ドライバ及びソース・ドライバに、制御信号［Ｒ，Ｇ，Ｂ］が周知の方法で送出され、制御信号［Ｒ，Ｇ，Ｂ］に基づき各サブピクセルを構成するスイッチング素子が駆動され、液晶セルを構成する透明第１電極１１及び透明第２電極２１に所望の電圧が印加されることで、各サブピクセルの光透過率（開口率）Ｌｔが制御される。ここで、制御信号［Ｒ，Ｇ，Ｂ］の値ＸR-corr，ＸG-corr，ＸB-corrが大きいほど、サブピクセル［Ｒ，Ｇ，Ｂ］の光透過率（開口率）Ｌｔが高くなり、サブピクセル［Ｒ，Ｇ，Ｂ］に対応する表示領域の部分の輝度（表示輝度ｙ）の値が高くなる。即ち、サブピクセル［Ｒ，Ｇ，Ｂ］を通過する光によって構成される画像（通常、一種、点状である）は明るい。
【０２４１】
表示輝度ｙ及び光源輝度Ｙ2の制御は、カラー液晶表示装置８１０の画像表示における１画像表示フレーム毎、表示領域ユニット毎、面状光源ユニット毎に行われる。また、１画像表示フレーム内におけるカラー液晶表示装置８１０の動作と面状光源装置８２０の動作とは同期させられる。尚、駆動回路に電気信号として１秒間に送られる画像情報の数（毎秒画像）がフレーム周波数（フレームレート）であり、フレーム周波数の逆数がフレーム時間（単位：秒）である。
【０２４２】
以下、分割駆動方式の面状光源装置の駆動方法を、図９、図１０及び図１２を参照して説明する。尚、図１２は、分割駆動方式の面状光源装置の駆動方法を説明するための流れ図である。
【０２４３】
ここで、ピクセルのそれぞれに、ピクセルのそれぞれの光透過率Ｌｔを制御する制御信号が駆動回路から供給される。より具体的には、各ピクセルを構成するサブピクセル［Ｒ，Ｇ，Ｂ］のそれぞれに、サブピクセル［Ｒ，Ｇ，Ｂ］のそれぞれの光透過率Ｌｔを制御する制御信号［Ｒ，Ｇ，Ｂ］が駆動回路８７０から供給される。そして、面状光源ユニット８２２のそれぞれにおいて、各表示領域ユニット８１２を構成する全てのピクセル（サブピクセル［Ｒ，Ｇ，Ｂ］）を駆動するために駆動回路８５０，８６０，８７０に入力される駆動信号［Ｒ，Ｇ，Ｂ］の値ｘR，ｘG，ｘBの内の最大値である表示領域ユニット内・駆動信号最大値ｘU-maxに等しい値を有する駆動信号に相当する制御信号がピクセルに供給されたと想定したときのピクセル（サブピクセル［Ｒ，Ｇ，Ｂ］）の輝度（光透過率・第１規定値Ｌｔ1における表示輝度・第２規定値ｙ2）が得られるように、この表示領域ユニット８１２に対応する面状光源ユニット８２２を構成する光源の輝度を、面状光源装置制御回路８５０及び面状光源ユニット駆動回路８６０によって制御する。具体的には、サブピクセルの光透過率（開口率）を、光透過率・第１規定値Ｌｔ1としたときに表示輝度ｙ2が得られるように、光源輝度Ｙ2を制御すればよい（例えば、減少させればよい）。即ち、例えば、以下の式（Ａ）を満足するように、画像表示フレーム毎に面状光源ユニット８２２の光源輝度Ｙ2を制御すればよい。尚、Ｙ2≦Ｙ1の関係にある。
【０２４４】
Ｙ2・Ｌｔ1＝Ｙ1・Ｌｔ2    （Ａ）
【０２４５】
［ステップ−１００］
スキャンコンバータ等の周知のディスプレイ回路から送出された１画像表示フレーム分の駆動信号［Ｒ，Ｇ，Ｂ］及びクロック信号ＣＬＫは、面状光源装置制御回路８５０及び液晶表示装置駆動回路８７０に入力される（図９参照）。尚、駆動信号［Ｒ，Ｇ，Ｂ］は、例えば撮像管への入力光量をｙ’としたとき、撮像管からの出力信号であり、例えば放送局等から出力され、ピクセルの光透過率Ｌｔを制御するために液晶表示装置駆動回路８７０にも入力される駆動信号であり、入力光量ｙ’の０．４５乗の関数で表すことができる。そして、面状光源装置制御回路８５０に入力された１画像表示フレーム分の駆動信号［Ｒ，Ｇ，Ｂ］の値ｘR，ｘG，ｘBは、面状光源装置制御回路８５０を構成する記憶装置（メモリ）８５２に、一旦、記憶される。また、液晶表示装置駆動回路８７０に入力された１画像表示フレーム分の駆動信号［Ｒ，Ｇ，Ｂ］の値ｘR，ｘG，ｘBも、液晶表示装置駆動回路８７０を構成する記憶装置（図示せず）に、一旦、記憶される。
【０２４６】
［ステップ−１１０］
次いで、面状光源装置制御回路８５０を構成する演算回路８５１においては、記憶装置８５２に記憶された駆動信号［Ｒ，Ｇ，Ｂ］の値を読み出し、第（ｐ，ｑ）番目［但し、先ず、ｐ＝１，ｑ＝１］の表示領域ユニット８１２において、この第（ｐ，ｑ）番目の表示領域ユニット８１２を構成する全てのピクセルにおけるサブピクセル［Ｒ，Ｇ，Ｂ］を駆動するための駆動信号［Ｒ，Ｇ，Ｂ］の値ｘR，ｘG，ｘBの内の最大値である表示領域ユニット内・駆動信号最大値ｘU-maxを、演算回路８５１において求める。そして、表示領域ユニット内・駆動信号最大値ｘU-maxを、記憶装置８５２に記憶する。このステップを、ｍ＝１，２，・・・，Ｍ、ｎ＝１，２，・・・，Ｎの全てに対して、即ち、Ｍ×Ｎ個のピクセルに対して、実行する。
【０２４７】
例えば、ｘRが「１１０」に相当する値であり、ｘGが「１５０」に相当する値であり、ｘBが「５０」に相当する値である場合、ｘU-maxは「１５０」に相当する値である。
【０２４８】
この操作を、（ｐ，ｑ）＝（１，１）から（Ｐ，Ｑ）まで繰り返し、全ての表示領域ユニット８１２における表示領域ユニット内・駆動信号最大値ｘU-maxを、記憶装置８５２に記憶する。
【０２４９】
［ステップ−１２０］
そして、表示領域ユニット内・駆動信号最大値ｘU-maxに等しい値を有する駆動信号［Ｒ，Ｇ，Ｂ］に相当する制御信号［Ｒ，Ｇ，Ｂ］がサブピクセル［Ｒ，Ｇ，Ｂ］に供給されたと想定したときの輝度（光透過率・第１規定値Ｌｔ1における表示輝度・第２規定値ｙ2）が面状光源ユニット８２２によって得られるように、表示領域ユニット８１２に対応する面状光源ユニット８２２の光源輝度Ｙ2を、面状光源ユニット駆動回路８６０の制御下、増減する。具体的には、以下の式（Ａ）を満足するように、１画像表示フレーム毎、１面状光源ユニット毎に光源輝度Ｙ2を制御すればよい。より具体的には、光源輝度制御関数ｇ（ｘnol-max）である式（Ｂ）に基づき発光ダイオード８２３の輝度を制御し、且つ、式（Ａ）を満足するように光源輝度Ｙ2を制御すればよい。このような制御の概念図を、図１３の（Ａ）及び（Ｂ）に示す。但し、後述するように、他の面状光源ユニット８２２の影響に基づいた補正を、光源輝度Ｙ2に対して、必要に応じて施すことが望ましい。尚、光源輝度Ｙ2の制御に関するこれらの関係、即ち、表示領域ユニット内・駆動信号最大値ｘU-max、この最大値ｘU-maxに等しい値を有する駆動信号に相当する制御信号の値、このような制御信号がサブピクセルに供給されたと想定したときの表示輝度・第２規定値ｙ2、このときの各サブピクセルの光透過率（開口率）［光透過率・第２規定値Ｌｔ2］、各サブピクセルの光透過率（開口率）を光透過率・第１規定値Ｌｔ1としたときに表示輝度・第２規定値ｙ2が得られるような面状光源ユニット８２２における輝度制御パラメータの関係等を、予め求めておき、記憶装置８５２等に記憶しておけばよい。
【０２５０】
Ｙ2・Ｌｔ1＝Ｙ1・Ｌｔ2    （Ａ）
ｇ（ｘnol-max）＝ａ1・（ｘnol-max）2.2＋ａ0    （Ｂ）
【０２５１】
ここで、サブピクセル［Ｒ，Ｇ，Ｂ］のそれぞれを駆動するために液晶表示装置駆動回路８７０に入力される駆動信号（駆動信号［Ｒ，Ｇ，Ｂ］）の最大値をｘmaxとしたとき、
ｘnol-max≡ｘU-max／ｘmax
であり、ａ1，ａ0は定数であり、
ａ1＋ａ0＝１
０＜ａ0＜１，０＜ａ1＜１
で表すことができる。例えば、
ａ1＝０．９９
ａ0＝０．０１
とすればよい。また、駆動信号［Ｒ，Ｇ，Ｂ］の値ｘR，ｘG，ｘBのそれぞれは、２8段階の値をとるので、ｘmaxの値は「２５５」に相当する値である。
【０２５２】
ところで、面状光源装置８２０にあっては、例えば、（ｐ，ｑ）＝（１，１）の面状光源ユニット８２２の輝度制御を想定した場合、他のＰ×Ｑ個の面状光源ユニット８２２からの影響を考慮する必要がある場合がある。このような面状光源ユニット８２２が他の面状光源ユニット８２２から受ける影響は、各面状光源ユニット８２２の発光プロファイルによって予め判明しているので、逆算によって差分を計算でき、その結果、補正が可能である。演算の基本形を以下に説明する。
【０２５３】
式（Ａ）及び式（Ｂ）の要請に基づくＰ×Ｑ個の面状光源ユニット８２２に要求される輝度（光源輝度Ｙ2）を行列［ＬPxQ］で表す。また、或る面状光源ユニットのみを駆動し、他の面状光源ユニットは駆動していないときに得られる或る面状光源ユニットの輝度を、Ｐ×Ｑ個の面状光源ユニット８２２に対して予め求めておく。係る輝度を行列［Ｌ’PxQ］で表す。更には、補正係数を行列［αPxQ］で表す。すると、これらの行列の関係は、以下の式（Ｃ−１）で表すことができる。補正係数の行列［αPxQ］は、予め求めておくことができる。
［ＬPxQ］＝［Ｌ’PxQ］・［αPxQ］    （Ｃ−１）
よって、式（Ｃ−１）から行列［Ｌ’PxQ］を求めればよい。行列［Ｌ’PxQ］は、逆行列の演算から求めることができる。即ち、
［Ｌ’PxQ］＝［ＬPxQ］・［αPxQ］-1    （Ｃ−２）
を計算すればよい。そして、行列［Ｌ’PxQ］で表された輝度が得られるように、各面状光源ユニット８２２に備えられた光源（発光ダイオード８２３）を制御すればよく、具体的には、係る操作、処理は、記憶装置（メモリ）８６２に記憶された情報（データテーブル）を用いて行えばよい。尚、発光ダイオード８２３の制御にあっては、行列［Ｌ’PxQ］の値は負の値を取れないので、演算結果は正の領域にとどめる必要があることは云うまでもない。従って、式（Ｃ−２）の解は厳密解ではなく、近似解となる場合がある。
【０２５４】
このように、面状光源装置制御回路８５０を構成する演算回路８５１において得られた式（Ａ）及び式（Ｂ）の値に基づき得られた行列［ＬPxQ］、補正係数の行列［αPxQ］に基づき、上述したとおり、面状光源ユニットを単独で駆動したと想定したときの輝度の行列［Ｌ’PxQ］を求め、更には、記憶装置８５２に記憶された変換テーブルに基づき、０〜２５５の範囲内の対応する整数（パルス幅変調出力信号の値）に変換する。こうして、面状光源装置制御回路８５０を構成する演算回路８５１において、面状光源ユニット８２２における発光ダイオード８２３の発光時間を制御するためのパルス幅変調出力信号の値ＰＳを得ることができる。
【０２５５】
［ステップ−１３０］
次に、面状光源装置制御回路８５０を構成する演算回路８５１において得られたパルス幅変調出力信号の値ＰＳは、面状光源ユニット８２２に対応して設けられた面状光源ユニット駆動回路８６０の記憶装置８６２に送出され、記憶装置８６２において記憶される。また、クロック信号ＣＬＫも面状光源ユニット駆動回路８６０に送出される（図１０参照）。
【０２５６】
［ステップ−１４０］
そして、パルス幅変調出力信号の値ＰＳに基づき、面状光源ユニット８２２を構成する発光ダイオード８２３のオン時間ｔON及びオフ時間ｔOFFを演算回路８６１は決定する。尚、
ｔON＋ｔOFF＝一定値ｔConst
である。また、発光ダイオードのパルス幅変調に基づく駆動におけるデューティ比は、
ｔON／（ｔON＋ｔOFF）＝ｔON／ｔConst
で表すことができる。
【０２５７】
そして、面状光源ユニット８２２を構成する発光ダイオード８２３のオン時間ｔONに相当する信号がＬＥＤ駆動回路８６３に送られ、このＬＥＤ駆動回路８６３からのオン時間ｔONに相当する信号の値に基づき、スイッチング素子８６５がオン時間ｔONだけオン状態となり、発光ダイオード駆動電源８６６からのＬＥＤ駆動電流が発光ダイオード８２３に流される。その結果、各発光ダイオード８２３は、１画像表示フレームにおいて、オン時間ｔONだけ発光する。こうして、各表示領域ユニット８１２を、所定の照度において照明する。
【０２５８】
こうして得られた状態を、図１４の（Ａ）及び（Ｂ）に実線で示すが、図１４の（Ａ）は、サブピクセルを駆動するために液晶表示装置駆動回路８７０に入力される駆動信号の値を２．２乗した値（ｘ’≡ｘ2.2）とデューティ比（＝ｔON／ｔConst）との関係を模式的に示す図であり、図１４の（Ｂ）は、サブピクセルの光透過率Ｌｔを制御するための制御信号の値Ｘと表示輝度ｙとの関係を模式的に示す図である。
【０２５９】
［ステップ−１５０］
一方、液晶表示装置駆動回路８７０に入力された駆動信号［Ｒ，Ｇ，Ｂ］の値ｘR，ｘG，ｘBはタイミングコントローラ８７１へ送られ、タイミングコントローラ８７１にあっては、入力された駆動信号［Ｒ，Ｇ，Ｂ］に相当する制御信号［Ｒ，Ｇ，Ｂ］を、サブピクセル［Ｒ，Ｇ，Ｂ］に供給（出力）する。液晶表示装置駆動回路８７０のタイミングコントローラ８７１において生成され、液晶表示装置駆動回路８７０からサブピクセル［Ｒ，Ｇ，Ｂ］に供給される制御信号［Ｒ，Ｇ，Ｂ］の値ＸR，ＸG，ＸBと、駆動信号［Ｒ，Ｇ，Ｂ］の値ｘR，ｘG，ｘBとは、以下の式（Ｄ−１）、式（Ｄ−２）、式（Ｄ−３）の関係にある。但し、ｂ1_R，ｂ0_R，ｂ1_G，ｂ0_G，ｂ1_B，ｂ0_Bは定数である。また、面状光源ユニット８２２の光源輝度Ｙ2を画像表示フレーム毎に変化させるので、制御信号［Ｒ，Ｇ，Ｂ］は、基本的に、駆動信号［Ｒ，Ｇ，Ｂ］の値を２．２乗した値に対して、光源輝度Ｙ2の変化に基づく補正（補償）を行った値を有する。即ち、１画像表示フレーム毎に光源輝度Ｙ2が変化するので、光源輝度Ｙ2（≦Ｙ1）において表示輝度・第２規定値ｙ2が得られるように制御信号［Ｒ，Ｇ，Ｂ］の値ＸR，ＸG，ＸBを決定、補正（補償）して、ピクセルあるいはサブピクセルの光透過率（開口率）Ｌｔを制御している。ここで、式（Ｄ−１）、式（Ｄ−２）、式（Ｄ−３）の関数ｆR，ｆG，ｆBは、係る補正（補償）を行うための予め求められた関数である。
【０２６０】
ＸR＝ｆR（ｂ1_R・ｘR2.2＋ｂ0_R）    （Ｄ−１）
ＸG＝ｆG（ｂ1_G・ｘG2.2＋ｂ0_G）    （Ｄ−２）
ＸB＝ｆB（ｂ1_B・ｘB2.2＋ｂ0_B）    （Ｄ−３）
【０２６１】
こうして、１画像表示フレームにおける画像表示動作が完了する。
【０２６２】
エッジライト型（サイドライト型）の面状光源装置を採用する場合、図１５に概念図を示すように、例えば、ポリカーボネート樹脂から成る導光板９１０は、第１面（底面）９１１、この第１面９１１と対向した第２面（頂面）９１３、第１側面９１４、第２側面９１５、第１側面９１４と対向した第３側面９１６、及び、第２側面９１４と対向した第４側面を有する。導光板のより具体的な形状は、全体として、楔状の切頭四角錐形状であり、切頭四角錐の２つの対向する側面が第１面９１１及び第２面９１３に相当し、切頭四角錐の底面が第１側面９１４に相当する。そして、第１面９１１の表面部には凹凸部９１２が設けられている。導光板９１０への第１原色光入射方向であって第１面９１１と垂直な仮想平面で導光板９１０を切断したときの連続した凸凹部の断面形状は、三角形である。即ち、第１面９１１の表面部に設けられた凹凸部９１２は、プリズム状である。導光板９１０の第２面９１３は、平滑としてもよいし（即ち、鏡面としてもよいし）、拡散効果のあるブラストシボを設けてもよい（即ち、微細な凹凸面とすることもできる）。導光板９１０の第１面９１１に対向して反射部材９２０が配置されている。また、導光板９１０の第２面９１３に対向してカラー液晶表示装置が配置されている。更には、カラー液晶表示装置と導光板９１０の第２面９１３との間には、拡散シート９３１及びプリズムシート９３２が配置されている。光源９００から出射された第１原色光は、導光板９１０の第１側面９１４（例えば、切頭四角錐の底面に相当する面）から導光板９１０に入射し、第１面９１１の凹凸部９１２に衝突して散乱され、第１面９１１から出射し、反射部材９２０にて反射され、第１面９１１に再び入射し、第２面９１３から出射され、拡散シート９３１及びプリズムシート９３２を通過して、実施例１〜実施例８のカラー液晶表示装置を照射する。
【０２６３】
以上、本発明を好ましい実施例に基づき説明したが、本発明はこれらの実施例に限定されるものではない。実施例において説明したカラー液晶表示装置組立体、カラー液晶表示装置や面状光源装置、面状光源ユニット、カラー液晶表示装置組立体、駆動回路の構成、構造は例示であるし、これらを構成する部材、材料等も例示であり、適宜、変更することができる。
【０２６４】
光源として、発光ダイオードの代わりに、第１原色光としての青色の光を出射する蛍光ランプあるいは半導体レーザを採用してもよい。この場合、蛍光ランプが出射する第１原色（青色）に相当する第１原色光の波長λ1として、４５０ｎｍを例示することができ、第２原色発光粒子に相当する緑色発光粒子は、例えばＳｒＧａ2Ｓ4：Ｅｕから成る緑色発光蛍光体粒子とすればよく、第３原色発光粒子に相当する赤色発光粒子は、例えばＣａＳ：Ｅｕから成る赤色発光蛍光体粒子とすればよい。あるいは又、半導体レーザを用いる場合、半導体レーザが出射する第１原色（青色）に相当する第１原色光の波長λ1として、４５７ｎｍを例示することができ、この場合、第２原色発光粒子に相当する緑色発光粒子は、例えばＳｒＧａ2Ｓ4：Ｅｕから成る緑色発光蛍光体粒子とすればよく、第３原色発光粒子に相当する赤色発光粒子は、例えばＣａＳ：Ｅｕから成る赤色発光蛍光体粒子とすればよい。蛍光ランプを用いる場合、カラー液晶表示装置組立体あるいは導光板の側面に面する蛍光ランプの内壁の部分（例えば、軸線と垂直な仮想平面で切断したときの蛍光ランプの内壁の形状が円形である場合、カラー液晶表示装置組立体あるいは導光板の側面に面する、例えば半円の部分）にのみ、例えば、青色発光蛍光体粒子が塗布された蛍光ランプを用いることができる。また、場合によっては、第１原色光通過領域、第３原色光通過領域、第２原色発光領域、第３原色発光領域を通過した光を拡散するための光拡散フィルムを適切な位置に配置してもよい。
【図面の簡単な説明】
【０２６５】
【図１】図１は、実施例１のカラー液晶表示装置組立体の模式的な一部断面図である。
【図２】図２は、実施例２のカラー液晶表示装置組立体の模式的な一部断面図である。
【図３】図３は、実施例３のカラー液晶表示装置組立体の模式的な一部断面図である。
【図４】図４は、実施例４のカラー液晶表示装置組立体の模式的な一部断面図である。
【図５】図５は、実施例５のカラー液晶表示装置組立体の模式的な一部断面図である。
【図６】図６は、実施例６のカラー液晶表示装置組立体の模式的な一部断面図である。
【図７】図７は、実施例７のカラー液晶表示装置組立体の模式的な一部断面図である。
【図８】図８は、実施例８のカラー液晶表示装置組立体の模式的な一部断面図である。
【図９】図９は、実施例での使用に適したカラー液晶表示装置及び面状光源装置から成るカラー液晶表示装置組立体の概念図である。
【図１０】図１０は、実施例での使用に適した駆動回路の一部分の概念図である。
【図１１】図１１の（Ａ）は、実施例の面状光源装置における面状光源ユニット等の配置、配列状態を模式的に示す図であり、図１１の（Ｂ）は、実施例のカラー液晶表示装置及び面状光源装置から成るカラー液晶表示装置組立体の模式的な一部断面図である。
【図１２】図１２は、分割駆動方式の面状光源装置の駆動方法を説明するための流れ図である。
【図１３】図１３の（Ａ）及び（Ｂ）は、表示領域ユニット内・駆動信号最大値ｘU-maxに等しい値を有する駆動信号に相当する制御信号がピクセルに供給されたと想定したときの表示輝度・第２規定値ｙ2が面状光源ユニットによって得られるように、面状光源ユニットの光源輝度Ｙ2を、面状光源ユニット駆動回路の制御下、増減する状態を説明するための概念図である。
【図１４】図１４の（Ａ）は、サブピクセルを駆動するために液晶表示装置駆動回路に入力される駆動信号の値を２．２乗した値（ｘ’≡ｘ2.2）とデューティ比（＝ｔON／ｔConst）との関係を模式的に示す図であり、図１４の（Ｂ）は、サブピクセルの光透過率を制御するための制御信号の値Ｘと表示輝度ｙとの関係を模式的に示す図である。
【図１５】図１５は、エッジライト型（サイドライト型）の面状光源装置を備えたカラー液晶表示装置組立体の概念図である。
【図１６】図１６の（Ａ）は、実施例９の発光装置の模式的な断面図であり、図１６の（Ｂ）は、ＩｎＧａＮといった化合物半導体から構成された発光ダイオードを駆動電流４０ミリアンペア（消費電力０．１２４ワット・時）としたときの発光スペクトルを示すグラフである。
【図１７】図１７の（Ａ）及び（Ｂ）は、それぞれ、ＳｒＧａ2Ｓ4：Ｅｕ（発光波長λ2＝５３８ｎｍ）から成る第２原色発光粒子を波長４５０ｎｍの青色光で励起したときの発光スペクトル、及び、係る第２原色発光粒子の励起スペクトルを示すグラフである。
【図１８】図１８の（Ａ）及び（Ｂ）は、それぞれ、実施例９におけるフィルターの透過スペクトル、及び、比較例９−Ｂにて用いた緑色のフィルターの透過スペクトルを示すグラフである。
【図１９】図１９は、橙色（オレンジ色）の透過スペクトルを示すグラフである。
【図２０】図２０は、実施例９において、光強度Ｉ2（λ2）とＰとの関係を求めた結果を示すグラフである。
【図２１】図６の（Ａ）及び（Ｂ）は、Ｉ2（λ1）／Ｉ2（λ2）＝１／３が得られるように、Ｐの値を決定したときの、係るＰの値における黄色のフィルターを通過させる前の発光色のスペクトル、及び、黄色のフィルターを通過させた後の発光色のスペクトルを示すグラフである。
【図２２】図２２は、ＩｎＧａＮ系化合物半導体層から活性層を構成された発光ダイオードにおいて、発光波長が４００ｎｍ〜４８０ｎｍ付近では発光効率が高いが、５００ｎｍより長波長域（例えば、緑色を発光する波長領域）では発光効率の低下が顕著であることを示すグラフである。
【図２３】図２３の（Ａ）及び（Ｂ）は、従来のカラー液晶表示装置組立体の概念図である。
【符号の説明】
【０２６６】
１０・・・第１基板、１０Ａ・・・第１基板の第１面、１０Ｂ・・・第１基板の第２面、１１・・・透明第１電極、１２・・・第１配向膜、１３・・・第１偏光フィルム（第１偏光板）、１４，１１４，２１４，３１４，４１４，５１４，６１４，７１４・・・光反射膜、４１４Ｇ，５１４Ｇ，６１４Ｇ，７１４Ｇ・・・第３原色光侵入阻止膜、１４Ａ・・・光透過膜、１５，１５’，１１５，２１５，３１５・・・平滑化膜、２０・・・第２基板、２０Ａ・・・第２基板の第１面、２０Ｂ・・・第２基板の第２面、２１・・・透明第２電極、２２・・・第２配向膜、２３・・・第２偏光フィルム（第２偏光板）、３０，３１・・・第３基板、３０Ａ，３１Ａ・・・第３基板の第１面、３０Ｂ，３１Ｂ・・・第３基板の第２面、４０，４１・・・液晶材料、５１，１５１，２５１，３５１・・・第１原色光通過領域、５２，１５２，２５２，３５２，４５２，５５２，６５２，７５２・・・第２原色発光領域、５３，１５３，２５３，３５３・・・第３原色発光領域、４５３，５５３，６５３，７５３・・・第３原色光通過領域、５４，１５４，２５４，３５４，４５４，５５４，６５４，７５４・・・光吸収層（ブラックマトリクス）、５５，１５５，２５５，３５５，４５５，５５５，６５５，７５５・・・第１集光部材、５６，１５６，２５６，３５６，４５６，５５６，６５６，７５６・・・第２集光部材、５７，１５７，２５７，３５７，４５７，５５７，６５７，７５７・・・第３集光部材、５８，１５８，２５８，３５８，４５８，５５８，６５８，７５８・・・フィルター、
５８Ｂ，１５８Ｂ，２５８Ｂ，３５８Ｂ，４５８Ｂ，５５８Ｂ，６５８Ｂ，７５８Ｂ・・・第１フィルター領域、５８Ｇ，１５８Ｇ，２５８Ｇ，３５８Ｇ，４５８Ｇ，５５８Ｇ，６５８Ｇ，７５８Ｇ・・・第２フィルター領域、５８Ｒ，１５８Ｒ，２５８Ｒ，３５８Ｒ，４５８Ｒ，５５８Ｒ，６５８Ｒ，７５８Ｒ・・・第３フィルター領域、６０・・・面状光源装置、８１０・・・カラー液晶表示装置、８１１・・・表示領域、８１２・・・表示領域ユニット、８２０・・・面状光源装置（バックライト）、８２１・・・隔壁、８３２・・・面状光源ユニット、８２３・・・発光ダイオード、８２４・・・フォトダイオード（光センサー）、８３１・・・筐体、８３２Ａ・・・筐体の底面、８３２Ｂ・・・筐体の側面、８３３・・・外側フレーム、８３４・・・内側フレーム、８３５Ａ，８３５Ｂ，８３５Ｃ・・・スペーサ、８３６・・・ガイド部材、８３７・・・ブラケット部材、８４１・・・光拡散板、８４２・・・拡散シート、８４３・・・プリズムシート、８４４・・・偏光変換シート、８４５・・・反射シート、８５０・・・面状光源装置制御回路、８５１・・・演算回路、８５２・・・記憶装置（メモリ）、８６０・・・面状光源ユニット駆動回路、８６１・・・演算回路、８６２・・・記憶装置（メモリ）、８６３・・・ＬＥＤ駆動回路、８６４・・・フォトダイオード制御回路、８６５・・・スイッチング素子、８６６・・・発光ダイオード駆動電源（定電流源）、８７０・・・液晶表示装置駆動回路、８７１・・・タイミングコントローラ、９００・・・光源、９１０・・・導光板、９１１・・・導光板の第１面（底面）、９１２・・・凹凸部、９１３・・・導光板の第２面（頂面）、９１４・・・導光板の第１側面、９１５・・・導光板の第２側面、９１６・・・導光板の第３側面、９２０・・・反射部材、９３１・・・拡散シート、９３２・・・プリズムシート、１０００・・・光源、１００１・・・第２原色発光粒子、１００２・・・フィルター、１００３・・・収納容器（ケース）
【図１】
2009145657.tif 000005
【図２】
2009145657.tif 000006
【図３】
2009145657.tif 000007
【図４】
2009145657.tif 000008
【図５】
2009145657.tif 000009
【図６】
2009145657.tif 000010
【図７】
2009145657.tif 000011
【図８】
2009145657.tif 000012
【図９】
2009145657.tif 000013
【図１０】
2009145657.tif 000014
【図１１】
2009145657.tif 000015
【図１２】
2009145657.tif 000016
【図１３】
2009145657.tif 000017
【図１４】
2009145657.tif 000018
【図１５】
2009145657.tif 000019
【図１６】
2009145657.tif 000020
【図１７】
2009145657.tif 000021
【図１８】
2009145657.tif 000022
【図１９】
2009145657.tif 000023
【図２０】
2009145657.tif 000024
【図２１】
2009145657.tif 000025
【図２３】
2009145657.tif 000026
【図２２】
2009145657.tif 000027